(57)【要約】  ゴルフクラブヘッド、ゴルフクラブ、並びにゴルフクラブヘッド及びゴルフクラブの製造方法が概ね本明細書で説明される。一例では、ゴルフクラブヘッドは、第１の充填材料を含むボディ部を有し得る。ボディ部は、トウ部と、ヒール部と、トップ部と、ソール部と、バック部と、フェース部を持つフロント部とを有し得る。ゴルフクラブヘッドは、第１の充填材料及び第２の充填材料で部分的又は完全に充填された内部キャビティを有し得る。他の実施例及び実施形態が説明され、特許請求の範囲に記載され得る。【選択図】図２
2021506535.tif 000002
【特許請求の範囲】
【請求項１】
フロント面及び前記フロント面の反対側のバック面を有するフェース部であり、前記バック面は外周部を有する、前記フェース部と、
内部キャビティを有するボディ部であり、前記ボディ部は前記フロント部の最外面を画定する外周エッジ部を持つフロント部を有し、前記ボディ部の前記外周エッジ部が前記フェース部の前記外周部に取り付けられた、前記ボディ部と、
前記ボディ部の内壁の一部に結合された第１の充填材料であり、前記第１の充填材料はゴム材料を含むと共に第１の密度を有する、前記第１の充填材料と、
前記第１の充填材料と前記フェース部の間の前記内部キャビティに射出成型された第２の充填材料であり、前記第２の充填材料は熱硬化性材料を含むと共に前記第１の密度とは異なる第２の密度を有する、前記第２の充填材料と、
を備えたゴルフクラブヘッドであって、
前記第１の充填材料の最大幅が、前記フェース部の中央部に位置合わせされていることを特徴とするゴルフクラブヘッド。
【請求項２】
請求項１に記載のゴルフクラブヘッドにおいて、
前記第１の充填材料は、結合剤で前記内壁の部分に結合された材料を含むことを特徴とするゴルフクラブヘッド。
【請求項３】
請求項１に記載のゴルフクラブヘッドにおいて、
前記第１の充填材料の反発係数は、前記第２の充填材料の反発係数より大きいことを特徴とするゴルフクラブヘッド。
【請求項４】
請求項１に記載のゴルフクラブヘッドにおいて、
前記第１の充填材料が前記ボディ部の内壁の一部に結合された後、前記フェース部が前記ボディ部に取り付けられたことを特徴とするゴルフクラブヘッド。
【請求項５】
請求項１に記載のゴルフクラブヘッドにおいて、
前記ボディ部は、前記内部キャビティを画定する複数の凹部を含み、
前記複数の凹部のうちの中央凹部は、前記内部キャビティの最大幅を含み、
前記中央凹部は、前記第１の充填材料で充填されていることを特徴とするゴルフクラブヘッド。
【請求項６】
請求項１に記載のゴルフクラブヘッドにおいて、
前記フェース部の前記バック面は、前記フェース部の外周部に沿って又はそれに近接して延びる連続的な溝を含み、
前記溝は、前記第２の充填材料で充填されていることを特徴とするゴルフクラブヘッド。
【請求項７】
請求項１に記載のゴルフクラブヘッドにおいて、
前記ボディ部は、前記内部キャビティを画定する複数の凹部を含み、
前記内部キャビティの幅は、前記複数の凹部のうちの中央凹部から、前記複数の凹部のうちの前記ボディ部の前記外周エッジ部に隣接する１つ又は複数の凹部に向かって減少することを特徴とするゴルフクラブヘッド。
【請求項８】
請求項１に記載のゴルフクラブヘッドにおいて、
前記ボディ部は、前記ゴルフクラブヘッドに関連付けられたクラブ識別子を含むことを特徴とするゴルフクラブヘッド。
【請求項９】
フロント面及び前記フロント面の反対側のバック面を有するフェース部であり、前記フェース部はロフト角を画定し、前記フェース部は前記フェース部の外周に近接して延びる溝を前記バック面に含む、前記フェース部と、
前記フェース部と結合されたボディ部であり、前記ボディ部は前記フェース部の中央部に位置合わせされた中央凹部を含む内部キャビティを有し、前記中央凹部は前記ロフト角に関連付けられた形状を有し、前記中央凹部は前記内部キャビティの最大幅を有する、前記ボディ部と、
少なくとも前記中央凹部で前記ボディ部に結合されると共に前記中央凹部を充填する第１の充填材料と、
前記内部キャビティに射出成型された第２の充填材料であり、前記第２の充填材料の少なくとも一部が前記フェース部の前記バック面に結合されると共に前記中央凹部内の前記第１の充填材料と前記フェース部の間に位置し、前記第２の充填材料は少なくとも１つの材料特性が前記第１の充填材料とは異なる、前記第２の充填材料と、
を備えたゴルフクラブヘッドであって、
前記溝が、前記第２の充填材料で少なくとも部分的に充填されていることを特徴とするゴルフクラブヘッド。
【請求項１０】
請求項９に記載のゴルフクラブヘッドにおいて、
前記第１の充填材料が前記ボディ部に結合された後、前記フェース部が前記ボディ部に溶接されたことを特徴とするゴルフクラブヘッド。
【請求項１１】
請求項９に記載のゴルフクラブヘッドにおいて、
前記内部キャビティは、前記中央凹部に隣接する複数の凹部を有し、
前記第２の充填材料は、前記複数の凹部を少なくとも部分的に充填することを特徴とするゴルフクラブヘッド。
【請求項１２】
請求項９に記載のゴルフクラブヘッドにおいて、
前記内部キャビティの前記最大幅は、前記フェース部の幾何学的中心に近接していることを特徴とするゴルフクラブヘッド。
【請求項１３】
請求項９に記載のゴルフクラブヘッドにおいて、
前記第１の充填材料の反発係数は、前記第２の充填材料の反発係数より大きいことを特徴とするゴルフクラブヘッド。
【請求項１４】
請求項９に記載のゴルフクラブヘッドにおいて、
前記第１の材料は、ゴム材料を含み、
前記第２の材料は、熱硬化性材料を含むことを特徴とするゴルフクラブヘッド。
【請求項１５】
フロント面及び前記フロント面の反対側のバック面を有するフェース部と、
前記フェース部と結合されたボディ部であり、前記ボディ部は内部キャビティと１つ又は複数の内壁を有する、前記ボディ部と、
前記ボディ部と結合された第１の充填材料であり、前記第１の充填材料は前記１つ又は複数の内壁の少なくとも２５％をカバーする、前記第１の充填材料と、
前記内部キャビティに射出成型された第２の充填材料と
を備えたゴルフクラブヘッドであって、
前記第１の充填材料の反発係数は、前記第２の充填材料の反発係数より大きく、
前記第１の充填材料の最大幅が、前記フェース部の中央部又はそれに近接する位置であることを特徴とするゴルフクラブヘッド。
【請求項１６】
請求項１５に記載のゴルフクラブヘッドにおいて、
前記第１の充填材料は、前記フェース部が前記ボディ部に取り付けられる前に、前記内部キャビティに射出成型されていることを特徴とするゴルフクラブヘッド。
【請求項１７】
請求項１５に記載のゴルフクラブヘッドにおいて、
前記第１の充填材料は、予め形成して前記ボディ部に取り付けられていることを特徴とするゴルフクラブヘッド。
【請求項１８】
請求項１５に記載のゴルフクラブヘッドにおいて、
前記第１の充填材料は、ゴム材料を含むことを特徴とするゴルフクラブヘッド。
【請求項１９】
請求項１５に記載のゴルフクラブヘッドにおいて、
前記第２の充填材料は、熱硬化性材料を含むことを特徴とするゴルフクラブヘッド。
【請求項２０】
請求項１５に記載のゴルフクラブヘッドにおいて、
前記フェース部の面積が、２００ｍｍ2 以上且つ５０００ｍｍ2 以下であることを特徴とするゴルフクラブヘッド。
【発明の詳細な説明】
【技術分野】
【０００１】
［著作権表示］
本開示は、著作権による保護の対象となり得る。著作権者は、特許商標庁の特許ファイル又は記録に表れるように、本開示又はその関連文書が何人かによりファクシミリ複製されることに異議を持たないが、そうでない場合には全ての著作権を留保する。
【０００２】
［関連出願の相互参照］
本出願は、２０１８年２月１２日に出願された米国仮出願第６２／６２９，４５９号；２０１８年８月６日に出願された米国仮出願第６２／７１４，９４８号；２０１８年８月２４日に出願された米国仮出願第６２／７２２，４９１号；２０１８年９月１７日に出願された米国仮出願第６２／７３２，０６２号；２０１８年１１月２日に出願された米国仮出願第６２／７５５，１６０号；２０１８年１１月６日に出願された米国仮出願第６２／７５６，４４６号；２０１９年１月２日に出願された米国仮出願第６２／７８７，５５４号；及び２０１９年１月１４日に出願された米国仮出願第６２／７９２，１９１号の利益を主張する。上記に列挙した出願の開示は、その全体が参照により本明細書に組み込まれる。
【０００３】
［技術分野］
本開示は、一般にゴルフ用具に関し、より詳細には、ゴルフクラブヘッド及びゴルフクラブヘッド製造方法に関する。
【背景技術】
【０００４】
様々な材料（例えば、スチール系材料、チタン系材料、タングステン系材料など）を使用して、ゴルフクラブヘッドを製造することができる。 複数の材料を使用してゴルフクラブヘッドを製造することにより、ゴルフクラブヘッドの重心（ＣＧ）の位置及び／又は慣性モーメント（ＭＯＩ）を最適化してゴルフボールの特定の弾道とスピンレートを提供することができる。
【図面の簡単な説明】
【０００５】
図１は、本明細書に記載の装置、方法、及び製造物の一実施形態に関するゴルフクラブヘッドの透視背面図である。
【０００６】
図２は、図１の２−２線による図１のゴルフクラブヘッドの透視断面図である。
【０００７】
図３は、図１の３−３線による図１のゴルフクラブヘッドの透視断面図である。
【０００８】
図４は、図１の４−４線による図１のゴルフクラブヘッドの透視断面図である。
【０００９】
図５は、図１の５−５線による図１のゴルフクラブヘッドの透視断面図である。
【００１０】
図６は、図１の６−６線による図１のゴルフクラブヘッドの透視断面図である。
【００１１】
図７は、図１の７−７線による図１のゴルフクラブヘッドの透視断面図である。
【００１２】
図８は、図１の２−２線による図１のゴルフクラブヘッドの別の透視断面図である。
【００１３】
図９は、図１の６−６線による図１のゴルフクラブヘッドの別の透視断面図である。
【００１４】
図１０は、フェース部なしで示す図１のゴルフクラブヘッドの正面透視図である。
【００１５】
図１１は、図１のゴルフクラブヘッドのフェース部の裏側を示す図である。
【００１６】
図１２は、図１に例示したゴルフクラブヘッドを製造する方法の１つを示す図である。
【００１７】
図１３は、本明細書に記載の装置、方法、及び製造物の一実施形態に関するゴルフクラブヘッドの図１４の１３−１３線による透視断面図である。
【００１８】
図１４は、図１３の１４−１４線による図１３のゴルフクラブヘッドの透視断面図である。
【００１９】
図１５は、図１３の１５−１５線による図１３のゴルフクラブヘッドの透視断面図である。
【００２０】
図１６は、本明細書に記載の装置、方法、及び製造物の一実施形態に関するゴルフクラブヘッドの図１７の１６−１６線による透視断面図である。
【００２１】
図１７は、図１６の１７−１７線による図１６のゴルフクラブヘッドの透視断面図である。
【００２２】
図１８は、図１６の１８−１８線による図１６のゴルフクラブヘッドの透視断面図である。
【００２３】
図１９は、本明細書に記載の装置、方法、及び製造物の一実施形態に関するゴルフクラブヘッドの図２０の１９−１９線による透視断面図である。
【００２４】
図２０は、図１９の２０−２０線による図１９のゴルフクラブヘッドの透視断面図である。
【００２５】
図２１は、図１９の２１−２１線による図１９のゴルフクラブヘッドの透視断面図である。
【００２６】
図２２は、本明細書に記載の装置、方法、及び製造物の一実施形態に関するゴルフクラブヘッドの図２３の２２−２２線による透視断面図である。
【００２７】
図２３は、図２２の２３−２３線による図２２のゴルフクラブヘッドの透視断面図である。
【００２８】
図２４は、図２２の２４−２４線による図２２のゴルフクラブヘッドの透視断面図である。
【００２９】
図２５は、本明細書に記載の装置、方法、及び製造物の一実施形態に関するゴルフクラブヘッドの図２６の２５−２５線による透視断面図である。
【００３０】
図２６は、図２５の２６−２６線による図２５のゴルフクラブヘッドの透視断面図である。
【００３１】
図２７は、図２５の２７−２７線による図２５のゴルフクラブヘッドの透視断面図である。
【００３２】
図２８は、本明細書に記載の装置、方法、及び製造物の一実施形態に関するゴルフクラブヘッドの図２９の２８−２８線による透視断面図である。
【００３３】
図２９は、図２８の２９−２９線による図２８のゴルフクラブヘッドの透視断面図である。
【００３４】
図３０は、図２８の３０−３０線による図２８のゴルフクラブヘッドの透視断面図である。
【００３５】
図３１は、本明細書に記載の装置、方法、及び製造物の一実施形態に関するゴルフクラブヘッドの透視断面図である。
【００３６】
図３２は、本明細書に記載の装置、方法、及び製造物の一実施形態に関するゴルフクラブヘッドの透視断面図である。
【００３７】
図３３は、本明細書に記載の装置、方法、及び製造物の一実施形態に関するゴルフクラブヘッドの透視断面図である。
【００３８】
図３４は、本明細書に記載の例示的なゴルフクラブヘッドを製造する方法を示す図である。
【００３９】
図３５は、本明細書に記載の装置、方法、及び製造物の一実施形態に関するゴルフクラブヘッドの透視正面図である。
【００４０】
図３６は、図３５のゴルフクラブヘッドの透視背面図である。
【００４１】
図３７は、フェース部なしで示す図３５のゴルフクラブヘッドの正面透視図である。
【００４２】
図３８は、図３６の３５−３５線による図３５のゴルフクラブヘッドの透視断面図である。
【００４３】
図３９は、図３６の３９−３９線による図３５のゴルフクラブヘッドの透視断面図である。
【００４４】
図４０は、図３６の４０−４０線による図３５のゴルフクラブヘッドの透視断面図である。
【００４５】
図４１は、本明細書に記載の装置、方法、及び製造物の一実施形態に関するゴルフクラブヘッドの透視正面図である。
【００４６】
図４２は、図４１のゴルフクラブヘッドの透視背面図である。
【００４７】
図４３は、図４２の４３−４３線による図４１のゴルフクラブヘッドの透視断面図である。
【００４８】
図４４は、図４２の４４−４４線による図４１のゴルフクラブヘッドの透視断面図である。
【００４９】
図４５は、図４２の４５−４５線による図４１のゴルフクラブヘッドの透視断面図である。
【００５０】
図４６−４８は、フェース部なしで示す図４１のゴルフクラブヘッドの正面透視図である。
【００５１】
図４９は、図４１の４９−４９線による図４１のゴルフクラブヘッドの上面断面図である。
【００５２】
図５０は、図４１の５０−５０線による図４１のゴルフクラブヘッドの上面断面図である。
【００５３】
図５１は、図４１の５１−５１線による図４１のゴルフクラブヘッドの上面断面図である。
【００５４】
図５２は、本明細書に記載の装置、方法、及び製造物の任意の実施形態に関するゴルフクラブヘッドのフェース部の背面図である。
【００５５】
図５３は、本明細書に記載の例示的なゴルフクラブヘッドを製造する方法を示す図である。
【００５６】
図５４は、本明細書に記載の装置、方法、及び製造物の任意の実施形態に関するフェース部の断面図である。
【００５７】
図５５は、本明細書に記載の装置、方法、及び製造物の任意の実施形態に関する別のフェース部の断面図である。
【００５８】
図５６は、本明細書に記載の装置、方法、及び製造物の任意の実施形態に関する質量部の上面図である。
【００５９】
図５７は、本明細書に記載の装置、方法、及び製造物の任意の実施形態に関する質量部の側面図である。
【００６０】
図５８は、本明細書に記載の装置、方法、及び製造物の任意の実施形態に関する別の質量部の側面図である。
【００６１】
説明の簡素化及び明確化のために、図面は構造を一般的な方法で示し、周知の機能及び技術の説明及び詳細は本開示を不必要に不明瞭にすることを避けるために省略される場合がある。更に、図面中の要素は必ずしも一定の縮尺では描かれない場合がある。例えば、図面中の幾つかの要素の寸法は、本開示の実施形態の理解の改善を助けるために他の要素に対して誇張される場合がある。
【発明を実施するための形態】
【００６２】
一般に、ゴルフクラブヘッド、ゴルフクラブ、並びにゴルフクラブヘッド及びゴルフクラブの製造方法が本明細書で説明される。本明細書でまとめて「参照により組み込まれる出願」として参照される以下の米国特許及び特許出願は、参照によりその全体が本明細書に組み込まれる：米国特許第８，９６１，３３６号；第９，１９９，１４３号； 第９，６７５，８５３号；第 ９，４６８，８２１号；第９，５３３，２０１号；第９，８１４，９５２号；第９，６１０，４８１号；及び２０１６年７月１３日に出願された米国特許出願第１５／２０９，３６４号；２０１７年３月１７日に出願された米国特許出願第１５／４６２，２８１号；２０１７年１０月１６日に出願された米国特許出願第１５／７８５，００１号；２０１８年７月１９日に出願された米国特許出願第１６／０３９，４９６号； ２０１８年１月２２日に出願された米国特許出願第１５／８７６，８７７号；及び２０１８年３月２３日に出願された米国特許出願第１５／９３４，５７９号。本明細書に記載の装置、方法、及び製造物は、これに限定されない。
【００６３】
図１〜図１１の例では、ゴルフクラブヘッド１００は、トウ部１４０と、ゴルフクラブを形成するために一方の端部にグリップ（不図示）を有すると共に他方の端部にゴルフクラブヘッド１００を有するシャフト（不図示）を受け入れるように構成されるホーゼル部１５５を含み得るヒール部１５０と、外周エッジ部１６１を持つフロント部１６０と、バック部１７０と、トップ部１８０と、ソール部１９０とを有するボディ部１１０を含んでもよい。トウ部１４０、ヒール部１５０、フロント部１６０、バック部１７０、トップ部１８０、及び／又はソール部１９０は、互いに部分的に重なり得る。ゴルフクラブヘッド１００は、アイアン系ゴルフクラブヘッド（例えば、１番アイアン、２番アイアン、３番アイアン、４番アイアン、５番アイアン、６番アイアン、７番アイアン、８番アイアン、９番アイアンなど）、又はウェッジ系ゴルフクラブヘッド（例えば、ピッチングウェッジ、ロブウェッジ、サンドウェッジ、４４度（°），４８°，５２°，５６°，６０°などのｎ度ウェッジなど）であり得る。図１〜図１１は、特定のタイプのゴルフクラブヘッドを示すが、本明細書に記載の装置、方法、及び製造物は、他のタイプのゴルフクラブヘッド（例えば、ドライバー系ゴルフクラブヘッド、フェアウェイウッド系ゴルフクラブヘッド、ハイブリッド系ゴルフクラブヘッド、パター系ゴルフクラブヘッドなど）に適用可能であり得る。ゴルフクラブヘッド１００の体積、ゴルフクラブヘッド１００の構成材料、及び／又はその任意の構成要素は、参照により組み込まれる出願のいずれかに記載のゴルフクラブヘッドと同様であり得る。本明細書に記載の装置、方法、及び製造物は、これに限定されない。
【００６４】
ゴルフクラブヘッド１００は、ボディ部１１０（例えば、１つの単一部品）と一体的に形成され得るフェース部１６２（すなわち、打撃面）を含んでもよい。一例では、図１〜図１１に示すように、フェース部１６２は、ボディ部１１０に（例えば、接着によって、機械的に、溶接で、又は半田付けで）取り付け又は結合された別個の部品であり得る。フェース部１６２は、フロント面１６４及びバック面１６６を含み得る。一例（不図示）では、フロント部１６０は、ボディ部１１０へのフェース部１６２の取り付けのためにフェース部１６２を受け入れるように構成された１つ又は複数の凹んだショルダー部を含み得る。別の例では、図１〜図１１に示すように、バック面１６６は、ボディ部１１０にフェース部１６２を取り付けるためにボディ部１１０の外周エッジ部１６１に取り付けられ得る外周部１６７を含んでもよい。ボディ部１１０の外周エッジ部１６１とフェース部１６２の外周部１６７は、１つ又は複数の留め具、１つ又は複数の接着剤又は結合剤、及び／又は溶接又は半田付けによって取り付けられ得る。一例では、図１〜図１１に示すように、フェース部１６２の外周部１６７は、１つ又は複数の位置でボディ部１１０の外周エッジ部１６１に溶接され得る。或いは、フェース部１６２の外周部１６７の全体は、ボディ部１１０の外周エッジ部１６１の全体に溶接（すなわち、連続溶接）され得る。フェース部１６２は、ゴルフボールを打つためのボール打撃領域１６８を含み得る。一例では、ボール打撃領域１６８の中心は、ゴルフボールの打撃にとってフェース部１６２上の概ね最適な位置（すなわち、最適なボール距離、ボール速度、ボールスピン特性など）を提供し得るフェース部１６２の幾何学的中心１６３であってもよい。別の例では、フェース部１６２の幾何学的中心１６３は、ボール打撃領域１６８の中心からオフセットされ得る。フェース部１６２の構成及びボディ部１１０のフェース部１６２への取り付け（例えば、溶接）は、参照により組み込まれる出願のいずれかに記載のゴルフクラブヘッドに多くの点で類似し得る。本明細書に記載の装置、方法、及び製造物は、これに限定されない。
【００６５】
一例では、フェース部１６２のフロント面１６４の面積は、２００ｍｍ2 以上且つ５０００ｍｍ2 以下であり得る。別の例では、フェース部１６２のフロント面１６４の面積は、１０００ｍｍ2 以上且つ４０００ｍｍ2 以下であり得る。更に別の例では、フェース部１６２のフロント面１６４の面積は、１５００ｍｍ2 以上且つ３５００ｍｍ2 以下であり得る。上記の例では特定の面積を説明したが、フロント面１６４の面積は、これらの数値より大きくてもよく、小さくてもよい。本明細書に記載の装置、方法、及び製造物は、これに限定されない。
【００６６】
ゴルフクラブヘッド１００は、グラウンド面１０１０、水平中央平面１０２０、及びトップ面１０３０に関連付けられ得る。特に、グラウンド面１０１０は、地面に平行又は実質的に平行で、且つ、ゴルフクラブヘッド１００がアドレス位置にあるとき（例えば、ゴルフクラブヘッド１００がゴルフボールを打つように位置合わせされたとき）にソール部１９０の最下端に接する平面であり得る。トップ面１０３０は、ゴルフクラブヘッド１００がアドレス位置にあるときにトップ部１８０の最上端に接する平面であり得る。グラウンド面１０１０及びトップ面１０３０は、それぞれ、互いに平行又は実質的に平行であり得る。水平中央平面１０２０は、グラウンド面１０１０とトップ面１０３０のそれぞれの間の垂直方向の中間にあり得る。更に、ゴルフクラブヘッド１００は、ゴルフクラブヘッド１００のロフト角１０４５（α）を画定するロフト面１０４０に関連付けられ得る。ロフト面１０４０は、フェース部１６２に対する接平面であり得る。ロフト角１０４５は、ロフト面１０４０と、グラウンド面１０１０及び水平中央平面１０２０及びトップ面１０３０に対して垂直な垂直面１０５０とによって画定され得る。
【００６７】
ボディ部１１０は、内壁２１２を有する内部キャビティ２１０を含む中空体であり得る。内部キャビティ２１０は、フロント部１６０、バック部１７０、トップ部１８０、ソール部１９０の間に延在し得る。図１〜図１１の例では、ボディ部１１０の内部キャビティ２１０は、フェース部１６２で封止されると共にフェース部１６２で部分的に画定されてもよい。内部キャビティ２１０の構成（例えば、高さ、幅、体積、形状など）、ボディ部１１０に対する内部キャビティ２１０の構成（例えば、ボディ部１１０の体積に対する内部キャビティ２１０の体積）、幅及び高さの変化、及び、ボディ部１１０の１つ又は複数のポートからの内部キャビティ２１０へのアクセスは、参照により組み込まれる出願のいずれかに記載のゴルフクラブヘッドと同様であり得る。本明細書に記載の装置、方法、及び製造物は、これに限定されない。
【００６８】
更に、ボディ部１１０は、外部ポート及び／又は内部ポート（例えば、ボディ部１１０の内側に配置）であり得る１つ又は複数のポートを含んでもよい。内部キャビティ２１０の内壁２１２は、１つ又は複数のポートを含み得る。一例では、図１に示すように、バック部１７０は、ボディ部１１０の外周に沿って又はその近傍に１つ又は複数のポートを含み得る。例えば、ボディ部１１０は、第１セットのポート２２０（例えば、ポート２２１、２２２、２２３として示される）と、第２セットのポート２３０（例えば、ポート２３１、２３２、２３３として示される）と、第３セットのポート２４０（例えば、ポート２４１、２４２として示される）とを含み得る。他のポートに対する位置、間隔、及び、第１セットのポート２２０、第２セットのポート２３０及び／又は第３セットのポート２４０の各ポートの他の構成は、参照により組み込まれる出願のいずれかに記載のゴルフクラブヘッドに多くの点で類似し得る。更に、第１セットのポート２２０、第２セットのポート２３０及び／又は第３セットのポート２４０の任意の１つ又は複数のポートは、内部キャビティ２１０に接続されてもよく、それを通じて１つ又は複数の充填材料が内部キャビティ２１０に注入され得る。図１〜図１１の例では、ポート２４２は、開口部２４３を介して内部キャビティ２１０に接続され得る。本明細書に記載の装置、方法、及び製造物は、これに限定されない。
【００６９】
第１セットのポート２２０の各ポートは、第１セットのポート２２０のいずれかのポートのポート直径よりも小さい距離だけ離され得る。第２セットのポート２３０の各ポートは、第２セットのポート２３０のいずれかのポートのポート直径よりも小さい距離だけ離され得る。第３セットのポート２４０の各ポートは、第３セットのポート２４０のいずれかのポートのポート直径よりも小さい距離だけ離され得る。第１セットのポート２２０と第２セットのポート２３０は、第１セットのポート２２０と第２セットのポート２３０のいずれかのポートのポート直径よりも実質的に大きい距離だけ離間され得る。一例では、第２セットのポート２３０と第３セットのポート２４０は、第２セットのポート２３０と第３セットのポート２４０のいずれかのポートのポート直径よりも小さい距離だけ離間され得る。別の例では、図１に示すように、第２セットのポート２３０と第３セットのポート２４０は、第２セットのポート２３０と第３セットのポート２４０のいずれかのポートのポート直径よりも実質的に大きい距離だけ離間され得る。一例では、第２セットのポート２３０と第３セットのポート２４０の間のボディ部１１０の部分は、概ね、ボール打撃領域１６８に対応又は位置合わせされてもよく、全くポートが無くてもよい。別の例（不図示）では、第２セットのポート２３０と第３セットのポート２４０は、トウ部１４０からヒール部１５０まで概ね略等しい間隔で連続的に延在し得る。本明細書に記載の装置、方法、及び製造物は、これに限定されない。
【００７０】
図面ではポートを別々な個々の部品として示しているが、第１セットのポート２２０、第２セットのポート２３０、及び第３セットのポート２４０は、それぞれ、単一のポートであり得る。一例では、第１セットのポート２２０（例えば、２２１、２２２、２２３として示される）の全てを組み合わせて単一のポート（例えば、第１のポート）にしてもよい。別の例では、第２セットのポート２３０（例えば、２３１、２３２、２３３として示される）の全てを組み合わせて単一のポート（例えば、第２のポート）にしてもよい。更に別の例では、第３セットのポート２４０（例えば、２４１、２４２として示される）の全てを組み合わせて単一のポート（例えば、第３のポート）にしてもよい。図面では特定の数のポートを示しているが、本明細書に記載の装置、方法、及び製造物は、より多い数又はより少ない数のポートを含み得る。
【００７１】
ボディ部１１０は、ボディ部１１０に結合される一体的な質量部又は別々の質量部であり得る１つ又は複数の質量部（例えば、ウェイト部）を含んでもよい。図１に示すような例では、ボディ部１１０は、第１セットの質量部３２０（例えば、質量部３２１、３２２、３２３として示される）と、第２セットの質量部３３０（例えば、質量部３３１、３３２、３３３として示される）と、第３セットの質量部３４０（例えば、質量部３４１、３４２として示される）とを含み得る。上記の例では質量部の特定の数又は部分を説明したが、参照により組み込まれる出願のいずれかに記載されたように、質量部のセットは、単一の質量部又は複数の質量部を含み得る。例えば、第１セットの質量部３２０は、単一の質量部であり得る（例えば、質量部３３１、３３２、３３３は、第１の質量部と称される単一の質量部であり得る）。同様に、第２セットの質量部３３０及び／又は第３セットの質量部３４０は、単一の質量部であり得る。更に、第１セットの質量部３２０、第２セットの質量部３３０及び／又は第３セットの質量部３４０は、ボディ部１１０の物理的構造の一部であり得る。第１セットの質量部３２０、第２セットの質量部３３０及び／又は第３セットの質量部３４０は、参照により組み込まれる出願のいずれかに記載の任意の質量部と同様であり得る。本明細書に記載の装置、方法、及び製造物は、これに限定されない。
【００７２】
ボディ部１１０は、第１の材料で作製され得る一方で、第１セットの質量部３２０、第２セットの質量部３３０及び／又は第３セットの質量部３４０の質量部は、第２の材料で作製され得る。第１セットの質量部３２０、第２セットの質量部３３０及び／又は第３セットの質量部３４０の質量部は、類似又は異なる材料であり得る。ボディ部１１０と、第１セットの質量部３２０、第２セットの質量部３３０及び／又は第３セットの質量部３４０の任意の質量部の材料は、参照により組み込まれる出願のいずれかに記載のボディ部及び任意の質量部の材料のそれぞれと同様であり得る。本明細書に記載の装置、方法、及び製造物は、これに限定されない。
【００７３】
内部キャビティ２１０は、１つ又は複数の類似又は異なるタイプの材料を含み得る１つ又は複数の充填材料（すなわち、キャビティ充填材料）で部分的又は完全に充填されてもよい。一例では、図１〜図１１に示すように、内部キャビティ２１０は、第１の充填材料４１２と第２の充填材料４１４で充填され得る。第１の充填材料４１２は、フェース部１６２のバック面１６６に結合又は取り付けられ得る。一例では、第１の充填材料４１２は、フェース部１６２のバック面１６６に取り付けるための固有の接着特性又は結合特性を有し得る。別の例では、第１の充填材料４１２は、第１の充填材料４１２と混合され得る１つ又は複数の結合剤又は接着剤でフェース部１６２のバック面１６６に取り付けられてもよい。別の例では、第１の充填材料４１２は、第１の充填材料４１２から分離され得る１つ又は複数の結合剤又は接着剤でフェース部１６２のバック面１６６に取り付けられ得る。別の例では、第１の充填材料４１２は、本明細書で説明するように第２の充填材料４１４でフェース部１６２のバック面１６６に接触した状態で維持され得る。更に別の例では、第１の充填材料４１２は、本明細書で説明するようにフェース部１６２のバック面１６６に結合されると共に、第２の充填材料４１４でフェース部１６２のバック面１６６に接触して維持され得る。第１の充填材料４１２及び／又は第２の充填材料４１４は、参照により組み込まれる出願のいずれかに記載の充填材料と同様であり得る。本明細書に記載の装置、方法、及び製造物は、これに限定されない。
【００７４】
第１の充填材料４１２は、フェース部１６２のボール打撃領域１６８に対応するフェース部１６２のバック面１６６の少なくとも一部に結合され得る。第１の充填材料４１２は、ボール打撃領域１６８を超えるフェース部１６２のバック面１６６の領域に結合され得る。一例では、第１の充填材料４１２は、フェース部１６２のバック面１６６の少なくとも１０％に結合され得る。別の例では、第１の充填材料４１２は、フェース部１６２のバック面１６６の少なくとも２５％に結合され得る。更に別の例では、第１の充填材料４１２は、フェース部１６２のバック面１６６の２５％〜５０％に結合され得る。別の例では、第１の充填材料４１２は、フェース部１６２のバック面１６６の３５％〜７５％に結合され得る。更に別の例では、第１の充填材料４１２は、フェース部１６２のバック面１６６の５０％〜９０％に結合され得る。更に別の例では、第１の充填材料４１２は、フェース部１６２のバック面１６６の７５％より多くに結合され得る。更に別の例では、第１の充填材料４１２は、内部キャビティ２１０に露出されたフェース部１６２のバック面１６６の全体（例えば、１００％）に結合され得る。フェース部１６２のバック面１６６に結合され得る第１の充填材料４１２の量は、ゴルフクラブヘッドのロフト角、フェース部１６２の全体の厚さ、フェース部１６２の厚さプロファイル、内部キャビティ２１０の形状、任意のポート又は質量部の位置及び構成、第１の充填材料４１２の材料特性、及び／又は第２の充填材料４１４の材料特性に依存してもよい。一例では、フェース部１６２のバック面１６６の比較的大きい部分は、第１の充填材料４１２がフェース部１６２に対する十分な構造的支持を提供するように、比較的薄いフェース部１６２のために第１の充填材料４１２に結合され得る。別の例では、比較的大きいロフト角を有するゴルフクラブヘッドは、第１の充填材料４１２が結合され得るフェース部１６２のバック面１６６の部分を制限してもよい。更に別の例では、ゴルフクラブヘッドの音響特性は、人に心地よい音及び感触を提供するようにフェース部のバック面１６６に結合され得る充填材料４１２の量を決定する要因であってもよい。フェース部１６２のバック面１６６に結合された第１の充填材料４１２の量は、（ｉ）振動減衰又は音響減衰（例えば、ゴルフクラブヘッド１００を使用する人によって知覚されるような、ゴルフクラブヘッド１００でゴルフボールを打つときの一貫した及び／又は心地よい音及び感触）を提供することができ、（ｉｉ）フェース部１６２に構造的支持を提供することができ、及び／又は（ｉｉｉ）ボール移動距離、ボール速度、ボール打ち出し角度、ボールスピンレート、ボールピーク高さ、ボール着地角度及び／又はボールばらつきを最適化することができる。本明細書に記載の装置、方法、及び製造物は、これに限定されない。
【００７５】
第１の充填材料４１２の幅４２２（ＷF1）は、トウ部１４０からヒール部１５０まで、及び／又はトップ部１８０からソール部１９０までで変化し得る。第１の充填材料４１２の幅４２２は、トウ部１４０からヒール部１５０まで、及び／又はトップ部１８０からソール部１９０までで一定又は実質的に一定であり得る。第１の充填材料４１２の幅４２２は、内部キャビティ２１０の１つ又は複数の位置で一定又は実質的に一定であってもよく、内部キャビティ２１０の特定の他の位置で変化してもよい。一例では、図１〜図１１に示すように、第１の充填材料４１２の幅４２２は、内部キャビティ２１０の内壁２１２の全て又は一部の輪郭と同様又は実質的に同様に（すなわち、内部キャビティ２１０の内壁２１２の形状と同様又は実質的に同様に）、内部キャビティ２１０の１つ又は複数の位置で変化し得る。従って、内部キャビティ２１０内の、及び／又はフェース部１６２に結合された第１の充填材料４１２の量は、第１の充填材料４１２と内部キャビティ２１０の内壁２１２との間に、本明細書に更に記載の特定のギャップを維持しながら最大化され得る。別の例では、フェース部１６２のボール打撃領域１６８及び／又はその周りの第１の充填材料４１２は、（ｉ）振動減衰又は音響減衰（例えば、ゴルフクラブヘッド１００を使用する人によって知覚されるような、ゴルフクラブヘッド１００でゴルフボールを打つときの一貫した及び／又は心地よい音及び感触）を提供することができ、（ｉｉ）フェース部１６２に構造的支持を提供することができ、及び／又は（ｉｉｉ）ボール移動距離、ボール速度、ボール打ち出し角度、ボールスピンレート、ボールピーク高さ、ボール着地角度及び／又はボールばらつきを最適化することができる。第１の充填材料４１２の幅４２２は、比較的高い又は最適な反発係数（ＣＯＲ）がゴルフクラブヘッド１００に提供されるように、ボール打撃領域１６８及び／又は内部キャビティ２１０の他の領域で決定され得る。本明細書に記載の装置、方法、及び製造物は、これに限定されない。
【００７６】
一例では、図１〜図１１に示すように、第１の充填材料４１２と内部キャビティ２１０の内壁２１２との間の距離は、ギャップ４２４を画定し得る。ギャップ４２４のサイズは、本明細書で説明するように第１の充填材料４１２の形状、内部キャビティ２１０の内壁２１２の形状、内部キャビティ２１０に接続され得る１つ又は複数のポートの位置、１つ又は複数の一体的な及び／又は取り外し可能な質量部の位置、及び／又は他の要因と同様又は実質的に同様に、一定であってもよく、内部キャビティ２１０内で変化してもよい。内部キャビティ２１０の特定の位置では、ギャップ４２４のサイズは可能な限り小さくてもよいが、第１の充填材料４１２と内部キャビティ２１０の内壁２１２との間に第２の充填材料４１４を収容するのに十分なスペースを提供する。一例では、ギャップは、第１の充填材料４１２と第２の充填材料４１４でゴルフクラブヘッドを製造した結果であり得る。
【００７７】
一例では、ギャップ４２４は、０．００１インチ（０．００３ｃｍ）以上且つ０．２インチ（０．５０８ｃｍ）以下であり得る。別の例では、ギャップ４２４は、０．００７インチ（０．１８ｃｍ）以上且つ０．１インチ（０．２５４ｃｍ）以下であり得る。別の例では、ギャップ４２４は、０．０１５インチ（０．０３８ｃｍ）以上且つ０．０５インチ（０．１２７ｃｍ）以下であり得る。更に別の例では、ギャップ４２４は、０．００３インチ（０．００８ｃｍ）以上且つ０．２５インチ（０．６３５ｃｍ）以下であり得る。本明細書に記載の装置、方法、及び製造物は、これに限定されない。
【００７８】
本明細書で説明するように、第１の充填材料４１２の幅４２２は、内部キャビティ２１０の内壁２１２の形状と同様又は実質的に同様に変化し得る。従って、一例では、ギャップ４２４の幅の変動（Ｗｇ）は、以下の式によって表され得る。
【数１】
2021506535.tif 000003
ここで、Ｗｇmax はＷｇの最大値であり、Ｗｇmin はＷｇの最小値であり、１＜Ｒｇ≦５である。
【００７９】
一例では、第１の充填材料４１２の幅４２２が内部キャビティ２１０の内壁２１２の形状と同様又は実質的に同様に変化するので、Ｒｇは２以下であり得る。別の例では、Ｒｇは３以下であり得る。従って、ギャップ４２４の最大幅（Ｗｇmax ）は、ギャップ４２４の最小幅（Ｗｇmin ）の３倍以下であり得る。更に別の例では、Ｒｇは４以下であり得る。従って、ギャップ４２４の最大幅（Ｗｇmax ）は、ギャップ４２４の最小幅（Ｗｇmin ）の４倍以下であり得る。ギャップ４２４の変化は、第１の充填材料４１２の形状が内部キャビティ２１０の内壁２１２の輪郭（すなわち、内部キャビティ２１０の内壁の形状）と同様又は実質的に同様に変化し得るように、小さくてもよい。上記の例ではＷｇmax とＷｇmin の特定の比率を説明したが、本明細書に記載の装置、方法、及び製造物は、より大きいＷｇmax とＷｇmin の比率を含み得る。本明細書に記載の装置、方法、及び製造物は、これに限定されない。
【００８０】
フェース部１６２のバック面１６６は、本明細書で説明するようにボディ部１１０の外周エッジ部１６１に取り付けられ得る外周部１６７を含んでもよい。従って、フェース部１６２のバック面１６６は、内部キャビティ２１０に露出された内面部１６９を含み得る。内面部１６０はまた、内部キャビティ２１０の境界（すなわち、内部キャビティ２１０のフロント境界）を画定し得る。一例（不図示）では、第１の充填材料４１２は、フェース部１６２の内面部１６９の全体に結合され得る。別の例では、図１〜図１１に示すように、第１の充填材料４１２は、フェース部１６２の内面部１６９の一部に結合され得る。従って、第１の充填材料４１２は、フェース部１６２の内面部１６９に取り付けられた正面領域４１３を含み得る。一例では、第１の充填材料４１２の正面領域４１３（フェース部１６２に取り付けられた第１の充填材料４１２のフロント面の面積）（ＦＡm ）とフェース部１６２の内面部１６９の面積（ＢＡf  ）との関係は、以下の式によって表され得る。
【数２】
2021506535.tif 000004
ここで、ＦＡm は第１の充填材料４１２の正面領域４１３であり、ＢＡf はフェース部１６２の内面部１６９の面積であり、αはフェース部１６２のロフト角であり、−０．００３≦Ａ1 ≦０．００１であり、０．４≦Ａ2 ≦０．８５である。
【００８１】
本明細書で使用されるロフト角αは、５番アイアンゴルフクラブ、７番アイアンゴルフクラブなどのアイアン系ゴルフクラブ、又はウェッジ系ゴルフクラブのタイプに関連付けられ得る。例えば、５番アイアンゴルフクラブヘッドは、２５°±２°のロフト角αを有し得る。別の例では、７番アイアンゴルフクラブヘッドは、３１°±２°のロフト角αを有し得る。更に別の例では、ウェッジ系ゴルフクラブヘッドは、５°±２°のロフト角αを有し得る。従って、本明細書に表す任意のロフト角は、同じタイプのアイアンゴルフクラブヘッドで±２°変化し得る。上記の例では特定のアイアン系ゴルフクラブヘッドを説明したが、本明細書に記載の装置、方法、及び製造物は、ドライバー系ゴルフクラブヘッド、フェアウェイウッド系ゴルフクラブヘッド、ハイブリッド系ゴルフクラブヘッド、パター系ゴルフクラブヘッド、又は他のタイプのゴルフクラブヘッドを含み得る。更に、上記の例では特定のロフト角を説明したが、本明細書に記載の装置、方法、及び製造物は、より大きい又はより小さいロフト角を含み得る。本明細書に記載の装置、方法、及び製造物は、これに限定されない。
【００８２】
係数Ａ1 とＡ2 の上限値及び下限値は、フェース部１６２の内面部１６９の面積に対する第１の充填材料４１２の正面領域４１３の比率の上方境界及び下方境界を画定し得る。一例では、式（２）に従い、且つ、係数Ａ1 の値を−０．００１８と仮定すると、アイアン系ゴルフクラブヘッドのセットのフェース部１６２の内面部１６９の面積に対する第１の充填材料４１２の正面領域４１３の比率の上方境界及び下方境界は、表１に示すように決定され得る。
【表１】
2021506535.tif 000005
【００８３】
ゴルフクラブヘッドのロフト角は、ゴルフクラブヘッドの構造的構成を決定し得る。従って、異なるロフト角を有するゴルフクラブヘッドは、異なる内部キャビティ形状、ポート位置、質量部位置、充填材料体積、異なるＣＧ位置、異なるサイズのフェース部、又は異なるゴルフクラブヘッド断面形状を有し得る。一例では、比較的大きいロフト角を有するゴルフクラブヘッドは、より小さいロフト角を有するゴルフクラブヘッドよりも概ね小さいキャビティ幅プロファイルを有し得る。従って、比較的大きいロフト角を有するゴルフクラブヘッドのＦＡm ／ＢＡf の値は、本明細書で説明するように各ゴルフクラブヘッドの内部キャビティに提供され得る充填材料の量の相違により、より小さいロフト角を有するゴルフクラブヘッドよりも概ね小さてもよい。本明細書に記載の装置、方法、及び製造物は、これに限定されない。
【００８４】
別の例では、第１の充填材料４１２の体積と内部キャビティ２１０の体積（Ｖm ）との関係は、以下の式によって表され得る。
【数３】
2021506535.tif 000006
ここで、Ｖm は第１の充填材料４１２の体積であり、Ｖc は内部キャビティ２１０の体積であり、αはロフト角であり、−０．００１≦Ｂ1 ≦０．００１であり、０．３≦Ｂ2 ≦０．６５である。
【００８５】
係数Ｂ1 とＢ2 の上方境界値及び下方境界値は、内部キャビティ２１０の体積に対する第１の充填材料４１２の体積の比率の上方境界及び下方境界を画定し得る。一例では、式（３）に従い、且つ、係数Ｂ1 の値を−０．００１５と仮定すると、アイアン系ゴルフクラブヘッドのセットの内部キャビティ２１０の体積に対する第１の充填材料４１２の体積の比率の上方境界及び下方境界は、表２に示すように決定され得る。
【表２】
2021506535.tif 000007
【００８６】
本明細書で論ずるように、異なるロフト角を有するゴルフクラブヘッドは、異なる内部キャビティ形状、ポート位置、質量部位置、充填材料体積、異なるＣＧ位置、異なるサイズのフェース部、又は異なるゴルフクラブヘッド断面形状を有し得る。一例では、比較的大きいロフト角を有するゴルフクラブヘッドは、より小さいロフト角を有するゴルフクラブヘッドよりも概ね小さいキャビティ幅プロファイルを有し得る。従って、比較的大きいロフト角を有するゴルフクラブヘッドのＶm ／Ｖc の値は、本明細書で説明するように各ゴルフクラブヘッドの内部キャビティに提供され得る充填材料の量の相違により、より小さいロフト角を有するゴルフクラブヘッドよりも概ね小さくてもよい。本明細書に記載の装置、方法、及び製造物は、これに限定されない。
【００８７】
係数Ａ1 、Ａ2 、Ｂ1 、Ｂ2 の本明細書で定義される各係数の境界内の値は、本明細書で説明するように第１の充填材料４１２と内部キャビティ２１０の内壁との間の特定のギャップ又は特定の外周ギャップを維持してもよく、及び／又はボール打撃領域１６８又はその近傍の第１の充填材料４１２の幅４２２を最適化又は最大化してもよい。更に、係数Ａ1 、Ａ2 、Ｂ1 、Ｂ2 の値は、ゴルフクラブヘッドの特定の内部構成又は構造に基づいて本明細書で定義される各係数の境界内で変化し得る。例えば、図９に示すように、内部キャビティ２１０の特定の領域の幅は、第１の充填材料４１２と第２の充填材料４１４の両方を含むのに十分に大きくなくてもよい。図６に示すように、ポート２２２とフェース部１６２の間の内部キャビティ２１０の領域は、第２の充填材料４１４のみを含み得る。従って、図６に示すように、ポート２２２とフェース部１６２の間の内部キャビティ２１０の領域に第１の充填材料が存在しないことは、フェース部１６２の内面部１６９の面積に対する第１の充填材料４１２の正面領域の比率、及び／又は内部キャビティ２１０の体積に対する第１の充填材料４１２の体積の比率の上方境界と下方境界の両方に影響を及ぼし得る。別の例では、図２及び図３に示すように、フェース部１６２の内面部１６９の面積に対する第１の充填材料４１２の正面領域４１３の比率、及び／又は内部キャビティ２１０の体積に対する第１の充填材料４１２の体積の比率は、第２の充填材料４１４を収容するのに十分なギャップ４２４を維持しながら、ボール打撃領域１６８での第１の充填材料４１２の幅が最大化するように決定され得る。本明細書に記載の装置、方法、及び製造物は、これに限定されない。
【００８８】
本明細書で説明するように、一例では、第１の充填材料４１２は、フェース部１６２の内面部１６９の全体に取り付けられなくてもよい。従って、第１の充填材料４１２と外周エッジ部１６１（又はフェース部の外周部１６７）は、外周ギャップ４２５によって離間され得る。外周ギャップ４２５は、１つ又は複数のゴルフクラブヘッドの設計及び製造上の考慮事項により、ギャップ４２４より大きくてもよい。例えば、ボディ部１１０の外周エッジ部１６１にフェース部１６２の外周部１６７を取り付けるための本明細書で説明するような任意の溶接又は半田付けプロセスからの熱で、フェース部１６２の外周部１６７又はその近傍の第１の充填材料４１２のダメージ、シフト、移動、フェース部１６２からの分離、及び／又は他の材料特性の変化（例えば、溶融）が生じないように、外周ギャップ４２５は、十分に大きい必要があり得る。従って、例えば、図８及び図９に示すように、外周ギャップ４２５は、ギャップ４２４より大きくてもよい。別の例では、図９に示すように、外周エッジ部１６１又はその近傍の内部キャビティ２１０の部分は、第１の充填材料４１２と第２の充填材料４１４の両方を含むのに十分に広くなくてもよい。従って、外周ギャップ４２５は、ギャップ４２４より実質的に大きくてもよい。このため、ギャップ４２４は第１の充填材料４１２が内部キャビティ２１０の内壁２１２の輪郭に沿うように構成され得るが、外周ギャップ４２５は内部キャビティ２１０の位置又は領域に応じてギャップ４２５と同じでもよく、より大きくてもよく、又は実質的に大きくてもよい。一例では、外周ギャップ４２５とギャップ４２４との関係は、以下の式によって表され得る。
【数４】
2021506535.tif 000008
ここで、ＷｇPRは外周ギャップ４２５の幅であり、Ｗｇmin はギャップ４２４の最小幅である。
【００８９】
第１の充填材料４１２は、比較的高い反発係数（ＣＯＲ）を有するポリマー材料を含み得る。第１の充填材料４１２のＣＯＲは、第１の充填材料４１２のゴルフボールサイズのサンプルを空気大砲からスチール板に向かって発射することで決定され得る。大砲と板の間の既知の位置にある２つのスクリーンが、サンプルの進入速度及び反発速度の測定に使用され得る。次に、サンプルのＣＯＲが、反発速度を進入速度で除算して計算され得る。一例では、第１の充填材料４１２は、１２５ｆｔ／ｓ（３８．１ｍ／ｓ）の進入速度で０．７以上のＣＯＲを有し得る。別の例では、第１の充填材料４１２は、１２５ｆｔ／ｓ（３８．１ｍ／ｓ）の進入速度で０．７５以上のＣＯＲを有し得る。更に別の例では、第１の充填材料４１２は、１２５ｆｔ／ｓ（３８．１ｍ／ｓ）の進入速度で０．７以上且つ０．９以下のＣＯＲを有し得る。本明細書に記載の装置、方法、及び製造物は、これに限定されない。
【００９０】
ゴルフボールサイズのサンプルの圧縮は、ゴルフボールサイズのサンプルのＣＯＲに関連し得る。圧縮とは、ゴルフボールサイズのサンプルが負荷の下でどれだけ変形（圧縮）するかを測定したものである。圧縮率が比較的低い場合は柔らかい充填材料であることを示す一方で、圧縮率が比較的高い場合は硬い充填材料であることを示す。圧縮は、ニュージャージー州ユニオンシティのＡＴＴＩ  Ｅｎｇｉｎｅｅｒｉｎｇ社製のＡＴＴＩ圧縮ゲージを使用して測定され得る。一例では、第１の充填材料４１２のＣＯＲは、２２以上の圧縮で０．７５以上であり得る。別の例では、第１の充填材料４１２のＣＯＲは、２以上の圧縮で０．７８以上であり、８０以下の圧縮で０．８以下であり得る。更に別の例では、第１の充填材料４１２のＣＯＲは、３２以上の圧縮で０．７８以上であり、９０以下の圧縮で０．９以下であり得る。本明細書に記載の装置、方法、及び製造物は、これに限定されない。
【００９１】
一例では、第１の充填材料４１２は、１．１ｇ／ｃｍ3 以上且つ１．３ｇ／ｃｍ3 以下の密度を有するポリマー材料であり得る。別の例では、第１の充填材料４１２は、１．１５ｇ／ｃｍ3 以上且つ１．２５ｇ／ｃｍ3 以下の密度を有するポリマー材料であり得る。更に別の例では、第１の充填材料４１２は、１．１ｇ／ｃｍ3 以上且つ１．２ｇ／ｃｍ3 以下の密度を有するポリマー材料であり得る。本明細書に記載の装置、方法、及び製造物は、これに限定されない。
【００９２】
一例では、第１の充填材料４１２は、本明細書に記載のＣＯＲ及び圧縮範囲を提供し得るゴム又はゴム化合物を含むポリマー材料であってもよい。一例では、第１の充填材料４１２は、ゴムと、本明細書で説明するような特定の範囲内に圧縮率を維持しながら第１の充填材料４１２のＣＯＲを最大化するように第１の充填材料４１２の柔らかさ又は硬さの増加を提供し得る少なくとも別の化合物とを含んでもよい。一例では、第１の充填材料４１２は、ゴムと、第１の充填材料４１２の圧縮値及び第１の充填材料４１２のＣＯＲを増加させ得るジアクリル酸亜鉛（ＺＤＡ）とを含んでもよい。第１の充填材料４１２中のジアクリル酸亜鉛（ＺＤＡ）の量は、本明細書で説明するように特定のＣＯＲ及び／又は圧縮値を達成するために変化し得る。本明細書に記載の装置、方法、及び製造物は、これに限定されない。
【００９３】
フェース部１６２のバック面１６６に第１の充填材料４１２を結合するための接着剤は、フェース部１６２の材料に第１の充填材料４１２を結合できる任意のタイプの接着剤であり得る。一例では、第１の充填材料４１２は、ゴム又はゴム化合物であってもよく、フェース部１６２は、ステンレス鋼などのスチール系材料から構成されてもよい。従って、フェース部１６２のバック面１６６に第１の充填材料４１２を結合するための接着剤は、ゴム又はゴム化合物にスチール系材料を結合するのに使用されるタイプの接着剤であり得る。別の例では、第１の充填材料４１２は、ゴム又はゴム化合物であってもよく、フェース部１６２は、チタン又はチタン合金から構成されてもよい。従って、フェース部１６２のバック面１６６に第１の充填材料４１２を結合するための接着剤は、ゴム又はゴム化合物にチタン系材料を結合するのに使用されるタイプの接着剤であり得る。ボディ部１１０、フェース部１６２、及び／又は第２の充填材料４１４の任意の部分への第１の充填材料４１２の結合と、ボディ部１１０、フェース部１６２、及び／又は第１の充填材料４１２の任意の部分への第２の充填材料４１４の結合は、参照により組み込まれる出願のいずれかに記載の任意の結合特性及び手順と同様であり得る。本明細書に記載の装置、方法、及び製造物は、これに限定されない。
【００９４】
一例（不図示）では、内部キャビティ２１０は、第１の充填材料４１２で完全に充填され得る。別の例では、図１〜図１１に示しつつ本明細書で説明するように、内部キャビティ２１０は、第１の充填材料４１２と内部キャビティ２１０の内壁２１２との間のギャップ４２４を画定するように、第１の充填材料４１２で部分的に充填され得る。従って、第１の内部キャビティ２１０の残りの部分は、第２の充填材料４１４で充填され得る。本明細書で説明するように、第２の充填材料４１４は、第１の充填材料４１２とフェース部１６２との結合を（例えば、単独で、又は、１つ又は複数の接着剤と組み合わせて）提供又は支援し得る。換言すると、第１の充填材料４１２は、第２の充填材料４１４によってフェース部１６２のバック面１６６に対して維持され得る。本明細書に記載の装置、方法、及び製造物は、これに限定されない。
【００９５】
第２の充填材料４１４は、フェース部１６２からゴルフボールへのエネルギー伝達を最適化するように、密度、圧縮、硬度（すなわち、デュロメータ）、引張強度、せん断強度、粘度、弾性などの第１の充填材料４１２とは異なる特性を有し得る。第２の充填材料は、ポリマー材料であり得る。一例では、第２の充填材料は、衝撃を吸収、振動を分離、及び／又はノイズを減衰し得る、弾性ポリマー又はエラストマー材料（例えば、オハイオ州ケントのＳｏｒｂｏｔｈａｎｅ社製のＳｏｒｂｏｔｈａｎｅ（登録商標）材料のような粘弾性ウレタンポリマー材料）、熱可塑性エラストマー材料（ＴＰＥ）、熱可塑性ポリウレタン材料（ＴＰＵ）、他のポリマー材料、結合剤（例えば、接着剤）、及び／又は他の適切なタイプの材料を含んでもよい。別の例では、第２の充填材料４１４は、結合特性を有する１つ又は複数の熱硬化性ポリマー（例えば、１つ又は複数の接着剤又はエポキシ材料）であり得る。第２の充填材料４１４はまた、ゴルフクラブヘッド１００でゴルフボールを打つときの衝撃を吸収、振動を分離、及び／又はノイズを減衰し得る。更に、第２の充填材料４１４は、硬化したときに柔軟性又は少しの柔軟性があり得るエポキシ材料であってもよい。別の例では、第２の充填材料４１４は、ミネソタ州セントポールの３Ｍ  ｃｏｒｐｏｒａｔｉｏｎ社製の３ＭTM  Ｓｃｏｔｃｈ−ＷｅｌｄTM  ＤＰ１００ファミリーのエポキシ接着剤（例えば、３ＭTM  Ｓｃｏｔｃｈ−ＷｅｌｄTM  エポキシ接着剤ＤＰ１００、ＤＰ１００  Ｐｌｕｓ、ＤＰ１００ＮＳ、ＤＰ１００ＦＲ）のいずれかを含み得る。別の例では、充填材料は、３ＭTM  Ｓｃｏｔｃｈ−ＷｅｌｄTM  ＤＰ１００  Ｐｌｕｓ  Ｃｌｅａｒ接着剤を含み得る。別の例では、充填材料は、ミシガン州オーバーンヒルズのＤｏｗ  Ｃｈｅｍｉｃａｌ  Ｃｏｍｐａｎｙ社製の材料であるＭＥＧＵＭTM、ＲＯＢＯＮＤTM、及び／又はＴＨＩＸＯＮTMのような、低粘度有機溶剤型の溶液及び／又はポリマーと他の反応性化学物質の分散液を含み得る。更に別の例では、充填材料は、コネチカット州ロッキーヒルのＨｅｎｋｅｌ  Ｃｏｒｐｏｒａｔｉｏｎ社製のＬＯＣＴＩＴＥ（登録商標）であり得る。本明細書に記載の装置、方法、及び製造物は、これに限定されない。
【００９６】
本明細書で説明するように、第１の充填材料４１２及び／又は第２の充填材料４１４は、振動減衰又は音響減衰（例えば、ゴルフクラブヘッド１００を使用する人によって知覚されるような、ゴルフクラブヘッド１００でゴルフボールを打つときの一貫した及び／又は心地よい音及び感触）を提供することができ、フェース部１６２に構造的支持を提供することができ、及び／又はボール移動距離、ボール速度、ボール打ち出し角度、ボールスピンレート、ボールピーク高さ、ボール着地角度及び／又はボールばらつきを最適化することができる。第１の充填材料４１２、第２の充填材料４１４、又はその両方は、本明細書に記載の特性及び特徴を提供し得る一方で、第１の充填材料４１２の質量、第２の充填材料４１４の質量、又はボディ部１１０の質量に対する両方の質量は、ゴルフクラブヘッド１００の質量、質量分布、ＣＧ、ＭＯＩ特性、構造的完全性、及び／又は他の静的又は動的特性に最適に影響を及ぼし得る。一例では、第１の充填材料４１２の質量（ｍm1）、第２の充填材料４１４の質量（ｍm2）、及びボディ部１１０の質量（ｍb ）は、以下の式によって表され得る。
【数５】
2021506535.tif 000009
ここで、ｍm1は第１の充填材料４１２の質量であり、ｍm2は第２の充填材料４１４の質量であり、ｍb はボディ部１１０の質量であり、αはロフト角であり、−０．００１≦Ｃ1 ≦０．００１であり、０．１≦Ｃ2 ≦０．２である。
【００９７】
本明細書で定義される係数Ｃ1 及びＣ2 の上限値及び下限値は、ボディ部１１０の質量に対する第１の充填材料４１２と第２の充填材料４１４の質量の合計の比率（すなわち、（ｍm1＋ｍm2）／ｍb ）の上方境界及び下方境界を提供し得る。一例では、式（５）に従い、且つ、係数Ｃ1 の値を−０．００１６と仮定すると、アイアン系ゴルフクラブヘッドのセットのボディ部１１の質量に対する第１の充填材料４１２と第２の充填材料４１４の質量の合計の比率の上方境界及び下方境界は、表３に示すように決定され得る。
【表３】
2021506535.tif 000010
【００９８】
係数Ｃ1 、Ｃ2の本明細書で定義される各係数の境界内の値は、（ｉ）振動減衰又は音響減衰（例えば、ゴルフクラブヘッド１００を使用する人によって知覚されるような、ゴルフクラブヘッド１００でゴルフボールを打つときの一貫した及び／又は心地よい音及び感触）を提供することができ、（ｉｉ）フェース部１６２に構造的支持を提供することができ、及び／又は（ｉｉｉ）ボール移動距離、ボール速度、ボール打ち出し角度、ボールスピンレート、ボールピーク高さ、ボール着地角度及び／又はボールばらつきを最適化することができる。第１の充填材料４１２及び第２の充填材料４１４は、本明細書に記載の特性及び特徴を提供し得る一方で、ボディ部１１０の質量に対する第１の充填材料４１２及び第２の充填材料４１４の質量は、ゴルフクラブヘッド１００の質量、質量分布、ＣＧ、ＭＯＩ特性、構造的完全性、及び／又は他の静的又は動的特性に最適に影響を及ぼし得る。本明細書に記載の装置、方法、及び製造物は、これに限定されない。
【００９９】
図１２は、本明細書で説明するような例示的なゴルフクラブヘッド１００を製造する方法の１つを示す。図１２の例では、プロセス１２００は、ゴルフクラブヘッド１００のボディ部１１０及びフェース部１６２を供給することで開始され得る（ブロック１２１０）。第１の充填材料４１２は、本明細書で詳細に説明するように、例えば、ゴルフクラブヘッド１００の内部キャビティ２１０の輪郭（すなわち、内部キャビティ２１０の内壁２１２の形状）に類似、非常に類似、又は概ね類似する、特定の形状に形成又は成形され得る（ブロック１２１２）。次に、成形された第１の充填材料４１２が、本明細書で説明するようにフェース部１６２のバック面１６６に取り付け又は結合され得る（ブロック１２１４）。次に、本明細書で説明するようにフェース部１６２がボディ部１１０に取りけられて、内部キャビティ２１０が形成又は封止され得る（ブロック１２１６）。次に、第２の充填材料４１４が、本明細書で説明するように内部キャビティ２１０に接続された第１セットのポート２２０、第２セットのポート２３０、及び／又は第３セットのポート２４０の１つ又は複数を通じて内部キャビティ２１０に注入されて、ギャップ４２４が充填され、内部キャビティ２１０の残りの部分が充填され、及び／又は第１の充填材料４１２が取り囲まれ得る（ブロック１２１８）。第１の充填材料４１２と内部キャビティ２１０の内壁の間の本明細書で説明するような内部キャビティ２１０の特定の位置にある比較的狭いギャップ４２４が第２の充填材料４１４で充填されるように、第２の充填材料４１４が、必要に応じて比較的高い圧力で、及び／又は必要に応じて１つより多いポートから内部キャビティ２１０に注入され得る。次に、第２の充填材料４１４が、環境温度で、又は第２の充填材料４１４に使用される材料に応じた１つ又は複数の加熱／冷却サイクルによって硬化され得る。本明細書に記載の装置、方法、及び製造物は、これに限定されない。
【０１００】
図１３〜図１５の例では、ゴルフクラブヘッド１３００は、トウ部１３４０と、ヒール部１３５０と、フロント面１３６４及びバック面１３６６を有するフェース部１３６２（例えば、打撃面）を持つフロント部１３６０と、バック部１３７０と、トップ部１３８０と、ソール部１３９０とを有するボディ部１３１０を含み得る。一例では、ボディ部１３１０は、フロント部１３６０とバック部１３７０の間に延在すると共にトップ部１３８０とソール部１３９０の間に延在する内部キャビティ１３７７を含む中空体であり得る。ゴルフクラブヘッド１３００は、本明細書に記載のゴルフクラブヘッドのいずれかに多くの点で類似し得る。例えば、ゴルフクラブヘッド１３００は、本明細書に記載のゴルフクラブヘッドのいずれかと同様の任意の数のポート及び／又は質量部を含み得る。別の例では、ゴルフクラブヘッド１３００は、本明細書に記載の任意の材料を含み得る。本明細書に記載の装置、方法、及び製造物は、これに限定されない。
【０１０１】
ゴルフクラブヘッド１３００は、内部キャビティ１３７７内に１つ又は複数の充填材料を含み得る。一例では、図１３〜図１５に示すように、ゴルフクラブヘッド１３００は、第１の充填材料１４１１と、第１の充填材料１４１１とは異なる１つ又は複数の特性（例えば、弾性、密度、硬度など）を有する第２の充填材料１４１３を含み得る。一例では、第１の充填材料１４１１は、第２の充填材料１４１３とは異なる弾性を有するポリマー材料であり得る（すなわち、第２の充填材料１４１３は、第１の充填材料１４１１より弾性的でもよく、又はその逆でもよい）。別の例では、第１の充填材料１４１１は、第２の充填材料１４１３とは異なる密度を有するポリマー材料であり得る（すなわち、第１の充填材料１４１１は、第２の充填材料１４１３より高い密度を有してもよく、又はその逆でもよい）。更に別の例では、第１の充填材料１４１１は、第２の充填材料１４１３とは異なる硬度（例えば、ショアＤ硬度）を有するポリマー材料であり得る（すなわち、第１の充填材料１４１１は、第２の充填材料１４１３より比較的高い硬度を有してもよく、又はその逆でもよい）。第１の充填材料１４１１及び第２の充填材料１４１３は、それぞれ、異なるタイプの非金属材料であり得る。一例では、第１の充填材料１４１１は熱硬化性材料を含み得る一方で、第２の充填材料１４１３は熱可塑性エラストマー材料を含み得る。別の例では、第２の充填材料１４１３は熱硬化性材料を含み得る一方で、第１の充填材料１４１１は熱可塑性エラストマー材料を含み得る。第１の充填材料１４１１及び第２の充填材料１４１３は、それぞれ、同じタイプの非金属材料だが異なる特性を含み得る。一例では、第１の充填材料１４１１は熱硬化性材料を含んでもよく、第２の充填材料１４１３は第１の充填材料１４１１とは異なる弾性を有する熱硬化性材料を含んでもよい。別の例では、第１の充填材料１４１１は熱可塑性材料を含んでもよく、第２の充填材料１４１３は第１の充填材料１４１１とは異なる弾性を有する熱可塑性材料を含んでもよい。或いは、第１の充填材料１４１１及び第２の充填材料１４１３は、それぞれ、金属材料及び／又は非金属材料を含み得る。例えば、第１の充填材料１４１１は１つ又は複数の金属系材料を含み得る一方で、第２の充填材料１４１３は１つ又は複数のポリマー材料を含み得る。更に、第１の充填材料１４１１及び／又は第２の充填材料１４１３は、本明細書に記載の任意の充填材料を含み得る。一例では、第１の充填材料１４１１は本明細書に記載の任意のエポキシ材料などのエポキシ材料であり得る一方で、第２の充填材料１４１３は本明細書に記載の任意のエラストマー材料などのエラストマー材料であり得る。一例では、第１の充填材料１４１１は本明細書に記載の任意のエポキシ材料などのエポキシ材料であり得る一方で、第２の充填材料１４１３は本明細書に記載の任意のエラストマー材料などのエラストマー材料であり得る。別の例では、第１の充填材料１４１１はゴム系の化合物であり得る一方で、第２の充填材料１４１３はエポキシ系の化合物であり得る。更に別の例では、第１の充填材料１４１１は第１の充填材料４１２と同様であり得る一方で、第２の充填材料１４１３は第２の充填材料４１４と同様であり得る。本明細書に記載の装置、方法、及び製造物は、これに限定されない。
【０１０２】
第１の充填材料１４１１は、第２の充填材料１４１３より比較的高い反発係数（ＣＯＲ）を有し得る。一例では、第１の充填材料１４１１は、１２５ｆｔ／ｓ（３８．１ｍ／ｓ）の進入速度（すなわち、本明細書に記載のＣＯＲ測定手順による進入速度）で測定したときに０．６５〜０．９３の範囲のＣＯＲを有し得る。別の例では、第１の充填材料１４１１は、１２５ｆｔ／ｓ（３８．１ｍ／ｓ）の進入速度で測定したときに０．７０〜０．８５の範囲のＣＯＲを有し得る。別の例では、第１の充填材料１４１１は、１２５ｆｔ／ｓ（３８．１ｍ／ｓ）の進入速度で測定したときに０．７５〜０．８０の範囲のＣＯＲを有し得る。別の例では、第１の充填材料１４１１は、１２５ｆｔ／ｓ（３８．１ｍ／ｓ）の進入速度で測定したときに０．６８〜０．８８の範囲のＣＯＲを有し得る。別の例では、第１の充填材料１４１１は、１２５ｆｔ／ｓ（３８．１ｍ／ｓ）の進入速度で測定したときに０．７７〜０．８５の範囲のＣＯＲを有し得る。別の例では、第１の充填材料１４１１は、１２５ｆｔ／ｓ（３８．１ｍ／ｓ）の進入速度で測定したときに０．６５〜０．８３の範囲のＣＯＲを有し得る。本明細書に記載の装置、方法、及び製造物は、これに限定されない。
【０１０３】
一例では、第２の充填材料１４１３は、１２５ｆｔ／ｓ（３８．１ｍ／ｓ）の進入速度（すなわち、本明細書に記載のＣＯＲ測定手順による進入速度）で測定したときに０．１７〜０．７５の範囲のＣＯＲを有し得る。別の例では、第２の充填材料１４１３は、１２５ｆｔ／ｓ（３８．１ｍ／ｓ）の進入速度で測定したときに０．２７〜０．６５の範囲のＣＯＲを有し得る。別の例では、第２の充填材料１４１３は、１２５ｆｔ／ｓ（３８．１ｍ／ｓ）の進入速度で測定したときに０．３２〜０．６０の範囲のＣＯＲを有し得る。別の例では、第２の充填材料１４１３は、１２５ｆｔ／ｓ（３８．１ｍ／ｓ）の進入速度で測定したときに０．３７〜０．６５の範囲のＣＯＲを有し得る。別の例では、第２の充填材料１４１３は、１２５ｆｔ／ｓ（３８．１ｍ／ｓ）の進入速度で測定したときに０．２５〜０．６２の範囲のＣＯＲを有し得る。別の例では、第２の充填材料１４１３は、１２５ｆｔ／ｓ（３８．１ｍ／ｓ）の進入速度で測定したときに０．３４〜０．７２の範囲のＣＯＲを有し得る。本明細書に記載の装置、方法、及び製造物は、これに限定されない。
【０１０４】
一例では、図１３〜図１５に示すように、第１の充填材料１４１１は、フェース部１３６２のバック面１３６６の一部に取り付け又は結合され得る。一例では、第１の充填材料１４１１は、フェース部１３６２のバック面１３６６のボール打撃領域に取り付け又は結合され得る。別の例では、第１の充填材料１４１１は、フェース部１３６２のバック面１３６６のボール打撃領域と、フェース部１３６２のバック面１３６６のボール打撃領域を取り囲む領域とに取り付け又は結合され得る。一例では、第１の充填材料１４１１の幅（すなわち、第１の充填材料１４１１の厚さ）は、フェース部１３６２の厚さより小さくてもよい。別の例では、第１の充填材料１４１１の幅は、フェース部１３６２の厚さと同様であり得る。更に別の例では、第１の充填材料１４１１の幅は、フェース部１３６２の厚さより大きくてもよい。本明細書に記載の装置、方法、及び製造物は、これに限定されない。
【０１０５】
一例では、図１３〜図１５に示すように、内部キャビティ１３７７の残りの部分は、第２の充填材料１４１３で部分的又は完全に充填され得る。第１の充填材料１４１１は、第２の充填材料１４１３がフェース部１３６２のバック面１３６６の残りの部分に取り付け又は結合されるように、第２の充填材料１４１３によって取り囲まれ得る。図１３に示すように、第２の充填材料１３３３は、フェース部１３６２のバック面１３６６に取り付け又は結合されて、第１の充填材料１４１１を取り囲むフェース部１３６２のバック面１３６６の外周部を画定し得る。例えば、図１３〜図１５に示すように、第２の充填材料１４１３は、フェース部１３６２のバック面１３６６の一部に取り付け又は結合されてトウ部１３４０又はその近傍で第１の充填材料１４１１を取り囲んでもよく、フェース部１３６２のバック面１３６６の一部に取り付け又は結合されてヒール部１３５０又はその近傍で第１の充填材料１４１１を取り囲んでもよく、フェース部１３６２のバック面１３６６の一部に取り付け又は結合されてトップ部１３８０又はその近傍で第１の充填材料１４１１を取り囲んでもよく、及び／又はフェース部１３６２のバック面１３６６の一部に取り付け又は結合されてソール部１３９０又はその近傍で第１の充填材料１４１１を取り囲んでもよい。本明細書に記載の装置、方法、及び製造物は、これに限定されない。
【０１０６】
図１６〜図１８の例では、ゴルフクラブヘッド１６００は、トウ部１６４０と、ヒール部１６５０と、フロント面１６６４及びバック面１６６６を有するフェース部１６６２（例えば、打撃面）を持つフロント部１６６０と、バック部１６７０と、トップ部１６８０と、ソール部１６９０とを有するボディ部１６１０を含み得る。一例では、ボディ部１６１０は、フロント部１６６０とバック部１６７０の間に延在すると共にトップ部１６８０とソール部１６９０の間に延在する内部キャビティ１６７７を含む中空体であり得る。ゴルフクラブヘッド１６００は、本明細書に記載のゴルフクラブヘッドのいずれかに多くの点で類似し得る。例えば、ゴルフクラブヘッド１６００は、本明細書に記載のゴルフクラブヘッドのいずれかと同様の任意の数のポート及び／又は質量部を含み得る。別の例では、ゴルフクラブヘッド１６００は、本明細書に記載の任意の材料を含み得る。本明細書に記載の装置、方法、及び製造物は、これに限定されない。
【０１０７】
ゴルフクラブヘッド１６００は、ゴルフクラブヘッド１３００の第１の充填材料１４１１及び第２の充填材料１４１３のそれぞれと同様であり得る第１の充填材料１７１１及び第２の充填材料１７１３を含んでもよい。図１６〜図１８の例では、第１の充填材料１７１１は、図１３〜図１５の例と同様にフェース部１６６２のバック面１６６６の一部に取り付け又は結合され得る。しかしながら、図１６〜図１８の例では、第１の充填材料１７１１は、フェース部１６６２のバック面１６６６からバック部１６７０のバックウォール（背面壁）１６７２のバック面１６７６まで延び得る。第１の充填材料１７１１は、バック部１６７０のバックウォール１６７２のバック面１６７６に接触又は取り付け又は接着され得る。内部キャビティ１６７７の残りの部分は、第２の充填材料１７１３で部分的又は完全に充填され得る。本明細書に記載の装置、方法、及び製造物は、これに限定されない。
【０１０８】
図１９〜図２１の例では、ゴルフクラブヘッド１９００は、トウ部１９４０と、ヒール部１９５０と、フロント面１９６４及びバック面１９６６を有するフェース部１９６２（例えば、打撃面）を持つフロント部１９６０と、バック部１９７０と、トップ部１９８０と、ソール部１９９０とを有するボディ部１９１０を含み得る。一例では、ボディ部１９１０は、フロント部１９６０とバック部１９７０の間に延在すると共にトップ部１９８０とソール部１９９０の間に延在する内部キャビティ１９７７を含む中空体であり得る。ゴルフクラブヘッド１９００は、本明細書に記載のゴルフクラブヘッドのいずれかに多くの点で類似し得る。例えば、ゴルフクラブヘッド１９００は、本明細書に記載のゴルフクラブヘッドのいずれかと同様の任意の数のポート及び／又は質量部を含み得る。別の例では、ゴルフクラブヘッド１９００は、本明細書に記載の任意の材料を含み得る。本明細書に記載の装置、方法、及び製造物は、これに限定されない。
【０１０９】
ゴルフクラブヘッド１９００は、ゴルフクラブヘッド１３００の第１の充填材料１４１１及び第２の充填材料１４１３のそれぞれと同様であり得る第１の充填材料２０１１及び第２の充填材料２０１３を含んでもよい。図１９〜図２１の例では、第１の充填材料２０１１は、フェース部１９６２のバック面１９６６の実質的な部分又は全体に取り付け又は結合され得る。一例では、第１の充填材料２０１１の幅（すなわち、第１の充填材料２０１１の厚さ）は、フェース部１９６２の厚さより小さくてもよい。別の例では、第１の充填材料２０１１の幅は、フェース部１９６２の厚さと同様であり得る。更に別の例では、第１の充填材料２０１１の幅は、フェース部１９６２の厚さより大きくてもよい。内部キャビティ１９７７の残りの部分は、第２の充填材料２０１３で部分的又は完全に充填され得る。本明細書に記載の装置、方法、及び製造物は、これに限定されない。
【０１１０】
図２２〜図２４の例では、ゴルフクラブヘッド２２００は、トウ部２２４０と、ヒール部２２５０と、フロント面２２６４及びバック面２２６６を有するフェース部２２６２（例えば、打撃面）を持つフロント部２２６０と、バック部２２７０と、トップ部２２８０と、ソール部２２９０とを有するボディ部２２１０を含み得る。一例では、ボディ部２２１０は、フロント部２２６０とバック部２２７０の間に延在すると共にトップ部２２８０とソール部２２９０の間に延在する内部キャビティ２２７７を含む中空体であり得る。ゴルフクラブヘッド２２００は、本明細書に記載のゴルフクラブヘッドのいずれかに多くの点で類似し得る。例えば、ゴルフクラブヘッド２２００は、本明細書に記載のゴルフクラブヘッドのいずれかと同様の任意の数のポート及び／又は質量部を含み得る。別の例では、ゴルフクラブヘッド２２００は、本明細書に記載の任意の材料を含み得る。本明細書に記載の装置、方法、及び製造物は、これに限定されない。
【０１１１】
ゴルフクラブヘッド２２００は、ゴルフクラブヘッド１３００の第１の充填材料１４１１及び第２の充填材料１４１３のそれぞれと同様であり得る第１の充填材料２３１１及び第２の充填材料２３１３を含んでもよい。図２２〜図２４の例では、ボディ部２２１０の水平中央平面２２８３の上側の内部キャビティ２２７７の部分が第１の充填材料２３１１で部分的又は完全に充填され、水平中央平面２２８３の下側の内部キャビティ２２７７の部分が第２の充填材料２３１３で部分的又は完全に充填され得る。一例では、第１の充填材料２３１１と第２の充填材料２３１３は、水平中央平面２２８３又はその近傍で、互いに接触し、一緒に取り付けられ、又は一緒に結合され得る。別の例では、第１の充填材料２３１１と第２の充填材料２３１３は、水平中央平面２２８３の上側で、互いに接触し、一緒に取り付けられ、又は一緒に結合され得る。従って、水平中央平面２２８３の上側の位置からソール部２２９０までの内部キャビティ２２７７の部分が第２の充填材料２３１３で充填され、内部キャビティ２２７７の残りの部分が第１の充填材料２３１１で充填され得る。更に別の例では、図２２〜図２４に示すように、第１の充填材料２３１１と第２の充填材料２３１３は、水平中央平面２２８３の下側で、互いに接触し、一緒に取り付けられ、又は一緒に結合され得る。従って、水平中央平面２２８３の下側の位置からソール部２２９０までの内部キャビティ２２７７の部分が第２の充填材料２３１３で充填され、内部キャビティ２２７７の残りの部分が第１の充填材料２３１１で充填され得る。更に別の例では、第１の充填材料２３１１と第２の充填材料２３１３は、トウ部２２４０とヒール部２２５０の間に延在すると共に水平中央平面２２８３に直交する領域（すなわち、水平中央平面に対してゼロ以外の角度に向いた領域）に沿って、互いに接触し、一緒に取り付けられ、又は一緒に結合され得る。本明細書に記載の装置、方法、及び製造物は、これに限定されない。
【０１１２】
図２５〜図２７の例では、ゴルフクラブヘッド２５００は、トウ部２５４０と、ヒール部２５５０と、フロント面２５６４及びバック面２５６６を有するフェース部２５６２（例えば、打撃面）を持つフロント部２５６０と、バック部２５７０と、トップ部２５８０と、ソール部２５９０とを有するボディ部２５１０を含み得る。一例では、ボディ部２５１０は、フロント部２５６０とバック部２５７０の間に延在すると共にトップ部２５８０とソール部２５９０の間に延在する内部キャビティ２５７７を含む中空体であり得る。ゴルフクラブヘッド２５００は、本明細書に記載のゴルフクラブヘッドのいずれかに多くの点で類似し得る。例えば、ゴルフクラブヘッド２５００は、本明細書に記載のゴルフクラブヘッドのいずれかと同様の任意の数のポート及び／又は質量部を含み得る。別の例では、ゴルフクラブヘッド２５００は、本明細書に記載の任意の材料を含み得る。本明細書に記載の装置、方法、及び製造物は、これに限定されない。
【０１１３】
ゴルフクラブヘッド２５００は、ゴルフクラブヘッド１３００の第１の充填材料１４１１及び第２の充填材料１４１３のそれぞれと同様であり得る第１の充填材料２６１１及び第２の充填材料２６１３を含んでもよい。図２５〜図２７の例では、ボディ部２５１０の水平中央平面２５８３の下側の内部キャビティ２５７７の部分が第１の充填材料２６１１で部分的又は完全に充填され、水平中央平面２２８３の上側の内部キャビティ２５７７の部分が第２の充填材料２６１３で部分的又は完全に充填され得る。一例では、第１の充填材料２６１１と第２の充填材料２６１３は、水平中央平面２５８３又はその近傍で、互いに接触し、一緒に取り付けられ、又は一緒に結合され得る。別の例では、第１の充填材料２６１１と第２の充填材料２６１３は、水平中央平面２５８３の上側で、互いに接触し、一緒に取り付けられ、又は一緒に結合され得る。従って、水平中央平面２５８３の上側の位置からソール部２５９０までの内部キャビティ２５７７の部分が第１の充填材料２６１１で充填され、内部キャビティ２５７７の残りの部分が第２の充填材料２６１３で充填され得る。更に別の例では、図２５〜図２７に示すように、第１の充填材料２６１１と第２の充填材料２６１３は、水平中央平面２５８３の下側で、互いに接触し、一緒に取り付けられ、又は一緒に結合され得る。従って、水平中央平面２５８３の下側の位置からソール部２５９０までの内部キャビティ２５７７の部分が第１の充填材料２６１１で充填され、内部キャビティ２５７７の残りの部分が第２の充填材料２６１３で充填され得る。更に別の例では、第１の充填材料２６１１と第２の充填材料２６１３は、トウ部２５４０とヒール部２５５０の間に延在すると共に水平中央平面２５８３に直交する領域（すなわち、水平中央平面に対してゼロ以外の角度に向いた領域）に沿って、一緒に取り付け又は結合され得る。本明細書に記載の装置、方法、及び製造物は、これに限定されない。
【０１１４】
図２８〜図３０の例では、ゴルフクラブヘッド２８００は、トウ部２８４０と、ヒール部２８５０と、フロント面２８６４及びバック面２８６６を有するフェース部２８６２（例えば、打撃面）を持つフロント部２８６０と、バック部２８７０と、トップ部２８８０と、ソール部２８９０とを有するボディ部２８１０を含み得る。一例では、ボディ部２８１０は、フロント部２８６０とバック部２８７０の間に延在すると共にトップ部２８８０とソール部２８９０の間に延在する内部キャビティ２８７７を含む中空体であり得る。ゴルフクラブヘッド２８００は、本明細書に記載のゴルフクラブヘッドのいずれかに多くの点で類似し得る。例えば、ゴルフクラブヘッド２８００は、本明細書に記載のゴルフクラブヘッドのいずれかと同様の任意の数のポート及び／又は質量部を含み得る。別の例では、ゴルフクラブヘッド２８００は、本明細書に記載の任意の材料を含み得る。本明細書に記載の装置、方法、及び製造物は、これに限定されない。
【０１１５】
ゴルフクラブヘッド２８００は、ゴルフクラブヘッド１３００の第１の充填材料１４１１及び第２の充填材料１４１３のそれぞれと同様であり得る第１の充填材料２９１１及び第２の充填材料２９１３を含んでもよい。図２８〜図３０の例では、ボディ部２８１０とフェース部２８６２によって画定される内部キャビティ２８７７の任意の境界から離間された内部キャビティ２８７７の部分が第１の充填材料２９１１で充填され、内部キャビティ２８７７の残りの部分が第２の充填材料２９１３で部分的又は完全に充填され得る。換言すれば、第１の充填材料２９１１は、第２の充填材料２９１３によって完全に囲まれて内部キャビティ２８７７内に保留され得る。第１の充填材料２９１１で充填された内部キャビティ２８７７の部分は、フェース部２８６２のボール打撃領域と同様のサイズ及び／又は形状であり、バック部２８７０よりフェース部２８６２の近傍に配置され得る。本明細書に記載の装置、方法、及び製造物は、これに限定されない。
【０１１６】
一例では、本明細書で説明するように、１つ又は複数のポリマー材料が、本明細書に記載の任意のゴルフクラブヘッドのボディ部内に射出成型され得る。他の例では、１つ又は複数のポリマー材料が、ポリマーを形成するための任意の有用な形成手段によって作製又は形成され得る。これには、圧縮成形、射出成型、ブロー成型、トランスファー成形などの成形；フィルムブロー（ｆｉｌｍ  ｂｌｏｗｉｎｇ）又はキャスティング（ｃａｓｔｉｎｇ）；押し出し成形（ｅｘｔｒｕｓｉｏｎ）及び熱成形（ｔｈｅｒｍｏｆｏｒｍｉｎｇ）；積層成形（ｌａｍｉｎａｔｉｏｎ）、引き抜き成形（ｐｕｌｔｒｕｓｉｏｎ）、突き出し成形（ｐｒｏｔｒｕｓｉｏｎ）、絞り成形（ｄｒａｗ  ｒｅｄｕｃｔｉｏｎ）、回転成形（ｒｏｔａｔｉｏｎａｌ  ｍｏｌｄｉｎｇ）、スピンボンディング（ｓｐｉｎ  ｂｏｎｄｉｎｇ）、メルトスピニング（ｍｅｌｔ  ｓｐｉｎｎｉｎｇ）、メルトブロー（ｍｅｌｔ  ｂｌｏｗｉｎｇ）；又はこれらの組み合わせが含まれる。別の例では、本明細書に記載の１つ又は複数のポリマー材料は、内部キャビティに配置されて熱で膨張及び／又は硬化され得る小球（ｐｅｌｌｅｔ）又は固体片であってもよい。本明細書に記載の装置、方法、及び製造物は、これに限定されない。
【０１１７】
本明細書に記載の任意のゴルフクラブヘッドの内部キャビティは、本明細書に記載の任意の１つ又は複数のエポキシ材料又は他の適切なエポキシ材料などの、１つ又は複数の熱硬化性材料（例えば、１つ又は複数のエポキシ材料）で部分的又は完全に充填され得る。例えば、本明細書に記載の任意のゴルフクラブヘッドの内部キャビティは、本明細書に記載の任意のエポキシ材料又は他の適切なエポキシ材料などの、１つ又は複数の熱硬化性材料（例えば、１つ又は複数のエポキシ材料）で実質的に充填され得る。一例では、本明細書に記載の任意のゴルフクラブヘッドの内部キャビティは、熱硬化性材料で少なくとも９０％が充填され得る。別の例では、本明細書に記載の任意のゴルフクラブヘッドの内部キャビティは、熱硬化性材料で少なくとも８０％が充填され得る。更に別の例では、本明細書に記載の任意のゴルフクラブヘッドの内部キャビティは、熱硬化性材料で少なくとも７０％が充填され得る。更に別の例では、本明細書に記載の任意のゴルフクラブヘッドの内部キャビティは、熱硬化性材料で少なくとも６０％が充填され得る。更に別の例では、本明細書に記載の任意のゴルフクラブヘッドの内部キャビティは、熱硬化性材料で少なくとも５０％が充填され得る。更に別の例では、本明細書に記載の任意のゴルフクラブヘッドの内部キャビティは、１つ又は複数の熱硬化性材料（すなわち、少なくとも２つの熱硬化性材料）で、部分的に、実質的に、又は完全に充填され得る。内部キャビティを部分的に、実質的に、又は完全に充填する熱硬化性材料は、振動減衰及び音響減衰、比較的薄いフェース部の構造的支持、ボール移動距離、ボール速度、ボール打ち出し角度、ボールスピンレート、ボールピーク高さ、ボール着地角度及び／又はボールばらつきに影響を及ぼし得る。本明細書に記載の装置、方法、及び製造物は、これに限定されない。本明細書に記載の装置、方法、及び製造物は、これに限定されない。
【０１１８】
図３１に示すように、例えば、本明細書に記載のゴルフクラブヘッドのいずれかと同様であり得るゴルフクラブヘッド３１００のボディ部３１１０の内部キャビティ３１１２は、ゴルフクラブヘッド３１００の水平中央平面３１７０の下側が熱硬化性材料３１１４（例えば、エポキシ材料）で充填されてもよい。別の例では、ゴルフクラブヘッド３１００又は本明細書に記載の任意のゴルフクラブヘッドの内部キャビティ３１１２は、水平中央平面３１７０の上側が熱硬化性材料３１１４（例えば、エポキシ材料）で充填され得る（不図示）。更に別の例では、ゴルフクラブヘッド３１００又は本明細書に記載の任意のゴルフクラブヘッドの内部キャビティ３１１２は、水平中央平面３１７０の上側及び下側が熱硬化性材料３１１４（例えば、エポキシ材料）で充填されるが、内部キャビティ３１１２内に任意の熱硬化性材料又は他の材料を含まない領域を有し得る（不図示）。本明細書に記載の装置、方法、及び製造物は、これに限定されない。
【０１１９】
図３２に示すように、例えば、本明細書に記載のゴルフクラブヘッドのいずれかと同様であり得るゴルフクラブヘッド３２００は、熱硬化性材料３２１４の幅３２１６を持つ内部キャビティ３２１２を有するボディ部３２１０を含んでもよい。幅３２１６は、以下の式によってフェース部３２１８のフェース部厚さ３２１９に関連付けられ得る。
【数６】
2021506535.tif 000011
ここで、０．５≦α５．０であり、Ｗthは熱硬化性材料の幅（インチ）であり、Ｔf はフェース部の厚さ（インチ）である。
【０１２０】
一例では、熱硬化性材料３２１４の幅３２１６は、フェース部厚さ３２１９の半分以上であり得る。別の例では、熱硬化性材料３２１４の幅３２１６は、フェース部厚さ３２１９以上であり得る（例えば、Ｗth≧Ｔf ）。更に別の例では、熱硬化性材料３２１４の幅３２１６は、フェース部厚さ３２１９の２倍以上であり得る（例えば、Ｗth≧２Ｔf ）。更に別の例では、熱硬化性材料３２１４の幅３２１６は、フェース部厚さ３２１９の３倍以上であり得る（例えば、Ｗth≧３Ｔf ）。更に別の例では、熱硬化性材料３２１４の幅３２１６は、フェース部厚さ３２１９の５倍以上より大きくてもよい（例えば、Ｗth≧５Ｔf ）。更に別の例では、熱硬化性材料３２１４の幅３２１６は、フェース部厚さ３２１９以上且つ３倍以下であり得る（例えば、Ｔf ≦Ｗth≦３Ｔf ）。本明細書に記載の装置、方法、及び製造物は、これに限定されない。
【０１２１】
一例では、本明細書に記載の任意のゴルフクラブヘッドの内部キャビティを部分的に充填、実質的に充填（例えば、内部キャビティの少なくとも５０％を充填）、又は完全に充填する熱硬化性材料（例えば、エポキシ）の質量は、６．０グラム以上且つ３２．０グラム以下であり得る。別の例では、本明細書に記載の任意のゴルフクラブヘッドの内部キャビティを部分的、実質的、又は完全に充填する熱硬化性材料の質量は、６．０グラム以上且つ２４．０グラム以下であり得る。更に別の例では、本明細書に記載の任意のゴルフクラブヘッドの内部キャビティを部分的、実質的、又は完全に充填する熱硬化性材料の質量は、１２．０グラム以上且つ１８．０グラム以下であり得る。更に別の例では、本明細書に記載の任意のゴルフクラブヘッドの内部キャビティを部分的、実質的、又は完全に充填する熱硬化性材料の質量は、１６．０グラム以上且つ２７．０グラム以下であり得る。更に別の例では、本明細書に記載の任意のゴルフクラブヘッドの内部キャビティを部分的、実質的、又は完全に充填する熱硬化性材料の質量は、３２．０グラム以上且つ３１．０グラム以下であり得る。更に別の例では、本明細書に記載の任意のゴルフクラブヘッドの内部キャビティを部分的、実質的、又は完全に充填する熱硬化性材料の質量は、３３．０グラム以上且つ２８．０グラム以下であり得る。更に別の例では、本明細書に記載の任意のゴルフクラブヘッドの内部キャビティを部分的、実質的、又は完全に充填する熱硬化性材料の質量は、１０．０グラム以上且つ３２．０グラム以下であり得る。更に別の例では、本明細書に記載の任意のゴルフクラブヘッドの内部キャビティを部分的、実質的、又は完全に充填する熱硬化性材料の質量は、１５．０グラム以上且つ３０．０グラム以下であり得る。更に別の例では、本明細書に記載の任意のゴルフクラブヘッドの内部キャビティを部分的、実質的、又は完全に充填する熱硬化性材料の質量は、３２．０グラム以上且つ３０．０グラム以下であり得る。本明細書に記載の装置、方法、及び製造物は、これに限定されない。
【０１２２】
一例では、本明細書に記載の任意のゴルフクラブヘッドについて、内部キャビティを部分的、実質的、又は完全に充填する熱硬化性材料の質量は、以下の式によってゴルフクラブヘッドの質量に関連付けられ得る。
【数７】
2021506535.tif 000012
ここで、ｍT は熱硬化性材料の質量（グラム）であり、ｍH はゴルフクラブヘッドの質量（グラム）である。
【０１２３】
一例では、熱硬化性材料の質量とゴルフクラブヘッドの質量との比率は、０．０４以上且つ０．０８以下であり得る。別の例では、熱硬化性材料の質量とゴルフクラブヘッドの質量との比率は、０．０５以上且つ０．０９以下であり得る。更に別の例では、熱硬化性材料の質量とゴルフクラブヘッドの質量との比率は、０．０５以上且つ０．１１以下であり得る。更に別の例では、熱硬化性材料の質量とゴルフクラブヘッドの質量との比率は、０．０９以上且つ０．１２以下であり得る。更に別の例では、熱硬化性材料の質量とゴルフクラブヘッドの質量との比率は、０．０８以上且つ０．１７以下であり得る。更に別の例では、熱硬化性材料の質量とゴルフクラブヘッドの質量との比率は、０．０１以上であり得る。本明細書に記載の装置、方法、及び製造物は、これに限定されない。
【０１２４】
内部キャビティを部分的、実質的、又は完全に充填する熱硬化性材料は、振動減衰及びノイズ減衰を提供し及び／又はゴルフクラブヘッドの比較的薄いフェース部を構造的に支持するように、特定のショアＤ硬度を有し得る。一例では、内部キャビティを部分的、実質的、又は完全に充填する熱硬化性材料は、少なくとも３２のショアＤ硬度を有し得る。別の例では、内部キャビティを部分的、実質的、又は完全に充填する熱硬化性材料は、３２以上且つ８０以下のショアＤ硬度を有し得る。別の例では、内部キャビティを部分的、実質的、又は完全に充填する熱硬化性材料は、２５以上且つ３７以下のショアＤ硬度を有し得る。更に別の例では、内部キャビティを部分的、実質的、又は完全に充填する熱硬化性材料は、２７以上且つ６５以下のショアＤ硬度を有し得る。別の例では、内部キャビティを部分的、実質的、又は完全に充填する熱硬化性材料は、３７以上且つ７５以下のショアＤ硬度を有し得る。本明細書に記載の装置、方法、及び製造物は、これに限定されない。
【０１２５】
内部キャビティを部分的、実質的、又は完全に充填する熱硬化性材料は、振動減衰及びノイズ減衰を提供し及び／又はゴルフクラブヘッドの比較的薄いフェース部を構造的に支持するように、特定の密度を有し得る。一例では、内部キャビティを部分的、実質的、又は完全に充填する熱硬化性材料は、１．０グラム／立方センチメートル（ｇ／ｃｍ3 ）以上且つ２．０ｇ／ｃｍ3 以下の密度を有し得る。別の例では、内部キャビティを部分的、実質的、又は完全に充填する熱硬化性材料は、１．１ｇ／ｃｍ3 以上且つ１．５ｇ／ｃｍ3 以下の密度を有し得る。更に別の例では、内部キャビティを部分的、実質的、又は完全に充填する熱硬化性材料は、１．０ｇ／ｃｍ3 以上且つ１．４ｇ／ｃｍ3 以下の密度を有し得る。更に別の例では、内部キャビティを部分的、実質的、又は完全に充填する熱硬化性材料は、１．１ｇ／ｃｍ3 以上且つ１．２ｇ／ｃｍ3 以下の密度を有し得る。本明細書に記載の装置、方法、及び製造物は、これに限定されない。
【０１２６】
ポリマー材料（例えば、図３２に示すような熱硬化性材料３２１４）は、フェース部３２１８のバック面３２２１に隣接して配置され得る。例えば、熱硬化性材料３２１４は、フェース部３２１８のバック面３２２１に直接的に取り付け及び／又は結合され得る。或いは、熱硬化性材料３２１４は、フェースブ３２１８から離して配置され得る。一例では、熱硬化性材料３２１４は、バック部３２７４のバックウォール部３２７５に取り付け及び／又は結合される。その結果、熱硬化性材料３２１４は、フェース部３２１８のバック面３２２１と接触しない可能性がある。更に別の例では、熱硬化性材料３２１４は、バック面３２２１及びバックウォール部３２７５に取り付け及び／又は結合され得るが、トップ部３２８０及び／又はソール部３２９０又はそれらの近傍のサイドウォール（側壁）部３２７６に取り付け及び／又は結合されなくてもよい。更に、別の例として、熱硬化性材料３２１４は、ゴルフクラブヘッド３２００のトウ部及び／又はヒール部又はそれらの近傍のサイドウォール部３２７６に取り付け及び／又は結合されなくてもよい。すなわち、熱硬化性材料３２１４は、サイドウォール部３２７６に接触しないで内部キャビティ３２１２内に保留され得る（例えば、熱硬化性材料３２１４の周囲の２８０°の空間）。更に別の例では、熱硬化性材料３２１４は、ゴルフクラブヘッド３２００のトウ部及びヒール部ではなくトップ部３２８０及びソール部３２９０又はそれらの近傍のバック面３２２１、バックウォール部３２７５、及びサイドウォール部３２７６に取り付け及び／又は結合され得る。上記の例はゴルフクラブヘッド３２００の様々な表面及び又はウォール部に取り付け及び／又は結合された熱硬化性材料３２１４を説明し得るが、熱硬化性材料３２１４は、より多く又はより少ない表面及び又はウォール部取り付け及び／又は結合されてもよい。本明細書に記載の装置、方法、及び製造物は、これに限定されない。
【０１２７】
図３３に示すように、例えば、本明細書に記載のゴルフクラブヘッドのいずれかと同様であり得るゴルフクラブヘッド３３００は、トップ部３３８０とソール部３３９０の間で変化し得る内部キャビティ幅を持つ内部キャビティ３３１２を含むボディ部３３１０を有してもよい。特に、内部キャビティ３３１２は、ゴルフクラブヘッド３３００の水平中央平面３３７０の上側の第１の幅３３２０（Ｗ1 ）、水平中央平面３３７０の下側の第２の幅３３３０（Ｗ2 ）、及び第１の幅３３２０と第２の幅３３３０の間における第３の幅３３４０（Ｗ3 ）を含み得る。第３の幅３３４０は、水平中央平面３３７０又はその下側にあり得る。一例では、第３の幅３３４０は、１つ又は複数のポート（例えば、概ね３３２２として示される）の上側にあり得る。従って、第３の幅３３４０は、１つ又は複数の質量部（図３３には示されないが、例えば、ポート３３２２に配置された質量部）の上側に配置され、及び／又は、１つ又は複数の質量部よりも水平中央平面３３７０の近傍であり得る。別の例では、第３の幅３３４０は、ゴルフクラブヘッド３２００の１つ又は複数のポートの上側で且つ水平中央平面３３７０の下側であり得る。第３の幅３３４０は、第１の幅３３２０より大きく（例えば、Ｗ3 ＞Ｗ1 ）、且つ、第２の幅３３３０より大きくてもよい（例えば、Ｗ3 ＞Ｗ2 ）。一例では、第１の幅３３２０は、第２の幅３３３０以上であり得る（例えば、Ｗ2 ≧Ｗ1 ）。別の例では、第２の幅３３３０は、第１の幅３３２０以上であり得る（例えば、Ｗ1 ≧Ｗ2 ）。更に別の例では、第３の幅３３４０は、第２の幅３３３０の３倍以下であり得る。更に別の例では、第３の幅３３４０は、第２の幅３３３０の２倍以下であり得る。更に別の例では、第３の幅３３４０は、第２の幅３３３０の１．５倍以下であり得る。更に別の例では、第３の幅３３４０は、第２の幅３３３０の１．２５倍以下であり得る。本明細書に記載の装置、方法、及び製造物は、これに限定されない。
【０１２８】
第３の幅３３４０は、ボディ部３３１０の特定の垂直位置にあり得る。ゴルフクラブヘッド３３００のフェース部３３１８は、複数の溝（ｇｒｏｏｖｅｓ）を含み得る。ゴルフクラブヘッド３３００のフェース部３３１８は、図１のゴルフクラブヘッド１００と同様な数の溝を含み得る。従って、フェース部３３１８は、複数の溝（例えば、図３３では、概ね溝３３５１、３３５２、３３５３、３３５４、３３５５、３３５６、３３５７、３３５９、３３６０、３３６１として示される１１本の溝）を含み得る。第３の幅３３４０は、複数の溝のいずれかの間に配置され得る。一例では、第３の幅３３４０は、ソール部３３９０から第１の溝３３５１と第１１の溝３３６１の間に配置され得る。別の例では、第３の幅３３４０は、ソール部３３９０から第４の溝３３５４と第８の溝３３５８の間に配置され得る。更に別の例では、第３の幅３３４０は、ソール部３３９０から第５の溝３３５５と第７の溝３３５７の間に配置され得る。図３３はフェース部３３１８（例えば、ロフト面に垂直）に関連付けられたロフト面（例えば、図３では概ね１０４０として示される）に関連する内部キャビティ３３１２の第１の幅３３２０、第２の幅３３３０、第３の幅３３４０をそれぞれ示すが、１つ又は複数の幅はグラウンド面（例えば、図１では概ね１０１０として示される）に対して測定され得る。例えば、内部キャビティ３３１２の１つ又は複数の幅は、グラウンド面（例えば、図１では概ね１０１０として示される）に実質的に平行であり得る。本明細書に記載の装置、方法、及び製造物は、これに限定されない。
【０１２９】
一例では、ゴルフクラブヘッドの内部キャビティを充填するプロセスは、フェース部のバック面に結合部を塗布することを含まないでもよい。例えば、図３４に示すように、ゴルフクラブヘッドの内部キャビティを充填するプロセス３４００は、エポキシ材料で内部キャビティを部分的、実質的、又は完全に充填すること（ブロック３４１０）、その後、エポキシ材料を硬化すること（ブロック３４２０）を含み得る。エポキシ材料は、本明細書で説明するようにゴルフクラブヘッドのボディ部の１つ又は複数のポートから内部キャビティに注入され得る。一例では、エポキシ材料を硬化させるプロセスは、熱、放射線、及び／又は圧力を特定の期間使用することを含み得る。別の例では、エポキシ材料を硬化させるプロセスは、環境温度又は室温で特定の期間エポキシ材料を硬化させることのみを含み得る。別の例では、ゴルフクラブヘッドの内部キャビティを充填するプロセスは、第１のエポキシ材料をフェース部のバック面に塗布すること、本明細書で説明するように第１のエポキシ材料を第１の硬化状態に硬化させること、第１のエポキシ材料と同様又は異なり得る第２のエポキシ材料を内部キャビティに充填すること、第１のエポキシ材料を第２の硬化状態に硬化させること、本明細書で説明するように第２のエポキシ材料を硬化させることを含んでもよい。別の例では、２つより多くのエポキシ材料を、各エポキシ材料に使用される単一又は複数の硬化プロセスで内部キャビティを実質的又は完全に充填するのに使用することができる。本明細書に記載の装置、方法、及び製造物は、これに限定されない。
【０１３０】
図３５〜図４０の例では、ゴルフクラブヘッド３５００は、トウ部エッジ３５４２を持つトウ部３５４０と、ゴルフクラブを形成するために一方の端部にグリップ（不図示）を有すると共に他方の端部にゴルフクラブヘッド３５００を有するシャフト（不図示）を受け入れるように構成されるホーゼル部３５５５を含み得るヒール部エッジ３５５２を持つヒール部３５５０と、外周エッジ部３５６１を持つフロント部３５６０と、バックウォール部３５７２を持つバック部３５７０と、トップ部エッジ３５８２を持つトップ部３５８０と、ソール部エッジ３５９２を持つソール部３５９０とを有するボディ部３５１１を含んでもよい。トウ部３５４０、ヒール部３５５０、フロント部３５６０、バック部３５７０、トップ部３５８０、及び／又はソール部３５９０は、互いに部分的に重なり得る。トウ部エッジ３５４２、ヒール部エッジ３５５２、トップ部エッジ３５８２、及びソール部エッジ３５９２は、ボディ部３５１０の外周を画定し得る。本明細書に記載の装置、方法、及び製造物は、これに限定されない。
【０１３１】
ゴルフクラブヘッド３５００は、アイアン系ゴルフクラブヘッド（例えば、１番アイアン、２番アイアン、３番アイアン、４番アイアン、５番アイアン、６番アイアン、７番アイアン、８番アイアン、９番アイアンなど）、又はウェッジ系ゴルフクラブヘッド（例えば、ピッチングウェッジ、ロブウェッジ、サンドウェッジ、４４度（°），４８°，５２°，５６°，６０°などのｎ度ウェッジなど）であり得る。図３５〜図４０は、特定のタイプのゴルフクラブヘッドを示すが、本明細書に記載の装置、方法、及び製造物は、他のタイプのゴルフクラブヘッド（例えば、ドライバー系ゴルフクラブヘッド、フェアウェイウッド系ゴルフクラブヘッド、ハイブリッド系ゴルフクラブヘッド、パター系ゴルフクラブヘッドなど）に適用可能であり得る。ゴルフクラブヘッド３５００の体積、ゴルフクラブヘッド３５００の構成材料、及び／又はその任意の構成要素は、本明細書に記載及び／又は参照により組み込まれる出願のいずれかに記載の任意のゴルフクラブヘッドと同様であり得る。本明細書に記載の装置、方法、及び製造物は、これに限定されない。
【０１３２】
ゴルフクラブヘッド３５００は、ボディ部３５１０（例えば、１つの単一部品）と一体的に形成され得るフェース部３５６２（すなわち、打撃面）を含んでもよい。一例では、図３５〜図４０に示すように、フェース部３５６２は、フロント部３５６０に（例えば、接着によって、機械的に、溶接によって、及び／又は半田付けによって）結合された別個の部品であり得る。フェース部３５６２は、フロント面３５６４及びバック面３５６６を含み得る。一例（不図示）では、フロント部３５６０は、ボディ部３５１０へのフェース部３５６２の取り付けのためにフェース部３５６２を受け入れるように構成された１つ又は複数の凹んだショルダー部を含み得る。別の例では、図３５〜図４０に示すように、バック面３５６６は、ボディ部３５１０の外周エッジ部３５６１に取り付けられ得る外周部３５６７を含んでもよい。フェース部３５６２の外周部３５６７は、１つ又は複数の留め具、１つ又は複数の接着剤又は結合剤、及び／又は溶接又は半田付けによって、ボディ部３５１０の外周エッジ部３５６１に取り付けられ得る。一例では、図３５〜図４０に示すように、フェース部３５６２の外周部３５６７は、１つ又は複数の位置でボディ部３５１０の外周エッジ部３５６１に溶接され得る。或いは、フェース部３５６２の外周部３５６７の全体は、ボディ部３５１０の外周エッジ部３５６１の全体に溶接（すなわち、連続溶接）され得る。フェース部３５６２は、ゴルフボールを打つためのボール打撃領域３５６８を含み得る。一例では、ボール打撃領域３５６８の中心は、ゴルフボールの打撃にとってフェース部３５６２上の概ね最適な位置（すなわち、最適なボール距離、ボール速度、ボールスピン特性など）を提供し得るフェース部３５６２の幾何学的中心３５６３であってもよい。別の例では、フェース部３５６２の幾何学的中心３５６３は、ボール打撃領域３５６８の中心からオフセットされ得る。しかしながら、ボールは、本明細書に記載のゴルフクラブヘッドのいずれかにおけるボール打撃領域３５６８の外側のフェース部３５６２の任意の部分で打たれてもよく、中心での打撃とは異なる特定のボール飛行特性がもたらされる。フェース部３５６２の構成及びボディ部３５１０のフェース部３５６２への取り付け（例えば、溶接）は、本明細書に記載及び／又は参照により組み込まれる出願のいずれかに記載の任意のゴルフクラブヘッドに多くの点で類似し得る。本明細書に記載の装置、方法、及び製造物は、これに限定されない。
【０１３３】
一例では、フェース部３５６２のフロント面３５６４の面積は、２００ｍｍ2 以上且つ５０００ｍｍ2 以下であり得る。別の例では、フェース部３５６２のフロント面３５６４の面積は、１０００ｍｍ2 以上且つ４０００ｍｍ2 以下であり得る。更に別の例では、フェース部３５６２のフロント面３５６４の面積は、１５００ｍｍ2 以上且つ３５００ｍｍ2 以下であり得る。上記の例では特定の面積を説明したが、フロント面３５６４の面積は、これらの数値より大きくてもよく、小さくてもよい。本明細書に記載の装置、方法、及び製造物は、これに限定されない。
【０１３４】
ゴルフクラブヘッド３５００は、グラウンド面３８１０、水平中央平面３８２０、及びトップ面３８３０に関連付けられ得る。特に、グラウンド面３８１０は、地面に平行又は実質的に平行で、且つ、ゴルフクラブヘッド３５００がアドレス位置にあるとき（例えば、ゴルフクラブヘッド３５００がゴルフボールを打つように位置合わせされたとき）にソール部エッジ３５９２の最下端に接する平面であり得る。トップ面３８３０は、ゴルフクラブヘッド３５００がアドレス位置にあるときにトップ部エッジ３５８２の最上端に接する平面であり得る。グラウンド面３８１０及びトップ面３８３０は、それぞれ、互いに平行又は実質的に平行であり得る。水平中央平面３８２０は、グラウンド面３８１０とトップ面３８３０のそれぞれの間の垂直方向の中間にあり得る。更に、ゴルフクラブヘッド３５００は、ゴルフクラブヘッド３５００のロフト角３８４５（α）を画定するロフト面３８４０に関連付けられ得る。ロフト面３８４０は、フェース部３５６２に対する接平面であり得る。ロフト角３８４５は、ロフト面３８４０と、グラウンド面３８１０に対して垂直な垂直面３８５０との間の角度によって画定され得る。
【０１３５】
ボディ部３５１０は、内壁３６１２を有する内部キャビティ３６１０を含む中空体であり得る。内部キャビティ３６１０は、フロント部３５６０、バック部３５７０、トップ部３５８０、ソール部３５９０の間に延在し得る。図３５〜図４０の例では、ボディ部３５１０の内部キャビティ３６１０は、フェース部３５６２で封止されると共にフェース部３５６２で部分的に画定されてもよい。内部キャビティ３６１０の構成（例えば、高さ、幅、体積、形状など）、ボディ部３５１０に対する内部キャビティ３６１０の構成（例えば、ボディ部３５１０の体積に対する内部キャビティ３６１０の体積）、内部キャビティ３６１０の幅及び高さの変化、及び、ボディ部３５１０の１つ又は複数のポートからの内部キャビティ３７１０へのアクセスは、本明細書に記載及び／又は参照により組み込まれる出願のいずれかに記載の任意のゴルフクラブヘッドと同様であり得る。本明細書に記載の装置、方法、及び製造物は、これに限定されない。
【０１３６】
バック部３５７０のバックウォール部３５７２は、上側バックウォール部３９１２及び下側バックウォール部３９１４を含み得る。バックウォール部３５７２は、トウ部エッジ３５４２とヒール部エッジ３５５２の間に連続的又は不連続的に延在し得るレッジ部３９１６を含んでもよい。下側バックウォール部３９１４は、上側バックウォール部３９１２と下側バックウォール部３９１４の間の移行部分を画定するレッジ部３９１６によって、上側バックウォール部３９１２よりもボディ部３５１０の後方に配置され得る。従って、レッジ部３９１６は、上側バックウォール部３９１２及び下側バックウォール部３９１４に対して横方向に延在し得る。一例では、図３５〜図４０に示すように、レッジ部３９１６は、第１のレッジ部３９２６及び第２のレッジ部３９３６を含み得る。第１のレッジ部３９２６は、トウ部エッジ３５４２からバックウォール部３５７２のバックウォール中央部３９４０までバックウォール部上に延在し得る。第２のレッジ部３９３６は、バックウォール部３５７２の中央部３９４０からヒール部エッジ３５５２まで延在し得る。図３５〜図４０に示すように、レッジ部３９１６は、水平中央平面３８２０の下側に比較的大きい質量を提供することができ、水平中央平面３８２０の下側のボディ部３５１０の質量をボディ部３５１０のより後方に移動させることができる。レッジ部３９１６の幅は、ボディ部３５１０の特定の位置での内部キャビティの幅より大きくてもよく、等しくてもよく、小さくてもよい。レッジ部３９１６の構成（例えば、幅、区分、テーパ、形状など）及び内部キャビティの幅に対するレッジ部３９１６の特性は、本明細書に記載及び／又は参照により組み込まれる出願のいずれかに記載の任意のゴルフクラブヘッドと同様であり得る。本明細書に記載の装置、方法、及び製造物は、これに限定されない。
【０１３７】
ボディ部３５１０は、外部ポート及び／又は内部ポート（例えば、ボディ部３５１０の内部に配置）であり得る１つ又は複数のポートを含んでもよい。内部キャビティ３６１０の内壁３６１２は、１つ又は複数のポート（不図示）を含み得る。一例では、図３５〜図４０に示すように、バック部３５７０は、ボディ部３５１０の外周に沿って又はその近傍に１つ又は複数のポートを含み得る。例えば、ボディ部３５１０は、第１セットのポート３６２０（例えば、ポート３６２１、３６２２として示される）と、第２セットのポート３６３０（例えば、ポート３６３１、３６３２として示される）と、第３セットのポート３６４０（例えば、ポート３６４１、３６４２、３６４３として示される）と、第４セットのポート３６５０（例えば、ポート３６５１、３６５２として示される）とを含み得る。他のポートに対する位置、間隔、及び、第１セットのポート３６２０、第２セットのポート３６３０、第３セットのポート３６４０及び／又は第４セットのポート３６５０の各ポートの他の構成は、参照により組み込まれる出願のいずれかに記載の任意のポートに多くの点で類似し得る。更に、第１セットのポート３６２０、第２セットのポート３６３０、第３セットのポート３６４０及び／又は第４セットのポート３６５０の任意の１つ又は複数のポートは、内部キャビティ３６１０に接続されてもよく、それを通じて１つ又は複数の充填材料が内部キャビティ３６１０に注入され得る。図３５〜図４０の例では、ポート３６２１、３６３１、３６５１は、それぞれ、開口部３６６１、３６７１、３６８１を介して内部キャビティ３６１０に接続され得る。本明細書に記載の装置、方法、及び製造物は、これに限定されない。
【０１３８】
第１セットのポート３６２０の各ポートは、第１セットのポート３６２０のいずれかのポートのポート直径よりも小さい距離だけ離され得る。第２セットのポート３６３０の各ポートは、第２セットのポート３６３０のいずれかのポートのポート直径よりも小さい距離だけ離され得る。第３セットのポート３６４０の各ポートは、第３セットのポート３６４０のいずれかのポートのポート直径よりも小さい距離だけ離され得る。第４セットのポート３６５０の各ポートは、第３セットのポート３６５０のいずれかのポートのポート直径よりも小さい距離だけ離され得る。一例では、第１セットのポート３６２０と第２セットのポート３６３０は、第１セットのポート３６２０と第２セットのポート３６３０のいずれかのポートのポート直径よりも大きい距離だけ離間され得る。別の例では、第２セットのポート３６３０と第３セットのポート３６４０は、第２セットのポート３６３０と第３セットのポート３６４０のいずれかのポートのポート直径よりも大きい距離だけ離間され得る。更に別の例では、第３セットのポート３６４０と第４セットのポート３６５０は、第３セットのポート３６４０と第４セットのポート３６５０のいずれかのポートのポート直径よりも大きい距離だけ離間され得る。本明細書に記載の装置、方法、及び製造物は、これに限定されない。
【０１３９】
図面ではポートを別々な個々の部品として示しているが、第１セットのポート３６２０、第２セットのポート３６３０、第３セットのポート３６４０、及び第４セットのポート３６５０の各セット又は隣接するポートのセットの組み合わせは、それぞれ、単一のポートであり得る。一例では、第１セットのポート３６２０の全てのポートを組み合わせて単一のポート（例えば、第１のポート）にしてもよい。別の例では、第２セットのポート３６３０の全てのポートを組み合わせて単一のポート（例えば、第２のポート）にしてもよい。別の例では、第３セットのポート３６４０の全てのポートを組み合わせて単一のポート（例えば、第３のポート）にしてもよい。更に別の例では、第４セットのポート３６５０の全てのポートを組み合わせて単一のポート（例えば、第４のポート）にしてもよい。図面では特定の数のポートを示しているが、本明細書に記載の装置、方法、及び製造物は、より多い数又はより少ない数のポートを含み得る。
【０１４０】
ボディ部３５１０は、ボディ部３５１０に結合される一体的な質量部又は別々の質量部であり得る１つ又は複数の質量部（例えば、ウェイト部）を含んでもよい。図３５〜図４０に示すような例では、ボディ部３５１０は、第１セットの質量部３７２０（例えば、質量部３７２１、３７２２として示される）と、第２セットの質量部３７３０（例えば、質量部３７３１、３７３２として示される）と、第３セットの質量部３７４０（例えば、質量部３７４１、３７４２、３７４３として示される）と、第４セットの質量部３７５０（例えば、質量部３７５１、３７５２として示される）とを含み得る。上記の例では質量部の特定の数又は部分を説明したが、参照により組み込まれる出願のいずれかに記載されたように、質量部のセットは、単一の質量部又は複数の質量部を含み得る。例えば、第１セットの質量部３７２０における隣接する質量部のセットのいずれか１つ又は組み合わせは単一の質量部であってもよく、第２セットの質量部３７３０についても単一の質量部であってもよく、第３セットの質量部３７４０についても単一の質量部であってもよく、及び／又は第４セットの質量部３７５０についても単一の質量部であってもよい。更に、第１セットの質量部３７２０、第２セットの質量部３７３０、第３セットの質量部３７４０及び／又は第４セットの質量部３７５０は、ボディ部３５１０の物理的構造の一部であり得る。第１セットの質量部３７２０、第２セットの質量部３７３０、第３セットの質量部３７４０及び／又は第４セットの質量部３７５０は、参照により組み込まれる出願のいずれかに記載の任意の質量部と同様であり得る。本明細書に記載の装置、方法、及び製造物は、これに限定されない。
【０１４１】
内部キャビティ３６１０は、１つ又は複数の類似又は異なるタイプの材料を含み得る１つ又は複数の充填材料（すなわち、キャビティ充填材料）で部分的又は完全に充填されてもよい。一例では、図３５〜図４０に示すように、内部キャビティ３６１０は、第１の充填材料３８１２と第２の充填材料３８１４で充填され得る。第１の充填材料３８１２及び第２の充填材料３８１４は、第１の充填材料４１２及び第２の充填材料４１４のそれぞれと同様であってもよく、本明細書に記載又は参照により組み込まれる出願のいずれかに記載の任意の充填材料と同様であってもよい。本明細書に記載の装置、方法、及び製造物は、これに限定されない。
【０１４２】
第１の充填材料３８１２は、内部キャビティ３６１０の内壁３６１２の全体又は一部に結合され得る。一例では、第１の充填材料３８１２は、内壁３６１２の全体又は一部に取り付けるための固有の接着特性又は結合特性を有し得る。別の例では、第１の充填材料３８１２は、第１の充填材料３８１２と混合され得る１つ又は複数の結合剤又は接着剤で内壁３６１２の全体又は一部に取り付けられてもよい。別の例では、第１の充填材料３８１２は、第１の充填材料３８１２から分離され得る１つ又は複数の結合剤又は接着剤で内壁３６１２の全体又は一部に取り付けられてもよい。本明細書に記載の装置、方法、及び製造物は、これに限定されない。
【０１４３】
一例では、図３５〜図４０に示すように、第１の充填材料３８１２は、フェース部３５６２のボール打撃領域３５６８に概ね対応し得る内壁３６１２の少なくとも一部に結合されてもよく（すなわち、第１の充填材料３８１２は概ねボール打撃領域３５６８の背後に配置され得る）、フェース部３５６２のボール打撃領域３５６８の近傍及び／又はその周囲の領域に結合されてもよい。別の例では、第１の充填材料３８１２は、内壁３６１２の少なくとも１０％に結合され得る。別の例では、第１の充填材料３８１２は、内壁３６１２の少なくとも２５％に結合され得る。更に別の例では、第１の充填材料３８１２は、内壁３６１２の２５％〜５０％に結合され得る。別の例では、第１の充填材料３８１２は、内壁３６１２の３５％〜７５％に結合され得る。更に別の例では、第１の充填材料３８１２は、内壁３６１２の５０％〜９０％に結合され得る。更に別の例では、第１の充填材料３８１２は、内壁３６１２の７５％より多くに結合され得る。更に別の例では、第１の充填材料３８１２は、内壁３６１２の全体に結合され得る。本明細書に記載の装置、方法、及び製造物は、これに限定されない。
【０１４４】
内壁３６１２に結合され得る第１の充填材料３８１２の量は、ゴルフクラブヘッドのロフト角、フェース部３５６２の全体の厚さ、フェース部３５６２の厚さプロファイル、内部キャビティ３６１０の形状、任意のポート又は質量部の位置及び構成、第１の充填材料３８１２の材料特性、及び／又は第２の充填材料３８１４の材料特性に依存してもよい。一例では、比較的大きいロフト角を有するゴルフクラブヘッドは、第１の充填材料３８１２が結合され得る内壁３６１２の部分を制限してもよい。別の例では、比較的小さいロフト角を有するゴルフクラブヘッドは、第１の充填材料３８１２が内壁３６１２の全体又は実質的な部分に結合され得る。更に別の例では、ゴルフクラブヘッドの音響特性は、人に心地よい音及び感触を提供するように内壁３６１２に結合され得る充填材料３８１２の量を決定する要因であってもよい。内壁３６１２に結合された第１の充填材料３８１２の量（すなわち、体積及び／又は質量）は、各ゴルフクラブヘッド（すなわち、特定のロフト角を有する）に対して決定されてもよく、（ｉ）振動減衰又は音響減衰（例えば、ゴルフクラブヘッド３５００を使用する人によって知覚されるような、ゴルフクラブヘッド３５００でゴルフボールを打つときの一貫した及び／又は心地よい音及び感触）を提供することができ、（ｉｉ）フェース部３５６２に構造的支持を提供することができ、及び／又は（ｉｉｉ）ボール移動距離、ボール速度、ボール打ち出し角度、ボールスピンレート、ボールピーク高さ、ボール着地角度及び／又はボールばらつきを最適化することができる。本明細書に記載の装置、方法、及び製造物は、これに限定されない。
【０１４５】
図３５〜図４０の例では、内部キャビティ３６１０の中央部３６１１は、ボール打撃領域３５６８に概ね対応し得る内部キャビティ３６１０の一部であってもよく、第１の充填材料３８１２及び第２の充填材料３８１４を含み得る。内部キャビティ３６１０の中央部３６１１での内部キャビティ３６１０の幅３６１３は、内部キャビティ３６１０の他の部分での内部キャビティ３６１０の幅３６１３よりも概ね大きくてもよい。従って、ボール打撃領域３５６８の背後の内部キャビティ３６１０の領域、すなわち、中央部３６１１は、比較的大量の第１の充填材料３８１２及び／又は第２の充填材料３８１４を含み得る。更に、中央部３６１１の構成（すなわち、サイズ、形状、輪郭、体積など）は、ロフト角３８４５に依存し得る。例えば、比較的小さいロフト角３８４５を有するゴルフクラブヘッド３５００は、比較的大きいロフト角３８４５を有するゴルフクラブヘッド３５００よりも大きい中央部３６１１（すなわち、より大きい体積、深さ、高さなど）を有し得る。従って、本明細書で説明するように、内部キャビティ３６１０内、より具体的には、中央部３６１１の第１の充填材料３８１２及び／又は第２の充填材料３８１４の量は、ロフト角３８４５に基づいて決定されてもよく、（ｉ）振動減衰又は音響減衰（例えば、ゴルフクラブヘッド３５００を使用する人によって知覚されるような、ゴルフクラブヘッド３５００でゴルフボールを打つときの一貫した及び／又は心地よい音及び感触）を提供することができ、（ｉｉ）フェース部３５６２に構造的支持を提供することができ、及び／又は（ｉｉｉ）ボール移動距離、ボール速度、ボール打ち出し角度、ボールスピンレート、ボールピーク高さ、ボール着地角度及び／又はボールばらつきを最適化することができる。本明細書に記載の装置、方法、及び製造物は、これに限定されない。
【０１４６】
内部キャビティ３６１０の輪郭又は内壁３６１２の形状は、外周エッジ部３５６１に対して凹んだ複数の凹部によって画定され得る。図３５〜図４０の例では、内部キャビティ３６１０は、第１の凹部３６１４と、第１の凹部３６１４よりも概ね小さい深さ（すなわち、図３８〜図４０の断面図の内部キャビティ３６１３）を有し得る第２の凹部３６１５と、第２の凹部３６１５よりも概ね小さい深さを有し得る第３の凹部３６１６と、第３の凹部３６１６よりも概ね小さい深さを有し得る第４の凹部３６１７と、第４の凹部３６１７よりも概ね小さい深さを有し得る第５の凹部３６１８とを含んでもよい。内部キャビティ３６１０は、より多い又はより少ない凹部を有し得る。本明細書に記載の装置、方法、及び製造物は、これに限定されない。
【０１４７】
第１の凹部３６１４は、概ね、内部キャビティ３６１０の最大幅３６１３を含んでもよく、及び／又は中央部３６１１に隣接又は取り囲む部分を有してもよい。第２の凹部３６１５は、第１の凹部３６１４の全体又は一部に隣接してもよく、中央部３６１１にあり得る部分を含んでもよい。図３５〜図４０の例では、第２の凹部３６１５は、第１の凹部３６１４の下側に位置する。第３セットのポート３６４０を含むボディ部３５１０の構造の一部は、第２の凹部３６１５と下側バックウォール部３９１４の間にあり得る。従って、第２の凹部３６１５の深さは、ボディ部３５１０が第２の凹部３６１５と下側バックウォール部３９１４の間の第３セットのポート３６４０を収容できるように、第１の凹部３６１４の深さより小さくてもよい。本明細書に記載の装置、方法、及び製造物は、これに限定されない。
【０１４８】
第３の凹部３６１６は、第２の凹部３６１５及び／又は第１の凹部３６１４の全体又は一部に隣接及び／又は取り囲んでもよく、中央部３６１１にあり得る部分を含んでもよい。図３５〜図４０の例では、第３の凹部３６１６は、水平中央平面３８２０の上側の第１の凹部３６１４を取り囲む。第４の凹部３６１７は、外周エッジ部３５６１又はその近傍にあってもよく、及び／又は、第３の凹部３６１６、第２の凹部３６１５及び／又は第１の凹部３６１４の全体又は一部に隣接及び／又は取り囲んでもよい。図３５〜図４０の例では、第４の凹部３６１７は、水平中央平面３８２０の下側の第１の凹部３６１４及び第２の凹部３６１５の部分に隣接する。第２セットのポート３６３０及び第４セットのポート３６５０を含むボディ部３５１０の構造の一部は、第４の凹部３６１７と下側バックウォール部３９１４の間にあり得る。従って、第４の凹部３６１７の深さは、ボディ部３５１０が第４の凹部３６１７と下側バックウォール部３９１４の間の第２セットのポート３６３０及び第４セットのポート３６５０を収容できるように、第１の凹部３６１４及び第２の凹部３６１５の深さより小さくてもよい。本明細書に記載の装置、方法、及び製造物は、これに限定されない。
【０１４９】
第５の凹部３６１８は、外周エッジ部３５６１に隣接し得る。従って、第５の凹部３６１８を含む内部キャビティ３６１０の任意の位置で、第５の凹部３６１８は、外周エッジ部３５６１と、第１の凹部３６１４、第２の凹部３６１５、第３の凹部３６１６、第４の凹部３６１７のいずれかとの間にあり得る。第１セットのポート３６２０を含むボディ部３５１０の構造の一部は、第５の凹部３６１８と上側バックウォール部３９１２の間にあり得る。従って、第５の凹部３６１８の深さは、ボディ部３５１０が第５の凹部３６１８と上側バックウォール部３９１２の間の第１セットのポート３６２０を収容できるように、第３の凹部３６１６に隣接する部分の深さより小さくてもよい。本明細書に記載の装置、方法、及び製造物は、これに限定されない。
【０１５０】
内部キャビティ３６１０は、トウ部３５４０とヒール部３５５０の間に延在し得る１つ又は複数の内部チャネルを含んでもよい。一例では、図３５〜図４０に示すように、内部キャビティ３６１０は、トウ部３５４０の位置から中央部３６１１まで延在し得る第１の内部チャネル３６２５と、ヒール部３５５０の位置から中央部３６１１まで延在し得る第２の内部チャネル３６２６とを含んでもよい。第１の内部チャネル３６２５及び第２の内部チャネル３６２６は、第１の凹部３６１４に接続し、中央部３６１１又はその近傍で第１の凹部３６１４と同じ深さを有し得る。第１の内部チャネル３６２５及び第２の内部チャネル３６２６の深さは、第１の凹部３６１４からトウ部３５４０及びヒール部３５５０のそれぞれに向かって減少し得る。図３５〜図４０の例に示すように、第１の凹部３６１４に接続及び／又は第１の凹部３６１４に近接する第１の内部チャネル３６２５及び／又は第２の内部チャネル３６２６の部分は、第１の凹部３６１４の深さと同様であり得る一定の深さを維持してもよい。従って、第１の内部チャネル３６２５及び第２の内部チャネル３６２６は、中央部３６１１とトウ部３５５０及びヒール部の間に、より大きな体積の第１の充填材料３８１２及び／又は第２の充填材料３８１４を提供する。或いは、第１の内部チャネル３６２５及び／又は第２の内部チャネル３６２６の全体又は一部は、それぞれ、トウ部３５４０及びヒール部３５５０に向かう方向で減少する深さを有し得る。フェース部３５６２での中心から外れたゴルフボールの打撃に関して、内部チャネル３６２５、３６２６内の第１の充填材料３８１２及び／又は第２の充填材料３８１４の増加した体積は、（ｉ）振動減衰又は音響減衰を提供することができ、（ｉｉ）フェース部３５６２に構造的支持を提供することができ、及び／又は（ｉｉｉ）ボール移動距離、ボール速度、ボール打ち出し角度、ボールスピンレート、ボールピーク高さ、ボール着地角度及び／又はボールばらつきを最適化することができる。更に、内部チャネル３６２５、３６２６を提供するためにボディ部３５１０から取り除かれる質量は、ゴルフクラブヘッド３５００の慣性モーメントが増加及び／又は重心位置が最適化するように、ボディ部３５１０の他の位置にシフトされ得る。本明細書に記載の装置、方法、及び製造物は、これに限定されない。
【０１５１】
内部キャビティ３６１０は、第１の凹部３６１４〜第５の凹部３６１８と内部チャネル３６２５、３６２６の間の移行領域を画定し得る追加の凹部を含んでもよい。凹部の各々は、他の凹部のいずれか１つ又は幾つかに隣接し、そこに移行し得る。例えば、図３７〜図３８に示すように、第１の凹部３６１４は、第１の凹部３６１４の上側の第３の凹部３６１６に移行及び接続し得る傾斜面３６２７を含んでもよい。更に、凹部のいずれかは、外周エッジ部３５６１に直接的に移行し得る。凹部及び移行領域は、内部キャビティ３６１０の全体的な形状及び／又は輪郭を共同で画定し得る。移行領域は、隣接する凹部に対して垂直、横断、又は含有する壁を含み得る。更に、移行領域は、隣接する凹部を接合する際の丸みを帯びたコーナーを含み、接合されたコーナーでの応力の集中を減少させるようにしてもよい。凹部は、中央部３６１１から外周エッジ部３５６１までの内部キャビティ３６１０の幅の、輪郭に沿った、連続的な、及び／又は段階的な減少を画定し得る。本明細書に記載の装置、方法、及び製造物は、これに限定されない。
【０１５２】
凹部３６１４〜３６１８及び内部チャネル３６２５、３６２６の形状、サイズ、幅、高さ、及び他の特性は、ゴルフクラブヘッド３５００のロフト角３８４５に関連付けられ得る。一例では、図３５〜図４０に示すように、第１の凹部３６１４及び第２の凹部３６１５は、第１の充填材料３８１２で充填され得る。第１の充填材料３８１２は、第１の凹部３６１４及び第２の凹部３６１５に射出成型され得る。充填材料３８１２は、固有の接着特性又は結合特性を有することにより、第１の充填材料３８１２と混合される結合剤で、及び／又は別の結合剤で、第１の凹部３６１４及び第２の凹部３６１５の内壁３６１２に結合され得る。別の例では、第１の充填材料３８１２は、第１の凹部３６１４及び第２の凹部３６１５の形状に別々に成形され、結合剤で第１の凹部３６１４及び第２の凹部３６１５に結合され得る。一例では、第３の凹部３６１６、第４の凹部３６１７及び第５の凹部３６１８を含む内部キャビティ３６１０の残りの部分は、第２の充填材料３８１４で充填され得る。従って、第２の充填材料３８１４は、フェース部３５６２のバック面３５６６に結合され、第１の凹部３６１４及び第２の凹部３６１５の外側の内壁３６１２の部分に結合され、及び／又はフェース部３５６２と第１の充填材料３８１２の間に配置され得る。本明細書に記載の装置、方法、及び製造物は、これに限定されない。
【０１５３】
第１の充填材料３８１２の幅３８２２（ＷF1）及び第２の充填材料３８１４の幅３８２４（ＷF2）は、トウ部３５４０からヒール部３５５０まで及び／又はトップ３５８０からソール部３５９０まで変化してもよく、及び／又は内部キャビティ３６１０内の位置に応じた第１の凹部３６１４、第２の凹部３６１５、第３の凹部３６１６、第４の凹部３６１７及び／又は第５の凹部３６１８の形状に従って変化してもよい。第１の充填材料３８１２の幅３８２２は、第１の凹部３６１４及び第２の凹部３６１５の形状に従って変化し得る。第１の充填材料３８１２の幅３８２２及び／又は第２の充填材料３８１４の幅３８２４は、内部キャビティ３６１０の１つ又は複数の位置で一定又は実質的に一定で、内部キャビティ３６１０の特定の他の位置で変化し得る。一例では、第１の充填材料３８１２の幅３８２２及び／又は第２の充填材料３８１４の幅３８２４は、内部キャビティ３６１０の内壁３６１２の全て又は一部の輪郭（すなわち、凹部の輪郭）及び／又は第１の充填材料３８１２と第２の充填材料３８１４の間の境界の輪郭と同様又は実質的に同様に、内部キャビティ３６１０の１つ又は複数の位置で変化し得る。一例では、第２の充填材料３８１４は、（ｉ）振動減衰又は音響減衰（例えば、ゴルフクラブヘッド３５００を使用する人によって知覚されるような、ゴルフクラブヘッド３５００でゴルフボールを打つときの一貫した及び／又は心地よい音及び感触）を提供することができ、（ｉｉ）フェース部３５６２に構造的支持を提供することができ、及び／又は（ｉｉｉ）ボール移動距離、ボール速度、ボール打ち出し角度、ボールスピンレート、ボールピーク高さ、ボール着地角度及び／又はボールばらつきを最適化することができる。第１の充填材料３８１２の幅３８２２及び第２の充填材料３８１４の幅３８２４は、比較的高い又は最適な反発係数（ＣＯＲ）がゴルフクラブヘッド３５００に提供されるように、ボール打撃領域３５６８及び／又は内部キャビティ３６１０の他の領域で決定され得る。本明細書に記載の装置、方法、及び製造物は、これに限定されない。
【０１５４】
第１の充填材料３８１２は、比較的高い反発係数（ＣＯＲ）を有するポリマー材料を含み得る。第１の充填材料３８１２のＣＯＲは、第１の充填材料３８１２のゴルフボールサイズのサンプルを空気大砲からスチール板に向かって発射することで決定され得る。大砲と板の間の既知の位置にある２つのスクリーンが、サンプルの進入速度及び反発速度の測定に使用され得る。次に、サンプルのＣＯＲが、反発速度を進入速度で除算して計算され得る。一例では、第１の充填材料３８１２は、１２５ｆｔ／ｓ（３８．１ｍ／ｓ）の進入速度で０．７以上のＣＯＲを有し得る。別の例では、第１の充填材料３８１２は、１２５ｆｔ／ｓ（３８．１ｍ／ｓ）の進入速度で０．７５以上のＣＯＲを有し得る。更に別の例では、第１の充填材料３８１２は、１２５ｆｔ／ｓ（３８．１ｍ／ｓ）の進入速度で０．７以上且つ０．９以下のＣＯＲを有し得る。本明細書に記載の装置、方法、及び製造物は、これに限定されない。
【０１５５】
ゴルフボールサイズのサンプルの圧縮は、ゴルフボールサイズのサンプルのＣＯＲに関連し得る。圧縮とは、ゴルフボールサイズのサンプルが負荷の下でどれだけ変形（圧縮）するかを測定したものである。圧縮率が比較的低い場合は柔らかい充填材料であることを示す一方で、圧縮率が比較的高い場合は硬い充填材料であることを示す。圧縮は、ニュージャージー州ユニオンシティのＡＴＴＩ  Ｅｎｇｉｎｅｅｒｉｎｇ社製のＡＴＴＩ圧縮ゲージを使用して測定され得る。一例では、第１の充填材料３８１２のＣＯＲは、２２以上の圧縮で０．７５以上であり得る。別の例では、第１の充填材料３８１２のＣＯＲは、２以上の圧縮で０．７８以上であり、８０以下の圧縮で０．８以下であり得る。更に別の例では、第１の充填材料３８１２のＣＯＲは、３２以上の圧縮で０．７８以上であり、９０以下の圧縮で０．９以下であり得る。本明細書に記載の装置、方法、及び製造物は、これに限定されない。
【０１５６】
一例では、第１の充填材料３８１２は、１．１ｇ／ｃｍ3 以上且つ１．３ｇ／ｃｍ3 以下の密度を有するポリマー材料であり得る。別の例では、第１の充填材料３８１２は、１．１５ｇ／ｃｍ3 以上且つ１．２５ｇ／ｃｍ3 以下の密度を有するポリマー材料であり得る。更に別の例では、第１の充填材料３８１２は、１．１ｇ／ｃｍ3 以上且つ１．２ｇ／ｃｍ3 以下の密度を有するポリマー材料であり得る。本明細書に記載の装置、方法、及び製造物は、これに限定されない。
【０１５７】
一例では、第１の充填材料３８１２は、本明細書に記載のＣＯＲ及び圧縮範囲を提供し得るゴム又はゴム化合物を含むポリマー材料であってもよい。一例では、第１の充填材料３８１２は、ゴムと、本明細書で説明するような特定の範囲内に圧縮率を維持しながら第１の充填材料３８１２のＣＯＲを最大化するように第１の充填材料３８１２の柔らかさ又は硬さの増加を提供し得る少なくとも別の化合物とを含んでもよい。一例では、第１の充填材料３８１２は、ゴムと、第１の充填材料３８１２の圧縮値及び第１の充填材料３８１２のＣＯＲを増加させ得るジアクリル酸亜鉛（ＺＤＡ）とを含んでもよい。第１の充填材料３８１２中のジアクリル酸亜鉛（ＺＤＡ）の量は、本明細書で説明するように特定のＣＯＲ及び／又は圧縮値を達成するために変化し得る。本明細書に記載の装置、方法、及び製造物は、これに限定されない。
【０１５８】
フェース部３５６２のバック面３５６６に第１の充填材料３８１２を結合するための接着剤は、フェース部３５６２の材料に第１の充填材料３８１２を結合できる任意のタイプの接着剤であり得る。一例では、第１の充填材料３８１２は、ゴム又はゴム化合物であってもよく、フェース部３５６２は、ステンレス鋼などのスチール系材料から構成されてもよい。従って、フェース部３５６２のバック面３５６６に第１の充填材料３８１２を結合するための接着剤は、ゴム又はゴム化合物にスチール系材料を結合するのに使用されるタイプの接着剤であり得る。別の例では、第１の充填材料３８１２は、ゴム又はゴム化合物であってもよく、フェース部３５６２は、チタン又はチタン合金から構成されてもよい。従って、フェース部３５６２のバック面３５６６に第１の充填材料３８１２を結合するための接着剤は、ゴム又はゴム化合物にチタン系材料を結合するのに使用されるタイプの接着剤であり得る。ボディ部３５１０、フェース部３５６２、及び／又は第２の充填材料３８１４の任意の部分への第１の充填材料３８１２の結合と、ボディ部３５１０、フェース部３５６２、及び／又は第１の充填材料３８１２の任意の部分への第２の充填材料３８１４の結合は、参照により組み込まれる出願のいずれかに記載の任意の結合特性及び手順と同様であり得る。本明細書に記載の装置、方法、及び製造物は、これに限定されない。
【０１５９】
一例（不図示）では、内部キャビティ３６１０は、第１の充填材料３８１２で完全に充填され得る。別の例では、図３５〜図４０に示すように、内部キャビティ３６１０は、第１の充填材料３８１２で部分的に充填され得る。従って、第１の内部キャビティ３６１０の残りの部分は、第２の充填材料３８１４で充填され得る。本明細書で説明するように、第２の充填材料３８１４は、第１の充填材料３８１２とフェース部３５６２との結合を（例えば、単独で、又は、１つ又は複数の接着剤と組み合わせて）提供又は支援し得る。換言すると、第２の充填材料３８１４は、フェース部３５６２のバック面３５６６に結合された第１の充填材料３８１２の維持を支援又は維持し得る。本明細書に記載の装置、方法、及び製造物は、これに限定されない。
【０１６０】
第２の充填材料３８１４は、フェース部３５６２からゴルフボールへのエネルギー伝達を最適化するように、密度、圧縮、硬度（すなわち、デュロメータ）、引張強度、せん断強度、粘度、弾性などの第１の充填材料３８１２とは異なる特性を有し得る。第２の充填材料は、ポリマー材料であり得る。一例では、第２の充填材料は、衝撃を吸収、振動を分離、及び／又はノイズを減衰し得る、弾性ポリマー又はエラストマー材料（例えば、オハイオ州ケントのＳｏｒｂｏｔｈａｎｅ社製のＳｏｒｂｏｔｈａｎｅ（登録商標）材料のような粘弾性ウレタンポリマー材料）、熱可塑性エラストマー材料（ＴＰＥ）、熱可塑性ポリウレタン材料（ＴＰＵ）、他のポリマー材料、結合剤（例えば、接着剤）、及び／又は他の適切なタイプの材料を含んでもよい。別の例では、第２の充填材料３８１４は、結合特性を有する１つ又は複数の熱硬化性ポリマー（例えば、１つ又は複数の接着剤又はエポキシ材料）であり得る。第２の充填材料３８１４はまた、ゴルフクラブヘッド４００でゴルフボールを打つときの衝撃を吸収、振動を分離、及び／又はノイズを減衰し得る。更に、第２の充填材料３８１４は、硬化したときに柔軟性又は少しの柔軟性があり得るエポキシ材料であってもよい。別の例では、第２の充填材料３８１４は、ミネソタ州セントポールの３Ｍ  ｃｏｒｐｏｒａｔｉｏｎ社製の３ＭTM  Ｓｃｏｔｃｈ−ＷｅｌｄTM  ＤＰ１００ファミリーのエポキシ接着剤（例えば、３ＭTM  Ｓｃｏｔｃｈ−ＷｅｌｄTM  エポキシ接着剤ＤＰ１００、ＤＰ１００  Ｐｌｕｓ、ＤＰ１００ＮＳ、ＤＰ１００ＦＲ）のいずれかを含み得る。別の例では、充填材料は、３ＭTM  Ｓｃｏｔｃｈ−ＷｅｌｄTM  ＤＰ１００  Ｐｌｕｓ  Ｃｌｅａｒ接着剤を含み得る。別の例では、充填材料は、ミシガン州オーバーンヒルズのＤｏｗ  Ｃｈｅｍｉｃａｌ  Ｃｏｍｐａｎｙ社製の材料であるＭＥＧＵＭTM、ＲＯＢＯＮＤTM、及び／又はＴＨＩＸＯＮTMのような、低粘度有機溶剤型の溶液及び／又はポリマーと他の反応性化学物質の分散液を含み得る。更に別の例では、充填材料は、コネチカット州ロッキーヒルのＨｅｎｋｅｌ  Ｃｏｒｐｏｒａｔｉｏｎ社製のＬＯＣＴＩＴＥ（登録商標）であり得る。本明細書に記載の装置、方法、及び製造物は、これに限定されない。
【０１６１】
図４１〜図５０の例では、ゴルフクラブヘッド４１００は、トウ部エッジ４１４２を持つトウ部４１４０と、ゴルフクラブを形成するために一方の端部にグリップ（不図示）を有すると共に他方の端部にゴルフクラブヘッド４１００を有するシャフト（不図示）を受け入れるように構成されるホーゼル部４１５５を含み得るヒール部エッジ４１５２を持つヒール部４１５０と、外周エッジ部４１６１を持つフロント部４１６０と、バックウォール部４１７２を持つバック部４１７０と、トップ部エッジ４１８２を持つトップ部４１８０と、ソール部エッジ４１９２を持つソール部４１９０とを有するボディ部４１１１を含んでもよい。トウ部４１４０、ヒール部４１５０、フロント部４１６０、バック部４１７０、トップ部４１８０、及び／又はソール部４１９０は、互いに部分的に重なり得る。トウ部エッジ４１４２、ヒール部エッジ４１５２、トップ部エッジ４１８２、及びソール部エッジ４１９２は、ボディ部４１１０の外周を画定し得る。本明細書に記載の装置、方法、及び製造物は、これに限定されない。
【０１６２】
ゴルフクラブヘッド４１００は、アイアン系ゴルフクラブヘッド（例えば、１番アイアン、２番アイアン、３番アイアン、４番アイアン、５番アイアン、６番アイアン、７番アイアン、８番アイアン、９番アイアンなど）、又はウェッジ系ゴルフクラブヘッド（例えば、ピッチングウェッジ、ロブウェッジ、サンドウェッジ、４４度（°），４８°，５２°，５６°，６０°などのｎ度ウェッジなど）であり得る。図４１〜図５２は、特定のタイプのゴルフクラブヘッドを示すが、本明細書に記載の装置、方法、及び製造物は、他のタイプのゴルフクラブヘッド（例えば、ドライバー系ゴルフクラブヘッド、フェアウェイウッド系ゴルフクラブヘッド、ハイブリッド系ゴルフクラブヘッド、パター系ゴルフクラブヘッドなど）に適用可能であり得る。ゴルフクラブヘッド４１００の体積、ゴルフクラブヘッド４１００の構成材料、及び／又はその任意の構成要素は、本明細書に記載及び／又は参照により組み込まれる出願のいずれかに記載の任意のゴルフクラブヘッドと同様であり得る。本明細書に記載の装置、方法、及び製造物は、これに限定されない。
【０１６３】
ゴルフクラブヘッド４１００は、ボディ部４１１０（例えば、１つの単一部品）と一体的に形成され得るフェース部４１６２（すなわち、打撃面）を含んでもよい。一例では、図４１〜図５２に示すように、フェース部４１６２は、フロント部４１６０に（例えば、接着によって、機械的に、溶接によって、及び／又は半田付けによって）結合された別個の部品であり得る。フェース部４１６２は、フロント面４１６４及びバック面４１６６を含み得る。一例（不図示）では、フロント部４１６０は、ボディ部４１１０へのフェース部４１６２の取り付けのためにフェース部４１６２を受け入れるように構成された１つ又は複数の凹んだショルダー部を含み得る。別の例では、図４１〜図５２に示すように、バック面４１６６は、ボディ部４１１０の外周エッジ部４１６１に取り付けられ得る外周部４１６７を含んでもよい。フェース部４１６２の外周部４１６７は、１つ又は複数の留め具、１つ又は複数の接着剤又は結合剤、及び／又は溶接又は半田付けによって、ボディ部４１１０の外周エッジ部４１６１に取り付けられ得る。一例では、図４１〜図５２に示すように、フェース部４１６２の外周部４１６７は、１つ又は複数の位置でボディ部４１１０の外周エッジ部４１６１に溶接され得る。或いは、フェース部４１６２の外周部４１６７の全体は、ボディ部４１１０の外周エッジ部４１６１の全体に溶接（すなわち、連続溶接）され得る。フェース部４１６２は、ゴルフボールを打つためのボール打撃領域４１６８を含み得る。一例では、ボール打撃領域４１６８の中心は、ゴルフボールの打撃にとってフェース部４１６２上の概ね最適な位置（すなわち、最適なボール距離、ボール速度、ボールスピン特性など）を提供し得るフェース部４１６２の幾何学的中心４１６３であってもよい。別の例では、フェース部４１６２の幾何学的中心４１６３は、ボール打撃領域４１６８の中心からオフセットされ得る。しかしながら、ボールは、本明細書に記載のゴルフクラブヘッドのいずれかにおけるボール打撃領域４１６８の外側のフェース部４１６２の任意の部分で打たれてもよく、中心での打撃とは異なる特定のボール飛行特性がもたらされる。フェース部４１６２の構成及びボディ部４１１０のフェース部４１６２への取り付け（例えば、溶接）は、本明細書に記載及び／又は参照により組み込まれる出願のいずれかに記載の任意のゴルフクラブヘッドに多くの点で類似し得る。本明細書に記載の装置、方法、及び製造物は、これに限定されない。
【０１６４】
一例では、フェース部４１６２のフロント面４１６４の面積は、２００ｍｍ2 以上且つ５０００ｍｍ2 以下であり得る。別の例では、フェース部４１６２のフロント面４１６４の面積は、１０００ｍｍ2 以上且つ４０００ｍｍ2 以下であり得る。更に別の例では、フェース部４１６２のフロント面４１６４の面積は、１５００ｍｍ2 以上且つ４１００ｍｍ2 以下であり得る。上記の例では特定の面積を説明したが、フロント面４１６４の面積は、これらの数値より大きくてもよく、小さくてもよい。本明細書に記載の装置、方法、及び製造物は、これに限定されない。
【０１６５】
ゴルフクラブヘッド４１００は、グラウンド面４４１０、水平中央平面４４２０、及びトップ面４４３０に関連付けられ得る。特に、グラウンド面４４１０は、地面に平行又は実質的に平行で、且つ、ゴルフクラブヘッド４１００がアドレス位置にあるとき（例えば、ゴルフクラブヘッド４１００がゴルフボールを打つように位置合わせされたとき）にソール部エッジ４１９２の最下端に接する平面であり得る。トップ面４４３０は、ゴルフクラブヘッド４１００がアドレス位置にあるときにトップ部エッジ４１８２の最上端に接する平面であり得る。グラウンド面４４１０及びトップ面４４３０は、それぞれ、互いに平行又は実質的に平行であり得る。水平中央平面４４２０は、グラウンド面４４１０とトップ面４４３０のそれぞれの間の垂直方向の中間にあり得る。更に、ゴルフクラブヘッド４１００は、ゴルフクラブヘッド４１００のロフト角４４４５（α）を画定するロフト面４４４０に関連付けられ得る。ロフト面４４４０は、フェース部４１６２に対する接平面であり得る。ロフト角４４４５は、ロフト面４４４０と、グラウンド面４４１０に対して垂直な垂直面４４５０との間の角度によって画定され得る。
【０１６６】
ボディ部４１１０は、内壁４２１２を有する内部キャビティ４２１０を含む中空体であり得る。内部キャビティ４２１０は、フロント部４１６０、バック部４１７０、トップ部４１８０、ソール部４１９０の間に延在し得る。図４１〜図５２の例では、ボディ部４１１０の内部キャビティ４２１０は、フェース部４１６２で封止されると共にフェース部４１６２で部分的に画定されてもよい。内部キャビティ４２１０の構成（例えば、高さ、幅、体積、形状など）、ボディ部４１１０に対する内部キャビティ４２１０の構成（例えば、ボディ部４１１０の体積に対する内部キャビティ４２１０の体積）、内部キャビティ４２１０の幅及び高さの変化、及び、ボディ部４１１０の１つ又は複数のポートからの内部キャビティ４２１０へのアクセスは、本明細書に記載及び／又は参照により組み込まれる出願のいずれかに記載の任意のゴルフクラブヘッドと同様であり得る。本明細書に記載の装置、方法、及び製造物は、これに限定されない。
【０１６７】
バック部４１７０のバックウォール部４１７２は、上側バックウォール部４５１２及び下側バックウォール部４５１４を含み得る。バックウォール部４１７２は、トウ部エッジ４１４２とヒール部エッジ４１５２の間に連続的又は不連続的に延在し得るレッジ部４５１６を含んでもよい。下側バックウォール部４５１４は、上側バックウォール部４５１２と下側バックウォール部４５１４の間の移行部分を画定するレッジ部４５１６によって、上側バックウォール部４５１２よりもボディ部４１１０の後方に配置され得る。従って、レッジ部４５１６は、上側バックウォール部４５１２及び下側バックウォール部４５１４に対して横方向に延在し得る。一例では、図４１〜図５２に示すように、レッジ部４５１６は、第１のレッジ部４５２６及び第２のレッジ部４５３６を含み得る。第１のレッジ部４５２６は、トウ部エッジ４１４２からバックウォール部４１７２のバックウォール中央部４５４０までバックウォール部上に延在し得る。第２のレッジ部４５３６は、バックウォール部４１７２の中央部４５４０からヒール部エッジ４１５２まで延在し得る。図４１〜図５２に示すように、レッジ部４５１６は、水平中央平面４４２０の下側にボディ部４４１０の比較的大きい質量を提供することができ、水平中央平面４４２０の下側のボディ部４１１０の質量をボディ部４１１０のより後方に移動させることができる。レッジ部４５１６の幅は、ボディ部４１１０の特定の位置での内部キャビティの幅より大きくてもよく、等しくてもよく、小さくてもよい。レッジ部４５１６の構成（例えば、幅、区分、テーパ、形状など）及び内部キャビティの幅に対するレッジ部４５１６の特性は、本明細書に記載及び／又は参照により組み込まれる出願のいずれかに記載の任意のゴルフクラブヘッドと同様であり得る。本明細書に記載の装置、方法、及び製造物は、これに限定されない。
【０１６８】
ボディ部４１１０は、外部ポート及び／又は内部ポート（例えば、ボディ部４１１０の内部に配置）であり得る１つ又は複数のポートを含んでもよい。内部キャビティ４２１０の内壁４２１２は、１つ又は複数のポート（不図示）を含み得る。一例では、図４１〜図５２に示すように、バック部４１７０は、ボディ部４１１０の外周に沿って又はその近傍に１つ又は複数のポートを含み得る。例えば、ボディ部４１１０は、第１セットのポート４２２０（例えば、ポート４２２１、４２２２として示される）と、第２セットのポート４２３０（例えば、ポート４２３１、４２３２として示される）と、第３セットのポート４２４０（例えば、ポート４２４１、４２４２、４２４３として示される）と、第４セットのポート４２５０（例えば、ポート４２５１、４２５２として示される）とを含み得る。他のポートに対する位置、間隔、及び、第１セットのポート４２２０、第２セットのポート４２３０、第３セットのポート４２４０及び／又は第４セットのポート４２５０の各ポートの他の構成は、参照により組み込まれる出願のいずれかに記載の任意のポートに多くの点で類似し得る。更に、第１セットのポート４２２０、第２セットのポート４２３０、第３セットのポート４２４０及び／又は第４セットのポート４２５０の任意の１つ又は複数のポートは、内部キャビティ４２１０に接続されてもよく、それを通じて１つ又は複数の充填材料が内部キャビティ４２１０に注入され得る。図４１〜図５２の例では、ポート４２２１、４２３１、４２５１は、それぞれ、開口部４２６１、４２７１、４２８１を介して内部キャビティ４２１０に接続され得る。本明細書に記載の装置、方法、及び製造物は、これに限定されない。
【０１６９】
第１セットのポート４２２０の各ポートは、第１セットのポート４２２０のいずれかのポートのポート直径よりも小さい距離だけ離され得る。第２セットのポート４２３０の各ポートは、第２セットのポート４２３０のいずれかのポートのポート直径よりも小さい距離だけ離され得る。第３セットのポート４２４０の各ポートは、第３セットのポート４２４０のいずれかのポートのポート直径よりも小さい距離だけ離され得る。第４セットのポート４２５０の各ポートは、第３セットのポート４２５０のいずれかのポートのポート直径よりも小さい距離だけ離され得る。一例では、第１セットのポート４２２０と第２セットのポート４２３０は、第１セットのポート４２２０と第２セットのポート４２３０のいずれかのポートのポート直径よりも大きい距離だけ離間され得る。別の例では、第２セットのポート４２３０と第３セットのポート４２４０は、第２セットのポート４２３０と第３セットのポート４２４０のいずれかのポートのポート直径よりも大きい距離だけ離間され得る。更に別の例では、第３セットのポート４２４０と第４セットのポート４２５０は、第３セットのポート４２４０と第４セットのポート４２５０のいずれかのポートのポート直径よりも大きい距離だけ離間され得る。本明細書に記載の装置、方法、及び製造物は、これに限定されない。
【０１７０】
図面ではポートを別々な個々の部品として示しているが、第１セットのポート４２２０、第２セットのポート４２３０、第３セットのポート４２４０、及び第４セットのポート４２５０の各セット又は隣接するポートのセットの組み合わせは、それぞれ、単一のポートであり得る。一例では、第１セットのポート４２２０の全てのポートを組み合わせて単一のポート（例えば、第１のポート）にしてもよい。別の例では、第２セットのポート４２３０の全てのポートを組み合わせて単一のポート（例えば、第２のポート）にしてもよい。別の例では、第３セットのポート４２４０の全てのポートを組み合わせて単一のポート（例えば、第３のポート）にしてもよい。更に別の例では、第４セットのポート４２５０の全てのポートを組み合わせて単一のポート（例えば、第４のポート）にしてもよい。図面では特定の数のポートを示しているが、本明細書に記載の装置、方法、及び製造物は、より多い数又はより少ない数のポートを含み得る。
【０１７１】
ボディ部４１１０は、ボディ部４１１０に結合される一体的な質量部又は別々の質量部であり得る１つ又は複数の質量部（例えば、ウェイト部）を含んでもよい。図４１〜図５２に示すような例では、ボディ部４１１０は、第１セットの質量部４３２０（例えば、質量部４３２１、４３２２として示される）と、第２セットの質量部４３３０（例えば、質量部４３３１、４３３２として示される）と、第３セットの質量部４３４０（例えば、質量部４３４１、４３４２、４３４３として示される）と、第４セットの質量部４３５０（例えば、質量部４３５１、４３５２として示される）とを含み得る。上記の例では質量部の特定の数又は部分を説明したが、参照により組み込まれる出願のいずれかに記載されたように、質量部のセットは、単一の質量部又は複数の質量部を含み得る。例えば、第１セットの質量部４３２０における隣接する質量部のセットのいずれか１つ又は組み合わせは単一の質量部であってもよく、第２セットの質量部４３３０についても単一の質量部であってもよく、第３セットの質量部４３４０についても単一の質量部であってもよく、及び／又は第４セットの質量部４３５０についても単一の質量部であってもよい。更に、第１セットの質量部４３２０、第２セットの質量部４３３０、第３セットの質量部４３４０及び／又は第４セットの質量部４３５０は、ボディ部４１１０の物理的構造の一部であり得る。第１セットの質量部４３２０、第２セットの質量部４３３０、第３セットの質量部４３４０及び／又は第４セットの質量部４３５０は、参照により組み込まれる出願のいずれかに記載の任意の質量部と同様であり得る。本明細書に記載の装置、方法、及び製造物は、これに限定されない。
【０１７２】
内部キャビティ４２１０は、１つ又は複数の類似又は異なるタイプの材料を含み得る１つ又は複数の充填材料（すなわち、キャビティ充填材料）で部分的又は完全に充填されてもよい。一例では、図４１〜図５２に示すように、内部キャビティ４２１０は、第１の充填材料４４１２と第２の充填材料４４１４で充填され得る。第１の充填材料４４１２及び第２の充填材料４４１４は、第１の充填材料４１２及び第２の充填材料４１４のそれぞれと同様であってもよく、本明細書に記載又は参照により組み込まれる出願のいずれかに記載の任意の充填材料と同様であってもよい。本明細書に記載の装置、方法、及び製造物は、これに限定されない。
【０１７３】
第１の充填材料４４１２は、内部キャビティ４２１０の内壁４２１２の全体又は一部に結合され得る。一例では、第１の充填材料４４１２は、内壁４２１２の全体又は一部に取り付けるための固有の接着特性又は結合特性を有し得る。別の例では、第１の充填材料４４１２は、第１の充填材料４４１２と混合され得る１つ又は複数の結合剤又は接着剤で内壁４２１２の全体又は一部に取り付けられてもよい。別の例では、第１の充填材料４４１２は、第１の充填材料４４１２から分離され得る１つ又は複数の結合剤又は接着剤で内壁４２１２の全体又は一部に取り付けられてもよい。本明細書に記載の装置、方法、及び製造物は、これに限定されない。
【０１７４】
一例では、図４３及び図４４に示すように、第１の充填材料４４１２は、フェース部４１６２のボール打撃領域４１６８に概ね対応し得る内壁４２１２の少なくとも一部に結合されてもよく（すなわち、第１の充填材料４４１２は概ねボール打撃領域４１６８の背後に配置され得る）、フェース部４１６２のボール打撃領域４１６８の近傍及び／又はその周囲の領域に結合されてもよい。別の例では、第１の充填材料４４１２は、内壁４２１２の少なくとも１０％に結合され得る。別の例では、第１の充填材料４４１２は、内壁４２１２の少なくとも２５％に結合され得る。更に別の例では、第１の充填材料４４１２は、内壁４２１２の２５％〜５０％に結合され得る。別の例では、第１の充填材料４４１２は、内壁４２１２の４１％〜７５％に結合され得る。更に別の例では、第１の充填材料４４１２は、内壁４２１２の５０％〜９０％に結合され得る。更に別の例では、第１の充填材料４４１２は、内壁４２１２の７５％より多くに結合され得る。更に別の例では、第１の充填材料４４１２は、内壁４２１２の全体に結合され得る。本明細書に記載の装置、方法、及び製造物は、これに限定されない。
【０１７５】
内壁４２１２に結合され得る第１の充填材料４４１２の量は、ゴルフクラブヘッドのロフト角、フェース部４１６２の全体の厚さ、フェース部４１６２の厚さプロファイル、内部キャビティ４２１０の形状、任意のポート又は質量部の位置及び構成、第１の充填材料４４１２の材料特性、及び／又は第２の充填材料４４１４の材料特性に依存してもよい。一例では、比較的大きいロフト角を有するゴルフクラブヘッドは、第１の充填材料４４１２が結合され得る内壁４２１２の部分を制限してもよい。別の例では、比較的小さいロフト角を有するゴルフクラブヘッドは、第１の充填材料４４１２が内壁４２１２の全体又は実質的な部分に結合され得る。更に別の例では、ゴルフクラブヘッドの音響特性は、人に心地よい音及び感触を提供するように内壁４２１２に結合され得る充填材料４４１２の量を決定する要因であってもよい。内壁４２１２に結合された第１の充填材料４４１２の量（すなわち、体積及び／又は質量）は、各ゴルフクラブヘッド（すなわち、特定のロフト角を有する）に対して決定されてもよく、（ｉ）振動減衰又は音響減衰（例えば、ゴルフクラブヘッド４１００を使用する人によって知覚されるような、ゴルフクラブヘッド４１００でゴルフボールを打つときの一貫した及び／又は心地よい音及び感触）を提供することができ、（ｉｉ）フェース部４１６２に構造的支持を提供することができ、及び／又は（ｉｉｉ）ボール移動距離、ボール速度、ボール打ち出し角度、ボールスピンレート、ボールピーク高さ、ボール着地角度及び／又はボールばらつきを最適化することができる。本明細書に記載の装置、方法、及び製造物は、これに限定されない。
【０１７６】
図４１〜図５２の例では、内部キャビティ４２１０の中央部４２１１を含む内部キャビティ４２１０の一部は、ボール打撃領域４１６８に概ね対応し得る内部キャビティ４２１０の一部であってもよく、第１の充填材料４４１２及び第２の充填材料４４１４を含み得る。内部キャビティ４２１０の中央部４２１１での内部キャビティ４２１０の幅４２１３は、内部キャビティ４２１０の他の部分での内部キャビティ４２１０の幅４２１３よりも概ね大きくてもよい。従って、ボール打撃領域４１６８の背後の内部キャビティ４２１０の領域、すなわち、中央部４２１１は、比較的大量の第１の充填材料４４１２及び／又は第２の充填材料４４１４を含み得る。更に、中央部４２１１の構成（すなわち、サイズ、形状、輪郭、体積など）は、ロフト角４４４５に依存し得る。例えば、比較的小さいロフト角４４４５を有するゴルフクラブヘッド４１００は、比較的大きいロフト角４４４５を有するゴルフクラブヘッド４１００よりも大きい中央部４２１１（すなわち、より大きい体積、深さ、高さなど）を有し得る。従って、本明細書で説明するように、内部キャビティ４２１０内、より具体的には、中央部４２１１の第１の充填材料４４１２及び／又は第２の充填材料４４１４の量は、ロフト角４４４５に基づいて決定されてもよく、（ｉ）振動減衰又は音響減衰（例えば、ゴルフクラブヘッド４１００を使用する人によって知覚されるような、ゴルフクラブヘッド４１００でゴルフボールを打つときの一貫した及び／又は心地よい音及び感触）を提供することができ、（ｉｉ）フェース部４１６２に構造的支持を提供することができ、及び／又は（ｉｉｉ）ボール移動距離、ボール速度、ボール打ち出し角度、ボールスピンレート、ボールピーク高さ、ボール着地角度及び／又はボールばらつきを最適化することができる。本明細書に記載の装置、方法、及び製造物は、これに限定されない。
【０１７７】
内部キャビティ４２１０の輪郭又は内壁４２１２の形状は、外周エッジ部４１６１に対して凹んだ複数の凹部によって画定され得る。図４１〜図５２の例では、内部キャビティ４２１０は、第１の凹部４２１４と、第１の凹部４２１４よりも概ね小さい深さ（すなわち、図４４〜図４０の断面図の内部キャビティ４２１３）を有し得る第２の凹部４２１５と、第２の凹部４２１５よりも概ね小さい深さを有し得る第３の凹部４２１６と、第３の凹部４２１６よりも概ね小さい深さを有し得る第４の凹部４２１７と、第４の凹部４２１７よりも概ね小さい深さを有し得る第５の凹部４２１８とを含んでもよい。内部キャビティ４２１０は、より多い又はより少ない凹部を有し得る。本明細書に記載の装置、方法、及び製造物は、これに限定されない。
【０１７８】
第１の凹部４２１４は、概ね、内部キャビティ４２１０の最大幅４２１３を含んでもよく、及び／又は中央部４２１１に隣接又は取り囲む部分を有してもよい。第２の凹部４２１５は、第１の凹部４２１４の全体又は一部に隣接及び／又は取り囲んでもよく、中央部４２１１にあり得る部分を含んでもよい。図４１〜図５２の例では、第２の凹部４２１５は、第１の凹部４２１４の下側に位置する。第３セットのポート４２４０を含むボディ部４１１０の構造の一部は、第２の凹部４２１５と下側バックウォール部４５１４の間にあり得る。従って、第２の凹部４２１５の深さは、ボディ部４１１０が第２の凹部４２１５と下側バックウォール部４５１４の間の第３セットのポート４２４０を収容できるように、第１の凹部４２１４の深さより小さくてもよい。本明細書に記載の装置、方法、及び製造物は、これに限定されない。
【０１７９】
第３の凹部４２１６は、第２の凹部４２１５及び／又は第１の凹部４２１４の全体又は一部に隣接及び／又は取り囲んでもよく、中央部４２１１にあり得る部分を含んでもよい。図４１〜図５２の例では、第３の凹部４２１６は、水平中央平面４４２０の上側で第１の凹部４２１４を取り囲む。第４の凹部４２１７は、外周エッジ部４１６１又はその近傍にあってもよく、及び／又は、第３の凹部４２１６、第２の凹部４２１５及び／又は第１の凹部４２１４の全体又は一部に隣接及び／又は取り囲んでもよい。図４１〜図５２の例では、第４の凹部４２１７は、水平中央平面４４２０の下側の第１の凹部４２１４及び第２の凹部４２１５の部分に隣接する。第２セットのポート４２３０及び第４セットのポート４２５０を含むボディ部４１１０の構造の一部は、第４の凹部４２１７と下側バックウォール部４５１４の間にあり得る。従って、第４の凹部４２１７の深さは、ボディ部４１１０が第４の凹部４２１７と下側バックウォール部４５１４の間の第２セットのポート４２３０及び第４セットのポート４２５０を収容できるように、第１の凹部４２１４及び第２の凹部４２１５の深さより小さくてもよい。本明細書に記載の装置、方法、及び製造物は、これに限定されない。
【０１８０】
第５の凹部４２１８は、外周エッジ部４１６１に隣接し得る。従って、第５の凹部４２１８を含む内部キャビティ４２１０の任意の位置で、第５の凹部４２１８は、外周エッジ部４１６１と、第１の凹部４２１４、第２の凹部４２１５、第３の凹部４２１６、第４の凹部４２１７のいずれかとの間にあり得る。第１セットのポート４２２０を含むボディ部４１１０の構造の一部は、第５の凹部４２１８と上側バックウォール部４５１２の間にあり得る。従って、第５の凹部４２１８の深さは、ボディ部４１１０が第５の凹部４２１８と上側バックウォール部４５１２の間の第１セットのポート４２２０を収容できるように、第３の凹部４２１６に隣接する部分の深さより小さくてもよい。本明細書に記載の装置、方法、及び製造物は、これに限定されない。
【０１８１】
内部キャビティ４２１０は、トウ部４１４０とヒール部４１５０の間に延在し得る１つ又は複数の内部チャネルを含んでもよい。一例では、図４１〜図５２に示すように、内部キャビティ４２１０は、トウ部４１４０の位置から中央部４２１１まで延在し得る第１の内部チャネル４２２５と、ヒール部４１５０の位置から中央部４２１１まで延在し得る第２の内部チャネル４２２６とを含んでもよい。第１の内部チャネル４２２５及び第２の内部チャネル４２２６は、第１の凹部４２１４に接続し、中央部４２１１又はその近傍で第１の凹部４２１４と同じ深さを有し得る。第１の内部チャネル４２２５及び第２の内部チャネル４２２６の深さは、第１の凹部４２１４からトウ部４１４０及びヒール部４１５０のそれぞれに向かって減少し得る。図４１〜図５２の例に示すように、第１の凹部４２１４に接続及び／又は第１の凹部４２１４に近接する第１の内部チャネル４２２５及び／又は第２の内部チャネル４２２６の部分は、第１の凹部４２１４の深さと同様であり得る一定の深さを維持してもよい。或いは、第１の内部チャネル４２２５及び／又は第２の内部チャネル４２２６の全体又は一部は、それぞれ、トウ部４１４０及びヒール部４１５０に向かう方向で減少する深さを有し得る。一例では、図４１〜図５２に示すように、第１の内部チャネル４２２５の高さは、比較的大きく拡張する三角形の第１のチャネル部４２３５を含むように、トウ部４１４０から中央部４２１１に向かって増加する。同様に、第２の内部チャネル４２２６の高さは、比較的大きく拡張する三角形の第２のチャネル部４２３６を含むように、ヒール部４１５０から中央部４２１１に向かって増加する。第１のチャネル部４２３５及び第２のチャネル部４２３６は、それぞれ、中央部４２１１をトウ部４１４０及びヒール部４１５０に向かって更に効果的に拡張し得る。従って、第１のチャネル部４２３５及び第２のチャネル部４２３６は、中央部４２１１とトウ部４１４０とヒール部の間に、第１の充填材料４４１２及び／又は第２の充填材料４４１４のより大きい体積を提供し得る。フェース部４１６２での中心から外れたゴルフボールの打撃に関して、内部チャネル４２２５、４２２６内の第１の充填材料４４１２及び／又は第２の充填材料４４１４の増加した体積は、（ｉ）振動減衰又は音響減衰を提供することができ、（ｉｉ）フェース部４１６２に構造的支持を提供することができ、及び／又は（ｉｉｉ）ボール移動距離、ボール速度、ボール打ち出し角度、ボールスピンレート、ボールピーク高さ、ボール着地角度及び／又はボールばらつきを最適化することができる。更に、内部チャネル４２２６を提供するためにボディ部４１１０から取り除かれる質量、より具体的には、第１のチャネル部４２２５及び第２のチャネル部４２３６の質量は、ゴルフクラブヘッド４１００の慣性モーメントが増加及び／又は重心位置が最適化するように、ボディ部４１１０の他の位置にシフトされ得る。本明細書に記載の装置、方法、及び製造物は、これに限定されない。
【０１８２】
内部キャビティ４２１０は、第１の凹部４２１４〜第５の凹部４２１８と内部チャネル４２２５、４２２６の間の移行領域を画定し得る追加の凹部を含んでもよい。凹部の各々は、他の凹部のいずれか１つ又は幾つかに隣接し、そこに移行し得る。例えば、図４４〜図４６に示すように、第１の凹部４２１４は、第１の凹部４２１４の上側の第３の凹部４２１６に移行及び接続し得る傾斜面４２２７を含んでもよい。更に、凹部のいずれかは、外周エッジ部４１６１に直接的に移行し得る。凹部及び移行領域は、内部キャビティ４２１０の全体的な形状及び／又は輪郭を共同で画定し得る。移行領域は、隣接する凹部に対して垂直、横断、又は含有する壁を含み得る。更に、移行領域は、隣接する凹部を接合する際の丸みを帯びたコーナーを含み、接合されたコーナーでの応力の集中を減少させるようにしてもよい。凹部は、中央部４２１１から外周エッジ部４１６１までの内部キャビティ４２１０の幅の、輪郭に沿った、連続的な、及び／又は段階的な減少を画定し得る。本明細書に記載の装置、方法、及び製造物は、これに限定されない。
【０１８３】
凹部４２１４〜４２１８及び内部チャネル４２２５、４２２６の形状、サイズ、幅、高さ、及び他の特性は、ゴルフクラブヘッド４１００のロフト角４４４５に関連付けられ得る。一例では、図４１〜図５２に示すように、第１の凹部４２１４、第２の凹部４２１５及び第３の凹部４２１６は、第１の充填材料４４１２で充填され得る。第１の充填材料４４１２は、第１の凹部４２１４、第２の凹部４２１５及び第３の凹部４２１６に射出成型され得る。充填材料４４１２は、固有の接着特性又は結合特性を有することにより、第１の充填材料４４１２と混合される結合剤で、及び／又は別の結合剤で、第１の凹部４２１４、第２の凹部４２１５及び第３の凹部４２１６の内壁４２１２に結合され得る。別の例では、第１の充填材料４４１２は、第１の凹部４２１４、第２の凹部４２１５及び第３の凹部４２１６の形状に別々に成形され、結合剤で第１の凹部４２１４、第２の凹部４２１５及び第３の凹部４２１６に結合され得る。一例では、第４の凹部４２１７及び第５の凹部４２１８を含むボディ部４２１０の残りの部分は、第２の充填材料４４１４で充填され得る。従って、第２の充填材料４４１４は、フェース部４１６２のバック面４１６６に結合され、第１の凹部４２１４、第２の凹部４２１５及び第３の凹部４２１６の外側の内壁４２１２の部分に結合され、及び／又はフェース部４１６２と第１の充填材料４４１２の間に配置され得る。本明細書に記載の装置、方法、及び製造物は、これに限定されない。
【０１８４】
第１の充填材料４４１２の幅４４２２（ＷF1）及び第２の充填材料４４１４の幅４４２４（ＷF2）は、トウ部４１４０からヒール部４１５０まで及び／又はトップ４１８０からソール部４１９０まで変化してもよく、及び／又は内部キャビティ４２１０内の位置に応じた第１の凹部４２１４、第２の凹部４２１５、第３の凹部４２１６、第４の凹部４２１７及び／又は第５の凹部４２１８の形状に従って変化してもよい。第１の充填材料４４１２の幅４４２２は、第１の凹部４２１４、第２の凹部４２１５及び第３の凹部４２１６の形状に従って変化し得る。第１の充填材料４４１２の幅４４２２及び／又は第２の充填材料４４１４の幅４４２４は、内部キャビティ４２１０の１つ又は複数の位置で一定又は実質的に一定で、内部キャビティ４２１０の特定の他の位置で変化し得る。一例では、第１の充填材料４４１２の幅４４２２及び／又は第２の充填材料４４１４の幅４４２４は、内部キャビティ４２１０の内壁４２１２の全て又は一部の輪郭（すなわち、凹部の輪郭）及び／又は第１の充填材料４４１２と第２の充填材料４４１４の間の境界の輪郭と同様又は実質的に同様に、内部キャビティ４２１０の１つ又は複数の位置で変化し得る。一例では、第２の充填材料４４１４は、（ｉ）振動減衰又は音響減衰（例えば、ゴルフクラブヘッド４１００を使用する人によって知覚されるような、ゴルフクラブヘッド４１００でゴルフボールを打つときの一貫した及び／又は心地よい音及び感触）を提供することができ、（ｉｉ）フェース部４１６２に構造的支持を提供することができ、及び／又は（ｉｉｉ）ボール移動距離、ボール速度、ボール打ち出し角度、ボールスピンレート、ボールピーク高さ、ボール着地角度及び／又はボールばらつきを最適化することができる。第１の充填材料４４１２の幅４４２２及び第２の充填材料４４１４の幅４４２４は、比較的高い又は最適な反発係数（ＣＯＲ）がゴルフクラブヘッド４１００に提供されるように、ボール打撃領域４１６８及び／又は内部キャビティ４２１０の他の領域で決定され得る。本明細書に記載の装置、方法、及び製造物は、これに限定されない。
【０１８５】
第１の充填材料４４１２は、比較的高い反発係数（ＣＯＲ）を有するポリマー材料を含み得る。第１の充填材料４４１２のＣＯＲは、第１の充填材料４４１２のゴルフボールサイズのサンプルを空気大砲からスチール板に向かって発射することで決定され得る。大砲と板の間の既知の位置にある２つのスクリーンが、サンプルの進入速度及び反発速度の測定に使用され得る。次に、サンプルのＣＯＲが、反発速度を進入速度で除算して計算され得る。一例では、第１の充填材料４４１２は、１２５ｆｔ／ｓ（４４．１ｍ／ｓ）の進入速度で０．７以上のＣＯＲを有し得る。別の例では、第１の充填材料４４１２は、１２５ｆｔ／ｓ（４４．１ｍ／ｓ）の進入速度で０．７５以上のＣＯＲを有し得る。更に別の例では、第１の充填材料４４１２は、１２５ｆｔ／ｓ（４４．１ｍ／ｓ）の進入速度で０．７以上且つ０．９以下のＣＯＲを有し得る。本明細書に記載の装置、方法、及び製造物は、これに限定されない。
【０１８６】
ゴルフボールサイズのサンプルの圧縮は、ゴルフボールサイズのサンプルのＣＯＲに関連し得る。圧縮とは、ゴルフボールサイズのサンプルが負荷の下でどれだけ変形（圧縮）するかを測定したものである。圧縮率が比較的低い場合は柔らかい充填材料であることを示す一方で、圧縮率が比較的高い場合は硬い充填材料であることを示す。圧縮は、ニュージャージー州ユニオンシティのＡＴＴＩ  Ｅｎｇｉｎｅｅｒｉｎｇ社製のＡＴＴＩ圧縮ゲージを使用して測定され得る。一例では、第１の充填材料４４１２のＣＯＲは、２２以上の圧縮で０．７５以上であり得る。別の例では、第１の充填材料４４１２のＣＯＲは、２以上の圧縮で０．７８以上であり、８０以下の圧縮で０．８以下であり得る。更に別の例では、第１の充填材料４４１２のＣＯＲは、３２以上の圧縮で０．７８以上であり、９０以下の圧縮で０．９以下であり得る。本明細書に記載の装置、方法、及び製造物は、これに限定されない。
【０１８７】
一例では、第１の充填材料４４１２は、１．１ｇ／ｃｍ3 以上且つ１．３ｇ／ｃｍ3 以下の密度を有するポリマー材料であり得る。別の例では、第１の充填材料４４１２は、１．１５ｇ／ｃｍ3 以上且つ１．２５ｇ／ｃｍ3 以下の密度を有するポリマー材料であり得る。更に別の例では、第１の充填材料４４１２は、１．１ｇ／ｃｍ3 以上且つ１．２ｇ／ｃｍ3 以下の密度を有するポリマー材料であり得る。本明細書に記載の装置、方法、及び製造物は、これに限定されない。
【０１８８】
一例では、第１の充填材料４４１２は、本明細書に記載のＣＯＲ及び圧縮範囲を提供し得るゴム又はゴム化合物を含むポリマー材料であってもよい。一例では、第１の充填材料４４１２は、ゴムと、本明細書で説明するような特定の範囲内に圧縮率を維持しながら第１の充填材料４４１２のＣＯＲを最大化するように第１の充填材料４４１２の柔らかさ又は硬さの増加を提供し得る少なくとも別の化合物とを含んでもよい。一例では、第１の充填材料４４１２は、ゴムと、第１の充填材料４４１２の圧縮値及び第１の充填材料４４１２のＣＯＲを増加させ得るジアクリル酸亜鉛（ＺＤＡ）とを含んでもよい。第１の充填材料４４１２中のジアクリル酸亜鉛（ＺＤＡ）の量は、本明細書で説明するように特定のＣＯＲ及び／又は圧縮値を達成するために変化し得る。本明細書に記載の装置、方法、及び製造物は、これに限定されない。
【０１８９】
バックウォール部４１７２に第１の充填材料４４１２を結合するための接着剤は、バックウォール部４１７２の材料に第１の充填材料４４１２を結合できる任意のタイプの接着剤であり得る。一例では、第１の充填材料４４１２は、ゴム又はゴム化合物であってもよく、バックウォール部４１７２は、ステンレス鋼などのスチール系材料から構成されてもよい。従って、バックウォール部４１７２に第１の充填材料４４１２を結合するための接着剤は、ゴム又はゴム化合物にスチール系材料を結合するのに使用されるタイプの接着剤であり得る。別の例では、第１の充填材料４４１２は、ゴム又はゴム化合物であってもよく、バックウォール部４１７２は、チタン又はチタン合金から構成されてもよい。従って、バックウォール部４１７２に第１の充填材料４４１２を結合するための接着剤は、ゴム又はゴム化合物にチタン系材料を結合するのに使用されるタイプの接着剤であり得る。ボディ部４１１０、フェース部４１６２、及び／又は第２の充填材料４４１４の任意の部分への第１の充填材料４４１２の結合と、ボディ部４１１０、フェース部４１６２、及び／又は第１の充填材料４４１２の任意の部分への第２の充填材料４４１４の結合は、参照により組み込まれる出願のいずれかに記載の任意の結合特性及び手順と同様であり得る。本明細書に記載の装置、方法、及び製造物は、これに限定されな
【０１９０】
一例（不図示）では、内部キャビティ４２１０は、第１の充填材料４４１２で完全に充填され得る。別の例では、図４１〜図５２に示すように、内部キャビティ４２１０は、第１の充填材料４４１２で部分的に充填され得る。従って、第１の内部キャビティ４２１０の残りの部分は、第２の充填材料４４１４で充填され得る。本明細書で説明するように、第２の充填材料４４１４は、第１の充填材料４４１２とバックウォール部４１７２との結合を（例えば、単独で、又は、１つ又は複数の接着剤と組み合わせて）提供又は支援し得る。換言すると、第２の充填材料４４１４は、バックウォール部４１７２に結合された第１の充填材料４４１２の維持を支援又は維持し得る。本明細書に記載の装置、方法、及び製造物は、これに限定されない。
【０１９１】
第２の充填材料４４１４は、フェース部４１６２からゴルフボールへのエネルギー伝達を最適化するように、密度、圧縮、硬度（すなわち、デュロメータ）、引張強度、せん断強度、粘度、弾性などの第１の充填材料４４１２とは異なる特性を有し得る。第２の充填材料は、ポリマー材料であり得る。一例では、第２の充填材料は、衝撃を吸収、振動を分離、及び／又はノイズを減衰し得る、弾性ポリマー又はエラストマー材料（例えば、オハイオ州ケントのＳｏｒｂｏｔｈａｎｅ社製のＳｏｒｂｏｔｈａｎｅ（登録商標）材料のような粘弾性ウレタンポリマー材料）、熱可塑性エラストマー材料（ＴＰＥ）、熱可塑性ポリウレタン材料（ＴＰＵ）、他のポリマー材料、結合剤（例えば、接着剤）、及び／又は他の適切なタイプの材料を含んでもよい。別の例では、第２の充填材料４４１４は、結合特性を有する１つ又は複数の熱硬化性ポリマー（例えば、１つ又は複数の接着剤又はエポキシ材料）であり得る。第２の充填材料４４１４はまた、ゴルフクラブヘッド４００でゴルフボールを打つときの衝撃を吸収、振動を分離、及び／又はノイズを減衰し得る。更に、第２の充填材料４４１４は、硬化したときに柔軟性又は少しの柔軟性があり得るエポキシ材料であってもよい。別の例では、第２の充填材料４４１４は、ミネソタ州セントポールの３Ｍ  ｃｏｒｐｏｒａｔｉｏｎ社製の３ＭTM  Ｓｃｏｔｃｈ−ＷｅｌｄTM  ＤＰ１００ファミリーのエポキシ接着剤（例えば、３ＭTM  Ｓｃｏｔｃｈ−ＷｅｌｄTM  エポキシ接着剤ＤＰ１００、ＤＰ１００  Ｐｌｕｓ、ＤＰ１００ＮＳ、ＤＰ１００ＦＲ）のいずれかを含み得る。別の例では、充填材料は、３ＭTM  Ｓｃｏｔｃｈ−ＷｅｌｄTM  ＤＰ１００  Ｐｌｕｓ  Ｃｌｅａｒ接着剤を含み得る。別の例では、充填材料は、ミシガン州オーバーンヒルズのＤｏｗ  Ｃｈｅｍｉｃａｌ  Ｃｏｍｐａｎｙ社製の材料であるＭＥＧＵＭTM、ＲＯＢＯＮＤTM、及び／又はＴＨＩＸＯＮTMのような、低粘度有機溶剤型の溶液及び／又はポリマーと他の反応性化学物質の分散液を含み得る。更に別の例では、充填材料は、コネチカット州ロッキーヒルのＨｅｎｋｅｌ  Ｃｏｒｐｏｒａｔｉｏｎ社製のＬＯＣＴＩＴＥ（登録商標）であり得る。本明細書に記載の装置、方法、及び製造物は、これに限定されない。
【０１９２】
一例では、図５２に示すように、フェース部４１６２のバック面４１６６は、フェース部４１６２の外周部４１６７に近接する１つ又は複数の溝を含み得る。一例では、図５２に示すように、溝４１６９は、外周部４１６７に近接して外周部４１６７の経路と同様の経路に延在する連続的な溝（すなわち、ループを画定）であり得る。溝４１６９は、フェース部４１６２の比較的薄い部分を含む。従って、溝４１６９は、ゴルフボールがフェース部４１６２に当たったときに、フェース部４１６２がより大きな反発力（すなわち、より大きなトランポリン効果）を提供するように、フェース部４１６２の柔軟性を増加させてもよく、これによりゴルフボールにより大きな速度を提供し得る。溝４１６９の全体又は一部は、第１の充填材料４４１２及び／又は第２の充填材料４４１４で充填され得る。ゴルフクラブヘッド４１００の例では、溝４１６９の全体は、第２の充填材料４４１４で充填され得る。従って、第２の充填材料４４１４は、溝４１６９によって画定されるフェース部４１６２の比較的薄い部分を構造的に支持し得る。本明細書に記載の任意のゴルフクラブヘッドのフェース部は、溝４１６９を含み得る。例えば、図３５のゴルフクラブヘッド３５００のフェース部３５６２は、第２の充填材料３８１４及び／又は第１の充填材料３８１２で充填され得る同様の溝を含み得る。本明細書に記載の装置、方法、及び製造物は、これに限定されない。
【０１９３】
図５３は、ゴルフクラブヘッド４１００又は本明細書に記載の任意のゴルフクラブヘッドを製造する方法の１つを示す。図５３の例では、プロセス５３００は、ゴルフクラブヘッド４１００のボディ部４１１０及びフェース部４１６２を供給することで開始され得る（ブロック５３１０）。第１の充填材料４４１２は、内部キャビティ４２１０に結合され得る（ブロック５３２０）。一例では、第１の充填材料４４１２が、射出成型によって、内部キャビティ４２１０の本明細書に記載の１つ又は複数の凹部（すなわち、本明細書に記載の任意の凹部）に成形され得る。次に、第１の充填材料４４１２が、環境温度で、又は第１の充填材料４４１２に使用される材料に応じた１つ又は複数の加熱／冷却サイクルによって硬化され得る。別の例では、第１の充填材料４４１２が、本明細書に記載の１つ又は複数の凹部の形状に成形され、その後、本明細書に記載の結合剤で１つ又は複数の凹部に結合され得る。次に、フェース部４１６２が、本明細書で説明するようにボディ部に取り付けられて、内部キャビティ４２１０が封止され得る（ブロック５３３０）。次に、第２の充填材料４４１４が、本明細書で説明するように内部キャビティ４２１０に接続され得る、第１セットのポート４２２０、第２セットのポート４２３０、第３セットのポート４２４０及び／又は第４セットのポート４２５０の１つ又は複数のポートを通じて内部キャビティ４２１０に注入されてもよい（ブロック５３４０）。次に、第２の充填材料４４１４が、環境温度で、又は第２の充填材料４４１４に使用される材料に応じた１つ又は複数の加熱／冷却サイクルによって硬化され得る。本明細書に記載の装置、方法、及び製造物は、これに限定されない。
【０１９４】
一例では、図５４に示すように、フェース部５４６２は、第１の厚さ５４１０（Ｔ１）又は第２の厚さ５４２０（Ｔ２）を有し得る。第１の厚さ５４１０は、溝５４６８に隣接するフェース部５４６２の断面の厚さであり得る一方で、第２の厚さ５４２０は、溝５４６８の下側のフェース部５４６２の断面の厚さであり得る。例えば、第１の厚さ５４１０は、フロント面５４６４とバック面５４６６の間の最大距離であり得る。第２の厚さ５４２０は、溝５４６８に基づき得る。特に、溝５４６８は、溝の深さ５４２５（Ｄgroove）を有し得る。第２の厚さ５４２０は、溝５４６８の底部とバック面５４６６の間の最大距離であり得る。第２の厚さ５４２０と溝の深さ５４２５の合計は、第１の厚さ５４１０と実質的に等しくてもよい（例えば、Ｔ２＋Ｄgroove＝Ｔ１）。従って、第２の厚さ５４２０は、第１の厚さ５４１０より小さくてもよい（例えば、Ｔ２＜Ｔ１）。
【０１９５】
本明細書に記載の任意のゴルフクラブヘッドのＣＧなどのゴルフクラブヘッドのＣＧを下げ及び／又は更に後方に移動させるために、ゴルフクラブヘッドのフロント部の質量は、比較的薄いフェース部５４６２を使用することで除去され得る。例えば、第１の厚さ５４１０又は第２の厚さ５４２０は、約０．１インチ（２．５４ミリメートル）以下であり得る。別の例では、第１の厚さ５４１０又は第２の厚さ５４２０は、約０．０７５インチ（１．９０５ミリメートルであり得る（例えば、Ｔ１＝０．０７５インチ）。ゴルフクラブヘッドのバックウォール部を支持して内部キャビティを形成し、本明細書に記載の１つ又は複数の充填材料で内部キャビティの少なくとも一部を充填することで、フェース部５４６２は、ゴルフクラブヘッド１００の構造的完全性、音、及び／又は感触を劣化させずに比較的薄くされ得る（例えば、Ｔ１＜０．０７５インチ）。一例では、第１の厚さ５４１０は、０．０６０インチ（１．５２４ミリメートル）以下であり得る（例えば、Ｔ１≦０．０６０インチ）。別の例では、第１の厚さ５４１０は、０．０４０インチ（１．０１６ミリメートル）以下であり得る（例えば、Ｔ１≦０．０４０インチ）。フェース部５４６２及び／又はボディ部１１０の形成に使用される材料のタイプに基づいて、フェース部５４６２は更に薄くてもよく、第１の厚さ５４１０は０．０３０インチ（０．７６２ミリメートル）以下であり得る（例えば、Ｔ１≦０．０３０インチ）。溝の深さ５４２５は、第２の厚さ５４２０以上であり得る（例えば、Ｄgroove≧Ｔ２）。一例では、溝の深さ５４２５は、約０．０２０インチ（０．５０８ミリメートル）であり得る（例えば、Ｄgroove＝０．０２０インチ）。従って、第２の厚さ５４２０は、約０．０１０インチ（０．２５４ミリメートル）であり得る（例えば、Ｔ２＝０．０１０インチ）。別の例では、溝の深さ５４２５は、約０．０１５インチ（０．３８１ミリメートル）であってもよく、第２の厚さ５４２０は、約０．０１５インチであってもよい（例えば、Ｄgroove＝Ｔ２＝０．０１５インチ）。或いは、溝の深さ５４２５は、第２の厚さ５４２０より小さくてもよい（例えば、Ｄgroove＜Ｔ２）。ゴルフクラブヘッドのバックウォール部の支持と内部キャビティの充填に使用される１つ又は複数の充填材料が無ければ、ゴルフクラブヘッドは、フェース部によるゴルフボールへの複数回の衝撃に耐えることができない可能性がある。対照的に、比較的薄いフェース部を有するがバックウォール部の支持と本明細書に記載の１つ又は複数の充填材料の支持が無いゴルフクラブヘッド（例えば、キャビティバックゴルフクラブヘッド）は、ゴルフボールとの衝突中に不快な音（例えば、安っぽい音）及び／又は感触を生じ得る。本明細書に記載の装置、方法、及び製造物は、これに限定されない。
【０１９６】
本明細書に記載の任意のゴルフクラブヘッドなどのゴルフクラブヘッドの形成に使用される製造プロセス及び方法に基づいて、フェース部５４６２は、フェース部５４６２の外周又はその近傍に追加の材料を含み得る。従って、フェース部５４６２はまた、第３の厚さ５４３０、及び面取り部５４４０を有し得る。第３の厚さ５４３０は、第１の厚さ５４１０又は第２の厚さ５４２０のいずれよりも大きくてもよい（例えば、Ｔ３＞Ｔ１＞Ｔ２）。特に、フェース部５４６２は、溶接プロセスによってゴルフクラブヘッドのボディ部に結合され得る。例えば、第１の厚さ５４１０は、約０．０３０インチ（０．７６２ミリメートル）であってもよく、第２の厚さ５４２０は、約０．０１５インチ（０．３８１ミリメートル）であってもよく、第３の厚さ５４３０は、約０．０５０インチ（１．２７ミリメートル）であってもよい。従って、面取り部５４４０は、フェース部５４６２がゴルフクラブヘッドのボディ部に溶接されるときに、追加の材料の一部を収容し得る。
【０１９７】
図５５に示すように、例えば、フェース部５４６２は、１つ又は複数の溝５４６８の下側に、概ね５５０５として示される、補強区間を含み得る。一例では、フェース部５４６２は、各溝の下側に補強区間５５０５を含み得る。或いは、フェース部５４６２は、幾つかの溝（例えば、他の全ての溝）の下側又は１つの溝のみの下側に補強区間５５０５を含み得る。フェース部５４６２は、第１の厚さ５５１０、第２の厚さ５５２０、第３の厚さ５５３０、及び面取り部５５４０を含み得る。溝５４６８は、溝の深さ５５２５を有し得る。補強区間５５０５は、第２の厚さ５５２０を画定し得る。第１厚さ５５１０及び第２厚さ５５２０は、それぞれ、互いに実質的に等しくてもよい（例えば、Ｔ１＝Ｔ２）。一例では、第１の厚さ５５１０及び第２の厚さ５５２０は、それぞれ、約０．０３０インチ（０．７６２ミリメートル）であり得る（例えば、Ｔ１＝Ｔ２＝０．０３０インチ）。溝の深さ５５２５は、約０．０１５インチ（０．３８１ミリメートル）であってもよく、第３の厚さ５５３０は、約０．０５０インチ（１．２７ミリメートル）であってもよい。溝５４６８はまた、溝の幅を有し得る。補強区間５５０５の幅は、溝の幅以上であり得る。本明細書に記載の装置、方法、及び製造物は、これに限定されない。
【０１９８】
或いは、フェース部５４６２は、ゴルフクラブヘッドのトップ部とソール部及び／又はそれらの間で厚さが変化してもよい。一例では、フェース部５４６２は、トップ部又はその近傍が、ソール部又はその近傍よりも比較的厚くてもよい（例えば、フェース部５４６２の厚さは、トップ部からソール部に向かって徐々に減少し得る）。別の例では、フェース部５４６２は、ソール部又はその近傍が、トップ部又はその近傍よりも比較的厚くてもよい（例えば、フェース部５４６２の厚さは、ソール部からトップ部に向かって徐々に減少し得る）。更に別の例では、フェース部５４６２は、トップ部とソール部の間が、トップ部とソール部又はそれらの近傍よりも比較的厚くてもよい（例えば、フェース部５４６２の厚さは、ベル型の輪郭を有し得る）。フェース部５４６２は、参照により組み込まれる出願のいずれかに記載の任意のフェース部と同様であり得る。本明細書に記載の装置、方法、及び製造物は、これに限定されない。
【０１９９】
本明細書に記載の質量部のセットのいずれかの１つ又は複数の質量部は、類似又は異なる物理的特性（例えば、色、刻印、形状、サイズ、密度、質量、体積、外面の質感、構成材料など）を有し得る。従って、本明細書に記載の質量部のセットのいずれも、ゴルフクラブヘッドの装飾デザインに寄与し得る。図５６に示すような例では、本明細書に記載の質量部のセットのいずれかの１つ又は複数の質量部は、円筒の形状（例えば、円形の断面）を有し得る。或いは、本明細書に記載の質量部のセットのいずれかの１つ又は複数の質量部は、第１の形状（例えば、円筒の形状）を有し得る一方で、本明細書に記載の質量部の別のセットの１つ又は複数の質量部は、第２の形状（例えば、立方体の形状）を有し得る。別の例では、本明細書に記載の質量部のセットのいずれかの１つ又は複数の質量部は、異なる形状を有する２つ以上の質量部を含み得る。別の例では、本明細書に記載の質量部のセットのいずれかの１つ又は複数の質量部は、本明細書に記載の質量部の別のセットの１つ又は複数の質量部と比較して、異なる色、マーク、形状、密度、質量、体積、構成材料、外面の質感、及び／又は任意の他の物理的特性を有し得る。本明細書に記載の任意の質量部又は質量部のセットの特性は、参照により組み込まれる出願のいずれかに記載の任意の質量部又は質量部のセットと同様であり得る。本明細書に記載の装置、方法、及び製造物は、これに限定されない。
【０２００】
図５７及び図５８を参照すると、例えば、第１の質量部５７００及び第２の質量部５８００は、それぞれ、本明細書に記載のポートに固定するためにポート内に構成されたネジ山に対応して係合する、概ね５７１０、５８１０として示されるネジ山を含み得る。従って、本明細書に記載の１つ又は複数の質量部は、ポート内のネジ山に係合するネジ又はネジ部品と同様の形状及び機能であり得る。例えば、本明細書に記載の質量部のセットのいずれかの１つ又は複数の質量部は、ネジであり得る。本明細書に記載の質量部のセットのいずれかの１つ又は複数の質量部は、工具の有無に関わらず、ゴルフクラブヘッドのボディ部から容易に取り外しできなくてもよい。或いは、本明細書に記載の質量部のセットのいずれかの１つ又は複数の質量部は、比較的重い又は軽い質量部で本明細書に記載の質量部のセットのいずれかの１つ又は複数の質量部を交換できるように、（例えば、工具で）容易に取り外し可能であり得る。別の例では、本明細書に記載の質量部のセットのいずれかの１つ又は複数の質量部は、質量部を容易に取り外しできないように、エポキシ樹脂又は接着剤でポートに固定され得る。更に別の例では、本明細書に記載の質量部のセットのいずれかの１つ又は複数の質量部は、質量部を容易に取り外しできないように、ネジとネジシーラント（例えば、アクリル接着剤、シアノアクリレート接着剤、エポキシ樹脂、熱可塑性接着剤、シリコンシーラント、又はウレタン接着剤）の両方でポートに固定され得る。更に別の例では、本明細書に記載の質量部のセットのいずれかの１つ又は複数の質量部は、ポートに圧入され得る。更に別の例では、本明細書に記載の質量部のセットのいずれかの１つ又は複数の質量部は、射出成型によってポートの内部に形成され得る。例えば、液体金属材料（すなわち、溶融金属）又はプラスチック材料（例えば、ゴム、発泡体、又は任意のポリマー材料）が、ポート内に注入又は導入され得る。液体材料がポート内で冷却及び／又は硬化された後、その結果の固体材料（例えば、金属材料、プラスチック材料、又はそれらの組み合わせ）は質量部を形成し得る。本明細書に記載の装置、方法、及び製造物は、これに限定されない。
【０２０１】
上記のように、本明細書に記載の質量部のセットのいずれかの１つ又は複数の質量部は、幾つかの物理的特性は類似するが、他の物理的特性は異なってもよい。例えば、ある質量部はアルミニウム系材料又はアルミニウム合金から作製され得る一方で、別の質量部はタングステン系材料又はタングステン合金から作製され得る。別の例では、ある質量部はポリマー材料から作製され得る一方で、別の質量部はスチール系材料から作製され得る。更に別の例では、図５６〜図５８に示すように、本明細書に記載の質量部のセットのいずれかの１つ又は複数の質量部は、約０．２５インチ（６．３５ミリメートル）の直径５６１０を有し得るが、本明細書に記載の質量部の別のセットの１つ又は複数の質量部は、異なる高さであり得る。特に、本明細書に記載の質量部のセットのいずれかの１つ又は複数の質量部は、第１の高さ５７２０に関連付けられてもよく、本明細書に記載の質量部の別のセットの１つ又は複数の質量部は、第２の高さ５８２０に関連付けられてもよい。第１の高さ５７２０は、第２の高さ５８２０より比較的小さくてもよい。一例では、第１の高さ５７２０は約０．１２５インチ（３．１７５ミリメートル）であり得る一方で、第２の高さ５８２０は、約０．３インチ（７．６２ミリメートル）であり得る。別の例では、第１の高さ５７２０は約０．１６インチ（４．０６４ミリメートル）であり得る一方で、第２の高さ５８２０は約０．４インチ（１０．１６ミリメートル）であり得る。或いは、第１の高さ５７２０は、第２の高さ５８２０以上であり得る。上記の例は特定の寸法を説明し得るが、本明細書に記載の１つ又は複数の質量部は、異なる寸法を有し得る。一例では、本明細書に記載の任意の質量部は、本明細書に記載の任意のポートで交換可能に使用され得る。本明細書に記載の任意の質量部の任意の特性は、参照により組み込まれる出願のいずれかに記載の任意の質量部の対応する特性と同様であり得る。本明細書に記載の装置、方法、及び製造物は、これに限定されない。
【０２０２】
本明細書に記載の任意の充填材料は、本明細書に記載の任意のゴルフクラブヘッドの製造中に異なるプロセスに供され得る。そのようなプロセスは、１つ又は複数の射出成型プロセス又は射出成型後の硬化プロセスの間に、伝導、対流及び／又は放熱によって、加熱及び／又は冷却される１つ又は複数の充填材料を含み得る。例えば、全ての加熱及び冷却プロセスは、本明細書に記載の期間の加熱又は冷却環境を通して本明細書に記載のゴルフクラブヘッドを移動させるコンベアベルトを使用する加熱又は冷却システムを用いて実行され得る。１つ又は複数の充填材料でゴルフクラブヘッドを製造するプロセスは、参照により組み込まれる出願のいずれかに記載の任意のプロセスと同様であり得る。本明細書に記載の装置、方法、及び製造物は、これに限定されない。
【０２０３】
本明細書に記載の任意のゴルフクラブヘッドは、スチールなどの金属から鋳造によって製造され得る。しかしながら、金属又はセラミックなどの非金属材料からのゴルフクラブヘッドの３Ｄ印刷又は成形など、本明細書に記載のゴルフクラブヘッドを製造するための他の技術が使用され得る。
【０２０４】
本明細書に記載の全ての方法が、本明細書で別段の指示がない限り、又は、文脈によって明らかに矛盾しない限り、任意の適切な順番で実行され得る。１つ又は複数のプロセスに関して特定の順序のアクションを本明細書で説明し得るが、これらのアクションは、他の時系列的な順序でも実行され得る。更に、本明細書に記載の任意のプロセスにおける２つ以上のアクションが、連続して、同時に、又は一斉に実行され得る。
【０２０５】
本明細書に記載の装置、方法、及び製造物は、１つ又は複数のクラブ識別子（例えば、シリアル番号、マトリクスバーコード、商標、クラブ番号、ロフト角、文字など）を含み得る。例えば、本明細書に記載の任意のゴルフクラブヘッドは、ゴルフクラブヘッドのタイプを識別するためのクラブ番号などの視覚的識別子を含み得る。特に、クラブ番号は、ゴルフクラブヘッドのロフト角に対応し得る（例えば、３、４、５、６、７、８、又は９）。一例では、７番のアイアン系ゴルフクラブヘッドは、「７」が刻印され得る。別の例では、ゴルフクラブヘッドは、ロフト角が刻印され得る。例えば、５４度のウェッジ系ゴルフクラブヘッドは、「５４」が刻印され得る。更に別の例では、１０．５度のドライバー系ゴルフクラブヘッドは、「１０．５」が刻印され得る。クラブ識別子に関連付けられた任意の刻印は、ゴルフクラブヘッドの残りの部分から視覚的に区別され得る（例えば、異なる色、質感、パターンなど）。他のゴルフクラブヘッドと区別できるように、本明細書に記載のゴルフクラブヘッドは、ゴルフクラブのブランド名又はモデルを識別する（例えば、他の製造業者又は販売業者と区別する）ための商標（例えば、単語、名称、記号、模様、又はこれらの任意の組み合わせ）を含み得る。クラブ識別子は、ゴルフクラブを真正の用具として識別するため、在庫を追跡するため、又は、ゴルフクラブを模倣品又は偽造品から区別するための、製品番号又はシリアル番号などの別のタイプの視覚的識別子であり得る。或いは、クラブ識別子は、ゴルフクラブヘッドに関する情報又はデータのデジタル署名又は機械読み取り可能な光学表現であり得る（例えば、数字、英数字、バイト、ＵＰＣ（Ｕｎｉｖｅｒｓａｌ  Ｐｒｏｄｕｃｔ  Ｃｏｄｅ）などの一次元バーコード、ＱＲ（Ｑｕｉｃｋ  Ｒｅｓｐｏｎｓｅ）コードなどの二次元バーコードなど）。クラブ識別子は、様々な方法（例えば、ゴルフクラブヘッドへの塗装、レーザーエッチング、スタンプ、鋳造、又は成形）を使用して、ゴルフクラブヘッドの様々な位置（例えば、ヒール部、ホーゼル部、フェース部、トップ部ソール部、など）に配置され得る。例えば、クラブ識別子は、ゴルフクラブヘッドのホーゼル部にレーザーエッチングされたシリアル番号であり得る。ゴルフクラブヘッドと一体的な部分に代えて、クラブ識別子は、ゴルフクラブヘッドに結合された別々の構成要素であり得る（例えば、接着剤又はエポキシ樹脂を介して接着されたラベル）。本明細書に記載の装置、方法、及び製造物は、これに限定されない。
【０２０６】
上記の例はアイアン系又はウェッジ系のゴルフクラブヘッドを説明し得るが、本明細書に記載の装置、方法、及び製造物は、他のタイプのゴルフクラブヘッドに適用可能であり得る。更に、上記の例はスチール系材料を説明し得るが、本明細書に記載の装置、方法、及び製造物は、他のタイプの金属材料、非金属材料、又はその両方に適用可能であり得る。
【０２０７】
本明細書に列挙した値の範囲は、範囲内のそれぞれ別個の値を個別に言及する簡易な方法として提示することを意図したものにすぎない。本明細書で別段の指示がない限り、個々の値は、本明細書に個々に列挙されたかのように本明細書に組み込まれる。「ｂｅｔｗｅｅｎ（間）」という単語を使用して定義された数値範囲は、数値範囲の両端の数値が含まれる。「ｂｅｔｗｅｅｎ（間）」という単語を使用して定義された空間範囲は、空間範囲内の任意の点及び空間範囲の境界が含まれる。「ｂｅｔｗｅｅｎ（間）」という単語を使用して２つの離間した又は重なり合う要素に対して表される位置は、（ｉ）要素間の任意の空間、（ｉｉ）各要素の一部、（ｉｉｉ）各要素の境界を含む。
【０２０８】
本開示の様々な実施形態を説明する文脈で使用される用語「ａ」、「ａｎ」、及び／又は「ｔｈｅ」は、本明細書で別段の指示がない限り、又は、文脈によって明らかに矛盾しない限り、単数形及び複数形の両方をカバーすると理解されるべきである。「Ｃｏｕｐｌｅｄ（結合）」という用語及びその任意の変形は、２つ以上の要素を化学的、機械的、及び／又は他の方法で直接又は間接に接続することを指す。「ｒｅｍｏｖａｂｌｙ  ｃｏｎｎｅｃｔｅｄ（取り外し可能に接続された）」という語句は、「取り外し可能に接続された」２つの要素が、いずれかの要素の有用性を破壊又は損なうことなしに互いに分離され得るように定義される。
【０２０９】
「ｓｕｂｓｔａｎｔｉａｌｌｙ（実質的に，略、など）」という用語は、要素の特徴、パラメータ、特性、又は値の説明に使用される場合、要素が提供しようとする特徴、パラメータ、特性、又は値を損なわない偏差又は変動を表し得る。要素の特徴、パラメータ、特性、又は値の偏差又は変動は、例えば、許容誤差、測定誤差、測定精度限界及び他の要因に基づき得る。「ｐｒｏｘｉｍａｔｅ（近接）」という用語は、「ａｄｊａｃｅｎｔ（隣接）」、「ｃｌｏｓｅ（近い）」、「ｉｍｍｅｄｉａｔｅ（接近）」、「ｎｅａｒｂｙ（近隣）」などの用語と同義であり、これらの用語は、本開示に現れるように交換可能に使用され得る。
【０２１０】
本明細書で提供される任意及び全ての実施例又は例示的な文言（例えば、「ｓｕｃｈ  ａｓ（など）」の使用は、単なる説明を意図したものであり、本開示の範囲を制限するものではない。本明細書のいかなる文言も、本明細書で論じられる実施形態の実施に不可欠なクレームされていない要素を示すものとして理解されるべきではない。本明細書に記載の装置、方法、及び製造物は、種々の実施形態で実現することができ、これらの実施形態の幾つかの上記説明は、必ずしも全ての可能な実施形態の完全な説明を表すものではない。代わりに、図面の説明、及び図面自体は、少なくとも１つの実施形態を開示し、及び代替の実施形態を開示し得る。
【０２１１】
本明細書で開示した代替要素又は実施形態のグループ化は、制限として理解されるべきではない。各グループ要素は、個別に、又は、グループの他の要素又は本明細書に記載の他の要素との任意の組み合わせで、参照又はクレーム化され得る。グループの１つ以上の要素は、利便性及び／又は特許性の理由で、グループに包含されてもよく、グループから削除されてもよい。そのような包含又は削除が起きた場合、本明細書は、変更されたグループが含まれると見做されるので、添付の特許請求の範囲で使用された全てのマーカッシュグループの記載が満たされる。
【０２１２】
一実施形態の異なる特徴又は態様が１つ又は複数の特徴に関して説明され得るが、単一の特徴は複数の要素を含んでもよく、複数の特徴は本開示の範囲から逸脱することなく１つの要素に組み合わされてもよい。更に、方法は１つ又は複数の操作を含むものとして開示され得るが、単一の操作は複数のステップを含んでもよく、複数の操作は本介助の範囲から逸脱することなく１つのステップに組み合わされてもよい。
【０２１３】
ゴルフのルールが時々変更され得る（例えば、ＵＳＧＡ（Ｕｎｉｔｅｄ  Ｓｔａｔｅｓ  Ｇｏｌｆ  Ａｓｓｏｃｉａｔｉｏｎ）、Ｒ＆Ａ（Ａｎｃｉｅｎｔ  Ｇｏｌｆ  Ｃｌｕｂ  ｏｆ  Ｓｔ．  Ａｎｄｒｅｗｓ）などのゴルフ標準団体及び／又は運営組織によって、新しい規則が採択され得る又は古い規則が撤廃又は変更され得る）ので、本明細書に記載の装置、方法、及び製造物に関連するゴルフ用品は、任意の特定の時点のゴルフのルールに準拠してもよく、準拠しなくてもよい。従って、本明細書に記載の装置、方法、及び製造物に関連するゴルフ用品は、準拠又は非準拠のゴルフ用品として宣伝され、売り出され、及び／又は販売されてもよい。本明細書に記載の装置、方法、及び製造物は、これに限定されない。
【０２１４】
特定の例示的な装置、方法、及び製造物が本明細書で説明されたが、本開示の適用範囲はこれに限定されない。それどころか、本開示は、文言通り又は均等論の下で、添付の特許請求の範囲内に適正に収まる全ての装置、方法、及び製造物をカバーする。
【図１】
2021506535.tif 000013
【図２】
2021506535.tif 000014
【図３】
2021506535.tif 000015
【図４】
2021506535.tif 000016
【図５】
2021506535.tif 000017
【図６】
2021506535.tif 000018
【図７】
2021506535.tif 000019
【図８】
2021506535.tif 000020
【図９】
2021506535.tif 000021
【図１０】
2021506535.tif 000022
【図１１】
2021506535.tif 000023
【図１２】
2021506535.tif 000024
【図１３】
2021506535.tif 000025
【図１４】
2021506535.tif 000026
【図１５】
2021506535.tif 000027
【図１６】
2021506535.tif 000028
【図１７】
2021506535.tif 000029
【図１８】
2021506535.tif 000030
【図１９】
2021506535.tif 000031
【図２０】
2021506535.tif 000032
【図２１】
2021506535.tif 000033
【図２２】
2021506535.tif 000034
【図２３】
2021506535.tif 000035
【図２４】
2021506535.tif 000036
【図２５】
2021506535.tif 000037
【図２６】
2021506535.tif 000038
【図２７】
2021506535.tif 000039
【図２８】
2021506535.tif 000040
【図２９】
2021506535.tif 000041
【図３０】
2021506535.tif 000042
【図３１】
2021506535.tif 000043
【図３２】
2021506535.tif 000044
【図３３】
2021506535.tif 000045
【図３４】
2021506535.tif 000046
【図３５】
2021506535.tif 000047
【図３６】
2021506535.tif 000048
【図３７】
2021506535.tif 000049
【図３８】
2021506535.tif 000050
【図３９】
2021506535.tif 000051
【図４０】
2021506535.tif 000052
【図４１】
2021506535.tif 000053
【図４２】
2021506535.tif 000054
【図４３】
2021506535.tif 000055
【図４４】
2021506535.tif 000056
【図４５】
2021506535.tif 000057
【図４６】
2021506535.tif 000058
【図４７】
2021506535.tif 000059
【図４８】
2021506535.tif 000060
【図４９】
2021506535.tif 000061
【図５０】
2021506535.tif 000062
【図５１】
2021506535.tif 000063
【図５２】
2021506535.tif 000064
【図５３】
2021506535.tif 000065
【図５４】
2021506535.tif 000066
【図５５】
2021506535.tif 000067
【図５６】
2021506535.tif 000068
【図５７】
2021506535.tif 000069
【図５８】
2021506535.tif 000070
【手続補正書】
【提出日】令和2年10月5日(2020.10.5)
【手続補正１】
【補正対象書類名】特許請求の範囲
【補正対象項目名】全文
【補正方法】変更
【補正の内容】
【特許請求の範囲】
【請求項１】
フロント面及び前記フロント面の反対側のバック面を有するフェース部であり、前記バック面は外周部を有する、前記フェース部と、
内部キャビティを有するボディ部であり、前記ボディ部は前記フロント部の最外面を画定する外周エッジ部を持つフロント部を有し、前記ボディ部の前記外周エッジ部が前記フェース部の前記外周部に取り付けられた、前記ボディ部と、
前記ボディ部の内壁の一部に結合された第１の充填材料であり、前記第１の充填材料はゴム材料を含むと共に第１の密度を有する、前記第１の充填材料と、
前記第１の充填材料と前記フェース部の間の前記内部キャビティに射出成型された第２の充填材料であり、前記第２の充填材料は熱硬化性材料を含むと共に前記第１の密度とは異なる第２の密度を有する、前記第２の充填材料と、
を備えたゴルフクラブヘッドであって、
前記第１の充填材料の最大幅が、前記フェース部の中央部に位置合わせされ、
前記フェース部の前記バック面は、前記フェース部の外周部に沿って又はそれに近接して延びる連続的な溝を含み、
前記溝は、前記第２の充填材料で充填されていることを特徴とするゴルフクラブヘッド。
【請求項２】
請求項１に記載のゴルフクラブヘッドにおいて、
前記第１の充填材料は、結合剤で前記内壁の部分に結合された材料を含むことを特徴とするゴルフクラブヘッド。
【請求項３】
請求項１に記載のゴルフクラブヘッドにおいて、
前記第１の充填材料の反発係数は、前記第２の充填材料の反発係数より大きいことを特徴とするゴルフクラブヘッド。
【請求項４】
請求項１に記載のゴルフクラブヘッドにおいて、
前記第１の充填材料が前記ボディ部の内壁の一部に結合された後、前記フェース部が前記ボディ部に取り付けられたことを特徴とするゴルフクラブヘッド。
【請求項５】
請求項１に記載のゴルフクラブヘッドにおいて、
前記ボディ部は、前記内部キャビティを画定する複数の凹部を含み、
前記複数の凹部のうちの中央凹部は、前記内部キャビティの最大幅を含み、
前記中央凹部は、前記第１の充填材料で充填されていることを特徴とするゴルフクラブヘッド。
【請求項６】
請求項１に記載のゴルフクラブヘッドにおいて、
前記ボディ部は、前記内部キャビティを画定する複数の凹部を含み、
前記内部キャビティの幅は、前記複数の凹部のうちの中央凹部から、前記複数の凹部のうちの前記ボディ部の前記外周エッジ部に隣接する１つ又は複数の凹部に向かって減少することを特徴とするゴルフクラブヘッド。
【請求項７】
請求項１に記載のゴルフクラブヘッドにおいて、
前記ボディ部は、前記ゴルフクラブヘッドに関連付けられたクラブ識別子を含むことを特徴とするゴルフクラブヘッド。
【請求項８】
フロント面及び前記フロント面の反対側のバック面を有するフェース部であり、前記フェース部はロフト角を画定し、前記フェース部は前記フェース部の外周に近接して延びる溝を前記バック面に含む、前記フェース部と、
前記フェース部と結合されたボディ部であり、前記ボディ部は前記フェース部の中央部に位置合わせされた中央凹部を含む内部キャビティを有し、前記中央凹部は前記ロフト角に関連付けられた形状を有し、前記中央凹部は前記内部キャビティの最大幅を有する、前記ボディ部と、
少なくとも前記中央凹部で前記ボディ部に結合されると共に前記中央凹部を充填する第１の充填材料と、
前記内部キャビティに射出成型された第２の充填材料であり、前記第２の充填材料の少なくとも一部が前記フェース部の前記バック面に結合されると共に前記中央凹部内の前記第１の充填材料と前記フェース部の間に位置し、前記第２の充填材料は少なくとも１つの材料特性が前記第１の充填材料とは異なる、前記第２の充填材料と、
を備えたゴルフクラブヘッドであって、
前記溝が、前記第２の充填材料で少なくとも部分的に充填されていることを特徴とするゴルフクラブヘッド。
【請求項９】
請求項８に記載のゴルフクラブヘッドにおいて、
前記第１の充填材料が前記ボディ部に結合された後、前記フェース部が前記ボディ部に溶接されたことを特徴とするゴルフクラブヘッド。
【請求項１０】
請求項８に記載のゴルフクラブヘッドにおいて、
前記内部キャビティは、前記中央凹部に隣接する複数の凹部を有し、
前記第２の充填材料は、前記複数の凹部を少なくとも部分的に充填することを特徴とするゴルフクラブヘッド。
【請求項１１】
請求項８に記載のゴルフクラブヘッドにおいて、
前記内部キャビティの前記最大幅は、前記フェース部の幾何学的中心に近接していることを特徴とするゴルフクラブヘッド。
【請求項１２】
請求項８に記載のゴルフクラブヘッドにおいて、
前記第１の充填材料の反発係数は、前記第２の充填材料の反発係数より大きいことを特徴とするゴルフクラブヘッド。
【請求項１３】
請求項８に記載のゴルフクラブヘッドにおいて、
前記第１の材料は、ゴム材料を含み、
前記第２の材料は、熱硬化性材料を含むことを特徴とするゴルフクラブヘッド。
【請求項１４】
フロント面及び前記フロント面の反対側のバック面を有するフェース部と、
前記フェース部と結合されたボディ部であり、前記ボディ部は内部キャビティと１つ又は複数の内壁を有する、前記ボディ部と、
前記ボディ部と結合された第１の充填材料であり、前記第１の充填材料は前記１つ又は複数の内壁の少なくとも２５％をカバーする、前記第１の充填材料と、
前記内部キャビティに射出成型された第２の充填材料と
を備えたゴルフクラブヘッドであって、
前記第１の充填材料の反発係数は、前記第２の充填材料の反発係数より大きく、
前記第１の充填材料の最大幅が、前記フェース部の中央部又はそれに近接する位置であり、
前記フェース部の前記バック面は、前記フェース部の外周部に沿って又はそれに近接して延びる連続的な溝を含み、
前記溝は、前記第２の充填材料で充填されていることを特徴とするゴルフクラブヘッド。
【請求項１５】
請求項１４に記載のゴルフクラブヘッドにおいて、
前記第１の充填材料は、前記フェース部が前記ボディ部に取り付けられる前に、前記内部キャビティに射出成型されていることを特徴とするゴルフクラブヘッド。
【請求項１６】
請求項１４に記載のゴルフクラブヘッドにおいて、
前記第１の充填材料は、予め形成して前記ボディ部に取り付けられていることを特徴とするゴルフクラブヘッド。
【請求項１７】
請求項１４に記載のゴルフクラブヘッドにおいて、
前記第１の充填材料は、ゴム材料を含むことを特徴とするゴルフクラブヘッド。
【請求項１８】
請求項１４に記載のゴルフクラブヘッドにおいて、
前記第２の充填材料は、熱硬化性材料を含むことを特徴とするゴルフクラブヘッド。
【請求項１９】
請求項１４に記載のゴルフクラブヘッドにおいて、
前記フェース部の面積が、２００ｍｍ2 以上且つ５０００ｍｍ2 以下であることを特徴とするゴルフクラブヘッド。
【国際調査報告】
2021506535.tif 000071